(57)【要約】【課題】多彩な演出を行うことが可能な遊技機を提供する。【解決手段】上部発光演出装置６６０が、第１上部ランプ基板６６１の第１上部演出ランプを発光させて、第１上部演出ランプから上部導光板６９２の縁部６９２ａに入射して射出面６９２ｄから射出される光により第１上部演出図柄６９３ａを照明して発光表示させ、第２上部ランプ基板６７１の第２上部演出ランプ６７２を発光させて、第２上部演出ランプ６７２からの光により第２上部演出図柄６９１ａを照明して上部導光板６９２および表側上部装飾部材６９３を通して発光表示させるように構成される。【選択図】図２８
2016185292.tif 000002
【特許請求の範囲】
【請求項１】
遊技に関連した発光演出を行う発光演出装置を備え、
前記発光演出装置は、
透光性の材料により板状に形成され、縁部に入射した光を表側の射出面から射出させて所定の第１図柄を発光表示させることが可能な導光部材と、
前記導光部材の縁部と対向して設けられ、前記導光部材の縁部に入射する光を発光させることが可能な第１ランプと、
前記導光部材の裏側に重ねて設けられ、前記第１図柄と異なる第２図柄がシルク印刷により形成されたシート状の裏側装飾部材と、
前記裏側装飾部材の裏側に設けられ、前記第２図柄を裏側から照明する光を発光させることが可能な第２ランプとを備え、
前記第１ランプを発光させて、前記第１ランプからの光を前記導光部材の縁部に入射させて前記第１図柄を発光表示させ、
前記第２ランプを発光させて、前記第２ランプからの光により前記第２図柄を照明して前記導光部材を通して発光表示させるように構成されることを特徴とする遊技機。
【請求項２】
前記導光部材の表側に重ねて設けられ、前記第１図柄がインクジェット印刷により形成されたシート状の表側装飾部材を備え、
前記第１ランプを発光させて、前記第１ランプから前記導光部材の縁部に入射して前記射出面から射出される光により前記第１図柄を照明して発光表示させ、
前記第２ランプを発光させて、前記第２ランプからの光により前記第２図柄を照明して前記導光部材および前記表側装飾部材を通して発光表示させるように構成されることを特徴とする請求項１に記載の遊技機。
【請求項３】
前記導光部材の裏面に、前記導光部材の縁部に入射する光を前記射出面に向けて反射させて前記第１図柄を発光表示させることが可能な複数の凹凸部が形成され、
前記第１ランプを発光させて、前記第１ランプから前記導光部材の縁部に入射して前記凹凸部で反射する光を前記射出面から射出させることにより、前記第１図柄を発光表示させるように構成されることを特徴とする請求項１に記載の遊技機。
【請求項４】
前方に開口部を有する本体部材と、
前記本体部材に対して前記開口部を開閉可能に取り付けられた開閉部材とを備え、
前記発光演出装置は、前記開閉部材の外辺部と略平行に延びて設けられ、
前記第１ランプは、前記導光部材の長手方向に沿って延びる縁部に対向して複数設けられることを特徴とする請求項１から３のいずれか一項に記載の遊技機。
【請求項５】
前方に開口部を有する本体部材と、
前記本体部材に対して前記開口部を開閉可能に取り付けられた開閉部材とを備え、
前記発光演出装置は、前記開閉部材の外辺部と略平行に延びて設けられ、
前記導光部材は、前記導光部材の長手方向に沿って延びる長手方向縁部と、前記導光部材の長手方向の端部に形成されて前記長手方向縁部から傾斜して延びる傾斜縁部とを有し、
前記第１ランプは、前記長手方向縁部および前記傾斜縁部に対向して複数設けられることを特徴とする請求項１から４のいずれか一項に記載の遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の基体部（本体部材）と、基体部の前面開口部を開閉可能な前面扉（開閉部材）とを備えて構成されている。また、前面扉には、電飾装置や化粧板等の装飾部品と、所定の演出画像を表示可能な画像表示装置と、電飾装置および画像表示装置等の制御を行う副制御装置とが取り付けられている。また近年、遊技機には、所定の発光演出が可能な演出装置（例えば、特許文献１を参照）が用いられつつある。
【先行技術文献】
【特許文献】
【０００３】
【特許文献１】特開２００９−２２５９４１号公報
【発明の概要】
【発明が解決しようとする課題】
【０００４】
しかしながら、このような遊技機では、より多彩な演出を行うための方策が求められている。
【０００５】
本発明は、このような課題に鑑みてなされたものであり、多彩な演出を行うことが可能な遊技機を提供することを目的とする。
【課題を解決するための手段】
【０００６】
このような目的達成のため、本発明に係る遊技機は、遊技に関連した発光演出を行う発光演出装置を備え、前記発光演出装置は、透光性の材料により板状に形成され、縁部に入射した光を表側の射出面から射出させて所定の第１図柄を発光表示させることが可能な導光部材と、前記導光部材の縁部と対向して設けられ、前記導光部材の縁部に入射する光を発光させることが可能な第１ランプと、前記導光部材の裏側に重ねて設けられ、前記第１図柄と異なる第２図柄がシルク印刷により形成されたシート状の裏側装飾部材と、前記裏側装飾部材の裏側に設けられ、前記第２図柄を裏側から照明する光を発光させることが可能な第２ランプとを備え、前記第１ランプを発光させて、前記第１ランプからの光を前記導光部材の縁部に入射させて前記第１図柄を発光表示させ、前記第２ランプを発光させて、前記第２ランプからの光により前記第２図柄を照明して前記導光部材を通して発光表示させるように構成される。
【発明の効果】
【０００７】
本発明によれば、遊技機による多彩な演出を行うことができる。
【図面の簡単な説明】
【０００８】
【図１】第１実施形態のスロットマシンを示す正面図である。
【図２】第１実施形態のスロットマシンの内部構造を示す正面図である。
【図３】第１実施形態のスロットマシンの前面扉を後方から見た図である。
【図４】リールシャッターユニットの斜視図である。
【図５】リールシャッターユニットの分解斜視図である。
【図６】シャッター装置の斜視図である。
【図７】シャッター装置の背面図である。
【図８】シャッター装置の分解斜視図である。
【図９】（ａ）は可動シャッター部が待機位置に位置する状態を示す側断面図であり、（ｂ）は可動シャッター部が遮蔽位置に位置する状態を示す側断面図である。
【図１０】可動シャッター部が遮蔽位置に位置する状態を示す拡大断面図である。
【図１１】（ａ）は演出表示装置を前方から見た斜視図であり、（ｂ）は演出表示装置を後方から見た斜視図である。
【図１２】演出表示装置の分解斜視図である。
【図１３】（ａ）は演出表示装置の側断面図であり、（ｂ）は演出表示装置を下方から見た平断面図である。
【図１４】上部マスクユニットの分解斜視図である。
【図１５】上部マスクユニットの側断面図である。
【図１６】第２実施形態のスロットマシンを示す正面図である。
【図１７】第２実施形態のスロットマシンの内部構造を示す正面図である。
【図１８】第２実施形態のスロットマシンの前面扉を後方から見た図である。
【図１９】前面扉の分解斜視図である。
【図２０】前面扉の一部を取り外した状態を示す斜視図である。
【図２１】下部発光演出装置の斜視図である。
【図２２】下部発光演出装置を前方から見た分解斜視図である。
【図２３】下部発光演出装置を後方から見た分解斜視図である。
【図２４】（ａ）は下部発光演出装置の正面図であり、（ｂ）は下部発光演出装置の平断面図である。
【図２５】下部発光演出装置の側断面図である。
【図２６】上部マスクユニットの分解斜視図である。
【図２７】上部発光演出装置の斜視図である。
【図２８】上部発光演出装置の分解斜視図である。
【図２９】上部発光演出装置の側断面図である。
【図３０】（ａ）は上部発光演出装置の第１上部演出ランプを発光させた状態を示す正面図であり、（ｂ）は上部発光演出装置の第２上部演出ランプを発光させた状態を示す正面図である。
【図３１】（ａ）は左サイド発光演出装置の正面図であり、（ｂ）は左サイド発光演出装置の側面図である。
【図３２】左サイド発光演出装置の分解斜視図である。
【図３３】左サイド発光演出装置におけるランプユニット部の分解斜視図である。
【図３４】左サイド発光演出装置の平断面図である。
【図３５】右サイド発光演出装置の分解斜視図である。
【図３６】右サイド発光演出装置の平断面図である。
【図３７】第３実施形態のスロットマシンを示す正面図である。
【図３８】第３実施形態のスロットマシンの内部構造を示す正面図である。
【図３９】第３実施形態のスロットマシンの前面扉を後方から見た図である。
【図４０】前面扉の分解斜視図である。
【図４１】前面扉の一部を示す拡大背面図である。
【図４２】装飾パネルユニットの分解斜視図である。
【図４３】操作パネルの分解斜視図である。
【図４４】操作パネルにおける左側透光部材の近傍を示す側断面図である。
【図４５】演出制御ユニットの斜視図である。
【図４６】演出制御ユニットの分解斜視図である。
【図４７】（ａ）は演出制御ユニットにおける排気口部の近傍を示す断面図であり、（ｂ）は演出制御ユニットにおける吸気口部の近傍を示す断面図である。
【発明を実施するための形態】
【０００９】
［第１実施形態］
以下、本発明の好ましい実施形態について図面を参照して説明する。まず、図１〜図３を参照しながら、遊技機の第１実施形態としてスロットマシンＳＭ１の概要について説明する。なお、第１実施形態において、図１の各矢印で示す方向をそれぞれ、上下方向、前後方向、左右方向として説明する。第１実施形態のスロットマシンＳＭ１は、箱状の基体部１０と、前面扉２０とを主体に構成される。基体部１０は前方に開口部１０ａを有する箱状に形成され、基体部１０の前部に前面扉２０が取り付けられる。前面扉２０は、ヒンジ機構５ａ，５ｂを用いて基体部１０の左前部に枢支され、基体部１０の開口部１０ａを揺動開閉可能に構成される。
【００１０】
基体部１０の内部中央には、演出に関わる第１リール１２ａと遊技に関わる第２、第３、第４リール１２ｂ，１２ｃ，１２ｄとからなる４つのリール１２ａ，１２ｂ，１２ｃ，１２ｄを備えるリールユニット１１が設けられ、前面扉２０に設けられたリール表示窓２２を通して４つのリール１２ａ，１２ｂ，１２ｃ，１２ｄに描かれている図柄を視認することができるようになっている。基体部１０の内部下側には、スロットマシンＳＭ１に搭載された種々の装置に電源を供給する電源ユニット１３、およびメダルを貯留しておくホッパー１４ａを備えるメダル払出装置１４が設けられる。基体部１０の背板部の上側内面には、スロットマシンＳＭで行われる遊技を全体的に制御する主制御装置１５が設けられる。ヒンジ機構５ａ，５ｂが設けられる基体部１０の左側板部の上側内面には、スロットマシンＳＭ１の演出制御として演出決定処理を行う副制御装置１６が設けられる。
【００１１】
前面扉２０には前面枠２１が形成されており、前面枠２１の略中央部にリール表示窓２２が設けられる。前面扉２０の前面側中央には、リール表示窓２２の下方に位置して操作パネル２３が設けられる。操作パネル２３の前面側には、スタートスイッチ２４、および３つのストップスイッチ２５ａ，２５ｂ，２５ｃが設けられる。操作パネル２３の上面側には、各種ベットスイッチ２６、各種演出操作スイッチ２７、およびメダル投入口２８が設けられる。また、リール表示窓２２の右側には、遊技に関連した演出画像を表示可能な演出表示装置３００が設けられる。
【００１２】
前面扉２０の前面側上部には、画像表示装置４０１を備えた上部マスクユニット４００が取り付けられる。前面扉２０の前面側左端部には、上下方向に延びる左サイドランプ３２が設けられる。前面扉２０の前面側右端部には、左サイドランプ３２と異なる装飾が施されて上下方向に延びる右サイドランプ３３が設けられる。前面扉２０の前面側下部には、装飾パネル３４、およびメダル払出装置１４から払い出されたメダルが貯留される受け皿３５が設けられる。
【００１３】
前面扉２０が基体部１０の開口部１０ａを閉じた状態では、前面扉２０の後面側が基体部１０の内部側に位置する。前面扉２０の後面側には、リール表示窓２２に配置された枠状のエスカッション３６に取り付け固定されたリールシャッターユニット１００、メダル投入口２８に投入されたメダルの選別を行うメダルセレクタ３７、および左右の下部スピーカーユニット３８，３９が設けられる。また、前面扉２０における上部マスクユニット４００の後面側には、スロットマシンＳＭ１の演出制御として各種演出装置の演出制御処理を行う演出制御ユニット４０５、および左右の上部スピーカーユニット４０６，４０７が取り付けられる。
【００１４】
［リールシャッターユニットの構成］
次に、第１実施形態に係るリールシャッターユニット１００について図４〜図１０を参照して説明する。リールシャッターユニット１００は、図４〜図５に示すように、３つのシャッター装置１１０ａ〜１１０ｃと、上部連結板１０１と、下部連結板１０３と、４つ
のカラー部材１０５ａ〜１０５ｄとを有して構成される。リールシャッターユニット１００は、シャッター固定ネジ（図示せず）を用いて第１シャッター装置１１０ａおよび第３シャッター装置１１０ｃに設けられたフランジ部を前面扉２０のエスカッション３６にネジ固定することにより、リール表示窓２２の裏面側（後面側）に固定される。
【００１５】
上部連結板１０１は、金属材料を用いて左右に延びる板状に形成される。上部連結板１０１は、上部連結ネジ１０２を用いて３つのシャッター装置１１０ａ〜１１０ｃの上部に結合され、左右に並ぶ３つのシャッター装置１１０ａ〜１１０ｃの上部を連結するようになっている。下部連結板１０３は、金属材料を用いて左右に延びる板状に形成される。下部連結板１０３は、下部連結ネジ１０４を用いて３つのシャッター装置１１０ａ〜１１０ｃの下部に結合され、左右に並ぶ３つのシャッター装置１１０ａ〜１１０ｃの下部を連結するようになっている。
【００１６】
第１〜第４カラー部材１０５ａ〜１０５ｄは、樹脂材料を用いて、所定の装飾が施されて上下に細長く延びる板状に形成される。第１カラー部材１０５ａは、第１カラー固定ネジ１０６ａを用いて、第１シャッター装置１１０ａの左前部に取り付けられる。第２カラー部材１０５ｂは、第２カラー固定ネジ１０６ｂを用いて、第１シャッター装置１１０ａの右前部と第２シャッター装置１１０ｂの左前部とに跨って取り付けられる。第３カラー部材１０５ｃは、第３カラー固定ネジ１０６ｃを用いて、第２シャッター装置１１０ｂの右前部と第３シャッター装置１１０ｃの左前部とに跨って取り付けられる。第４カラー部材１０５ｄは、第４カラー固定ネジ１０６ｄを用いて、第３シャッター装置１１０ｃの右前部に取り付けられる。
【００１７】
第１シャッター装置１１０ａは、リール表示窓２２の後面側における（左から１つめの）第１リール１２ａと重なる部分に配置される。第１シャッター装置１１０ａは、詳細は後述する第１および第２可動シャッター部１８０，２００を遮蔽位置に移動させることにより、リール表示窓２２で表示可能な第１リール１２ａの図柄３つ分の領域のうち、第１リール１２ａの上側の図柄１つ分の領域（以降、上側領域と称する）と、第１リール１２ａの下側の図柄１つ分の領域（以降、下側領域と称する）とを別個に遮蔽することができるようになっている（図１も参照）。
【００１８】
第２シャッター装置１１０ｂは、第１シャッター装置１１０ａと同様に構成され、リール表示窓２２の後面側における（左から２つめの）第２リール１２ｂと重なる部分に配置される。第２シャッター装置１１０ｂは、第１シャッター装置１１０ａと同様にして、リール表示窓２２で表示可能な第２リール１２ｂの図柄３つ分の領域のうち、第２リール１２ｂの上側の図柄１つ分の上側領域と、第２リール１２ｂの下側の図柄１つ分の下側領域とを別個に遮蔽することができるようになっている（図１も参照）。
【００１９】
第３シャッター装置１１０ｃは、第１シャッター装置１１０ａと同様に構成され、リール表示窓２２の後面側における（左から３つめの）第３リール１２ｃと重なる部分に配置される。第３シャッター装置１１０ｃは、第１シャッター装置１１０ａと同様にして、リール表示窓２２で表示可能な第３リール１２ｃの図柄３つ分の領域のうち、第３リール１２ｃの上側の図柄１つ分の上側領域と、第３リール１２ｃの下側の図柄１つ分の下側領域とを別個に遮蔽することができるようになっている（図１も参照）。
【００２０】
次に、第１シャッター装置１１０ａの詳細について説明する。なお、第２シャッター装置１１０ｂおよび第３シャッター装置１１０ｃは、上述したように、第１シャッター装置１１０ａと同様の構成であるため、詳細な説明を省略する。第１シャッター装置１１０ａは、図６〜図８に示すように、リール表示窓２２の後面側において第１リール１２ａの左右側端部に重なるように配置される左右のガイド部１２０Ｌ，１２０Ｒと、左右のガイド
部１２０Ｌ，１２０Ｒに固定される第１および第２固定シャッター部１４０，１６０と、左右のガイド部１２０Ｌ，１２０Ｒに案内されて移動可能な第１および第２可動シャッター部１８０，２００と、第１および第２可動シャッター部１８０，２００を駆動する第１および第２シャッター駆動部２２０，２４０とを有して構成される。
【００２１】
右ガイド部１２０Ｒは、図８に示すように、右ガイド部材１２１Ｒと、右ガイドランプ基板１３１Ｒと、右補強板１３６Ｒとを有して構成される。右ガイド部材１２１Ｒは、遮光性の樹脂材料を用いて、上下に直線的に延びるレール状に形成される。右ガイド部材１２１Ｒの内側部上側（左側部上側）には、右ガイド部材１２１Ｒの延伸方向に沿って上下に延びる第１ガイド用ラックギヤ部１２２Ｒが形成される。第１ガイド用ラックギヤ部１２２Ｒには、第１可動シャッター部１８０に設けられた第１右ガイド用ピニオンギヤ１９１Ｒが噛合する。右ガイド部材１２１Ｒの中間部上側には、第１ガイド用ラックギヤ部１２２Ｒと並行して上下に延びる長穴状の第１ランプ穴部１２３Ｒが形成される。第１ランプ穴部１２３Ｒは、図１０に示すように、後述の遮蔽位置に移動した第１可動シャッター部１８０の右側部と対向するように左右に貫通して形成される。図８に示すように、右ガイド部材１２１Ｒの上端部には、第１シャッター駆動部２２０の右側部と結合する第１駆動側結合部１２４Ｒが形成される。
【００２２】
右ガイド部材１２１Ｒの内側部下側（左側部下側）には、右ガイド部材１２１Ｒの延伸方向に沿って上下に延びる第２ガイド用ラックギヤ部１２５Ｒが形成される。第２ガイド用ラックギヤ部１２５Ｒには、第２可動シャッター部２００に設けられた第２右ガイド用ピニオンギヤ２１１Ｒ（図７を参照）が噛合する。右ガイド部材１２１Ｒの中間部下側には、第２ガイド用ラックギヤ部１２５Ｒと並行して上下に延びる長穴状の第２ランプ穴部１２６Ｒが形成される。第２ランプ穴部１２６Ｒは、後述の遮蔽位置に移動した第２可動シャッター部２００の右側部と対向するように左右に貫通して形成される。右ガイド部材１２１Ｒの下端部には、第２シャッター駆動部２４０の右側部と結合する第２駆動側結合部１２７Ｒが形成される。右ガイド部材１２１Ｒの外側部（右側部）には、右ガイドランプ基板１３１Ｒおよび右補強板１３６Ｒが取り付けられるランプ基板取付部１２８Ｒが形成される。
【００２３】
右ガイドランプ基板１３１Ｒは、右ガイド部材１２１Ｒと略平行に上下に細長く延びる板状に形成され、左方を向く実装面の上側に複数並んで配設された第１ガイドランプ１３２Ｒと、左方を向く実装面の下側に複数並んで配設された第２ガイドランプ１３３Ｒとを有して構成される。右ガイドランプ基板１３１Ｒは、演出制御ユニット４０５と電気的に接続され、演出制御ユニット４０５から送信されたランプ制御信号に応じて、第１ガイドランプ１３２Ｒおよび第２ガイドランプ１３３Ｒの発光制御を行う。右ガイドランプ基板１３１Ｒは、基板取付ネジ１３４を用いて、右ガイド部材１２１Ｒの第１ランプ穴部１２３Ｒおよび第２ランプ穴部１２６Ｒを覆うように、右ガイド部材１２１Ｒのランプ基板取付部１２８Ｒに取り付けられる。第１ガイドランプ１３２Ｒは、右ガイド部材１２１Ｒの第１ランプ穴部１２３Ｒを介して、後述の遮蔽位置に移動した第１可動シャッター部１８０の右側部と対向するように配置される。第２ガイドランプ１３３Ｒは、右ガイド部材１２１Ｒの第２ランプ穴部１２６Ｒを介して、後述の遮蔽位置に移動した第２可動シャッター部２００の右側部と対向するように配置される。
【００２４】
右補強板１３６Ｒは、金属材料を用いて、右ガイド部材１２１Ｒと略平行に上下に細長く延びる板状に形成される。右補強板１３６Ｒは、補強部材取付ネジ１３９を用いて、右ガイド部材１２１Ｒと右ガイドランプ基板１３１Ｒとの間に重なるように、右ガイド部材１２１Ｒのランプ基板取付部１２８Ｒに取り付けられる。
【００２５】
左ガイド部１２０Ｌは、右ガイド部１２０Ｒと同様に、左ガイド部材１２１Ｌと、左ガ
イドランプ基板（図示せず）と、左補強板（図示せず）とを有して構成される。左ガイド部材１２１Ｌは、遮光性の樹脂材料を用いて、上下に直線的に延びるレール状に形成される。左ガイド部材１２１Ｌの内側部上側（右側部上側）には、右ガイド部材１２１Ｒと同様に第１ガイド用ラックギヤ部１２２Ｌが形成される。左ガイド部材１２１Ｌの第１ガイド用ラックギヤ部１２２Ｌには、第１可動シャッター部１８０に設けられた第１左ガイド用ピニオンギヤ１９１Ｌが噛合する。左ガイド部材１２１Ｌの中間部上側には、右ガイド部材１２１Ｒと同様に第１ランプ穴部１２３Ｌが形成される。左ガイド部材１２１Ｌの第１ランプ穴部１２３Ｌは、後述の遮蔽位置に移動した第１可動シャッター部１８０の左側部と対向するように左右に貫通して形成される。左ガイド部材１２１Ｌの上端部には、第１シャッター駆動部２２０の左側部と結合する第１駆動側結合部１２４Ｌが形成される。
【００２６】
左ガイド部材１２１Ｌの内側部下側（右側部下側）には、右ガイド部材１２１Ｒと同様に第２ガイド用ラックギヤ部（図示せず）が形成される。左ガイド部材１２１Ｌの第２ガイド用ラックギヤ部には、第２可動シャッター部２００に設けられた第２左ガイド用ピニオンギヤ２１１Ｌ（図７を参照）が噛合する。左ガイド部材１２１Ｌの中間部下側には、右ガイド部材１２１Ｒと同様に第２ランプ穴部１２６Ｌが形成される。左ガイド部材１２１Ｌの第２ランプ穴部１２６Ｌは、後述の遮蔽位置に移動した第２可動シャッター部２００の左側部と対向するように左右に貫通して形成される。左ガイド部材１２１Ｌの下端部には、第２シャッター駆動部２４０の左側部と結合する第２駆動側結合部（図示せず）が形成される。左ガイド部材１２１Ｌの外側部（左側部）には、右ガイド部材１２１Ｒと同様に、左ガイドランプ基板（図示せず）および左補強板（図示せず）が取り付けられるランプ基板取付部（図示せず）が形成される。
【００２７】
左ガイドランプ基板（図示せず）は、右ガイドランプ基板１３１Ｒと略左右対称（上下に延びる面対称）に形成され、右方を向く実装面の上側に複数並んで配設された第１ガイドランプ（図示せず）と、右方を向く実装面の下側に複数並んで配設された第２ガイドランプ（図示せず）とを有して構成される。左ガイドランプ基板は、右ガイドランプ基板１３１Ｒと同様に、第１ガイドランプおよび第２ガイドランプの発光制御を行う。左ガイドランプ基板は、右ガイドランプ基板１３１Ｒと同様に、左ガイド部材１２１Ｌの第１ランプ穴部１２３Ｌおよび第２ランプ穴部１２６Ｌを覆うように、左ガイド部材１２１Ｌのランプ基板取付部（図示せず）に取り付けられる。また、左ガイドランプ基板の第１ガイドランプは、右ガイドランプ基板１３１Ｒと同様に、左ガイド部材１２１Ｌの第１ランプ穴部１２３Ｌを介して、後述の遮蔽位置に移動した第１可動シャッター部１８０の左側部と対向するように配置される。左ガイドランプ基板の第２ガイドランプは、右ガイドランプ基板１３１Ｒと同様に、左ガイド部材１２１Ｌの第２ランプ穴部１２６Ｌを介して、後述の遮蔽位置に移動した第２可動シャッター部２００の左側部と対向するように配置される。
【００２８】
左補強板（図示せず）は、右補強板１３６Ｒと略左右対称（上下に延びる面対称）に形成される。左補強板は、右補強板１３６Ｒと同様に、左ガイド部材１２１Ｌと左ガイドランプ基板（図示せず）との間に重なるように、左ガイド部材１２１Ｌのランプ基板取付部に取り付けられる。
【００２９】
なお、第１シャッター装置１１０ａ（および第２シャッター装置１１０ｂ）の右ガイドランプ基板１３１Ｒは、右方に隣接する第２シャッター装置１１０ｂ（および第３シャッター装置１１０ｃ）の左ガイドランプ基板として機能するように構成されてもよい。具体的には、右ガイドランプ基板１３１Ｒの右方を向く実装面の上側に、第２シャッター装置１１０ｂ（および第３シャッター装置１１０ｃ）の第１可動シャッター部１８０の左側部と対向する第１ガイドランプ１３２Ｌが複数並んで配設され、右ガイドランプ基板１３１Ｒの右方を向く実装面の下側に、第２シャッター装置１１０ｂの第２可動シャッター部２
００の左側部と対向する第２ガイドランプ１３３Ｌが複数並んで配設されるように構成されてもよい。これにより、第２シャッター装置１１０ｂ（および第３シャッター装置１１０ｃ）に設けられる左ガイドランプ基板を共用化して、リールシャッターユニット１００の部品点数を低減させることができるため、リールシャッターユニット１００の製造コストを低減させることが可能になる。
【００３０】
第１固定シャッター部１４０は、第１表側固定シャッター板１４１と、第１裏側固定シャッター板１４６と、第１固定側ランプ基板１５１と、第１固定側透光板１５６と、拡散シート１５９とを有して、表面側（前面側）に装飾が施された板状に形成される。第１表側固定シャッター板１４１は、遮光性の樹脂材料を用いて、表面側（前面側）にめっき処理等の装飾が施された板状に形成される。第１表側固定シャッター板１４１の左右端部には、上下に延びるフランジ部１４２が形成される。左右のフランジ部１４２は、固定ネジ１４５を用いて、左ガイド部材１２１Ｌおよび右ガイド部材１２１Ｒの上部前面側に固定される。これにより、第１固定シャッター部１４０は、左ガイド部材１２１Ｌおよび右ガイド部材１２１Ｒの上部前面側に取り付け固定される。
【００３１】
第１表側固定シャッター板１４１の中央部には、略三角形状の中央開口部１４３が前後に貫通して形成される。中央開口部１４３には、第１固定側透光板１５６の中央発光部１５７が裏側から挿通され、中央発光部１５７が前方に露出するようになっている。第１表側固定シャッター板１４１の先端側（下端側）には、左右に帯状に延びる帯状開口部１４４が前後に貫通して形成される。帯状開口部１４４には、第１固定側透光板１５６の帯状発光部１５８が裏側から挿通され、帯状発光部１５８が前方に露出するようになっている。
【００３２】
第１表側固定シャッター板１４１の裏面側（後面側）には、第１固定側透光板１５６と、拡散シート１５９と、第１固定側ランプ基板１５１と、第１裏側固定シャッター板１４６とが、この順に重ねて結合される。第１裏側固定シャッター板１４６は、遮光性の樹脂材料を用いて板状に形成される。第１裏側固定シャッター板１４６の表面側（前面側）上方には、第１固定側ランプ基板１５１を受容する基板受容部１４７が形成される。第１裏側固定シャッター板１４６の表面側（前面側）下方には、拡散シート１５９の先端側（下端側）を受容するシート受容部１４８が形成される。第１裏側固定シャッター板１４６は、結合ネジ１４９を用いて、第１固定側ランプ基板１５１、第１固定側透光板１５６、および拡散シート１５９とともに、第１表側固定シャッター板１４１の裏面側（後面側）に結合される。
【００３３】
第１固定側ランプ基板１５１は、表面側（前面側）を向く実装面の中央に配設された中央発光ランプ１５２と、実装面の先端側（下端側）に複数並んで配設された帯状発光ランプ１５３とを有して構成される。第１固定側ランプ基板１５１は、演出制御ユニット４０５と電気的に接続され、演出制御ユニット４０５から送信されたランプ制御信号に応じて、中央発光ランプ１５２および帯状発光ランプ１５３の発光制御を行う。第１固定側ランプ基板１５１の表面側（前面側）は、不図示の結合ネジを用いて、第１固定側透光板１５６の裏面側（後面側）に結合され、第１固定側ランプ基板１５１の裏面側は、第１裏側固定シャッター板１４６の基板受容部１４７に受容される。中央発光ランプ１５２は、トップビュータイプのＬＥＤランプを用いて構成され、第１固定側透光板１５６の中央発光部１５７と対向するように配置される。帯状発光ランプ１５３は、トップビュータイプまたはサイドビュータイプのＬＥＤランプを用いて構成され、第１固定側透光板１５６の帯状発光部１５８と対向するように配置される。
【００３４】
第１固定側透光板１５６は、透光性の材料（例えば、透明樹脂材料）を用いて板状に形成される。第１固定側透光板１５６の中央部には、略三角形状の中央発光部１５７が形成
される。中央発光部１５７は、第１表側固定シャッター板１４１の中央開口部１４３に挿通され、第１固定側ランプ基板１５１の中央発光ランプ１５２から発光した光を透過させて発光可能に構成される。これにより、第１固定シャッター部１４０の中央部を部分的に発光させることができる。第１固定側透光板１５６の先端部（下端部）には、左右に帯状に延びる帯状発光部１５８が形成される。帯状発光部１５８は、第１表側固定シャッター板１４１の帯状開口部１４４に挿通され、第１固定側ランプ基板１５１の帯状発光ランプ１５３から発光した光を透過させて発光可能に構成される。これにより、第１固定シャッター部１４０の先端側（下端側）を部分的に発光させることができる。
【００３５】
拡散シート１５９は、第１固定側透光板１５６の帯状発光部１５８と同様に、左右に延びる帯状に形成される。拡散シート１５９は、第１固定側透光板１５６の帯状発光部１５８と第１固定側ランプ基板１５１の帯状発光ランプ１５３との間に重ねて配置され、帯状発光ランプ１５３から発光した光を拡散させるようになっている。
【００３６】
第２固定シャッター部１６０は、第１固定シャッター部１４０と同様に、第２表側固定シャッター板１６１と、第２裏側固定シャッター板（図示せず）と、第２固定側ランプ基板（図示せず）と、第２固定側透光板１７６と、拡散シート（図示せず）とを有して、表面側（前面側）に装飾が施された板状に形成される。第２表側固定シャッター板１６１は、第１表側固定シャッター板１４１と略上下対称（左右に延びる面対称）に形成される。第２表側固定シャッター板１６１には、第１表側固定シャッター板１４１と同様に、左右のフランジ部（図示せず）、中央開口部（図示せず）、帯状開口部（図示せず）等が形成される。第２表側固定シャッター板１６１に形成された左右のフランジ部は、固定ネジ（図示せず）を用いて、左ガイド部材１２１Ｌおよび右ガイド部材１２１Ｒの下部前面側に固定される。
【００３７】
これにより、第２固定シャッター部１６０は、第１固定シャッター部１４０と略上下対称に、左ガイド部材１２１Ｌおよび右ガイド部材１２１Ｒの下部前面側に取り付け固定される。なお、本実施形態において、前面扉２０は、鉛直面に対し少しだけ前上方を向くように傾斜して基体部１０の開口部１０ａに取り付けられる。前面扉２０に設けられたリール表示窓２２も、これに合わせて前上方を向くように傾斜しているため、第１シャッター装置１１０ａは、リール表示窓２２の傾斜に合わせて前上方を向くように傾斜してエスカッション３６に取り付け固定される。装飾上、第２固定シャッター部１６０の下面側が遊技者に視認されるのを防止するため、第２固定シャッター部１６０（第２表側固定シャッター板１６１および第２裏側固定シャッター板）は、第１固定シャッター部１４０よりも下方に長く延びて形成されている。
【００３８】
第２表側固定シャッター板１６１の裏面側（後面側）には、第２固定側透光板１７６と、拡散シート（図示せず）と、第２固定側ランプ基板（図示せず）と、第２裏側固定シャッター板（図示せず）とが、この順に重ねて結合される。第２裏側固定シャッター板は、第１裏側固定シャッター板１４６と略上下対称（左右に延びる面対称）に形成される。第２裏側固定シャッター板には、第１裏側固定シャッター板１４６と同様に、基板受容部（図示せず）、シート受容部（図示せず）等が形成される。第２裏側固定シャッター板は、第１裏側固定シャッター板１４６と同様に、結合ネジ（図示せず）を用いて、第２表側固定シャッター板１６１の裏面側（後面側）に結合される。
【００３９】
第２固定側ランプ基板（図示せず）は、第１固定側ランプ基板１５１と略上下対称（左右に延びる面対称）に形成される。第２固定側ランプ基板には、第１固定側ランプ基板１５１と同様に、中央発光ランプ（図示せず）、帯状発光ランプ（図示せず）等が設けられる。第２固定側透光板１７６は、第１固定側透光板１５６と略上下対称（左右に延びる面対称）に形成される。第２固定側透光板１７６には、第１固定側透光板１５６と同様に、
中央発光部１７７、帯状発光部１７８等が形成される。また、第２固定シャッター部１６０の拡散シート（図示せず）は、第１固定シャッター部１４０の拡散シート１５９と同様に形成される。
【００４０】
第１可動シャッター部１８０は、第１表側可動シャッター板１８１と、第１裏側可動シャッター板１８６と、第１右ガイド用ピニオンギヤ１９１Ｒと、第１左ガイド用ピニオンギヤ１９１Ｌと、第１可動側透光板１９６とを有し、表面側（前面側）に装飾が施されて第１固定シャッター部１４０と重なることが可能な板状に形成される。第１表側可動シャッター板１８１は、遮光性の樹脂材料を用いて、表面側（前面側）にめっき処理等の装飾が施された板状に形成される。
【００４１】
第１表側可動シャッター板１８１の右先端部（右下端部）には、右先端側切欠き部１８３Ｒが形成され、第１可動側透光板１９６の右先端側発光部１９８Ｒが前方に露出するようになっている。第１表側可動シャッター板１８１の左先端部（左下端部）には、左先端側切欠き部１８３Ｌが形成され、第１可動側透光板１９６の左先端側発光部１９８Ｌが前方に露出するようになっている。第１表側可動シャッター板１８１の基端側（上端側）には、略Ｖ字形状の基端側開口部１８４が前後に貫通して形成される。基端側開口部１８４には、第１可動側透光板１９６の基端側発光部１９９が裏側から挿通され、基端側発光部１９９が前方に露出するようになっている。
【００４２】
第１表側可動シャッター板１８１の裏面側（後面側）には、第１可動側透光板１９６と、第１裏側可動シャッター板１８６とが、この順に重ねて結合される。第１裏側固定シャッター板１４６は、遮光性の樹脂材料を用いて板状に形成される。第１裏側可動シャッター板１８６は、結合ネジ１９０を用いて、第１可動側透光板１９６とともに第１表側可動シャッター板１８１の裏面側（後面側）に結合される。
【００４３】
第１裏側可動シャッター板１８６の右裏面側（右後面側）には、第１右ガイド用ピニオンギヤ１９１Ｒが第１右軸部材１９２Ｒを用いて回転自在に取り付けられる。第１右ガイド用ピニオンギヤ１９１Ｒは、右ガイド部材１２１Ｒの第１ガイド用ラックギヤ部１２２Ｒと噛合する。第１裏側可動シャッター板１８６の左裏面側（左後面側）には、第１左ガイド用ピニオンギヤ１９１Ｌが第１左軸部材１９２Ｌを用いて回転自在に取り付けられる。第１左ガイド用ピニオンギヤ１９１Ｌは、左ガイド部材１２１Ｌの第１ガイド用ラックギヤ部１２２Ｌと噛合する。
【００４４】
これにより、第１可動シャッター部１８０は、左右のガイド部材１２１Ｌ，１２１Ｒの上側に、第１固定シャッター部１４０の裏面側（後面側）に重なる待機位置（図９（ａ）を参照）と、第１固定シャッター部１４０に対し下方へ直線的にスライド移動した遮蔽位置（図６および図９（ｂ）を参照）とに、左右のガイド部材１２１Ｌ，１２１Ｒに沿って往復移動可能に取り付けられる。遮蔽位置に移動した第１可動シャッター部１８０は、リールシャッターユニット１００が前面扉２０のエスカッション３６に取り付け固定された状態で、リール表示窓２２で表示可能な第１リール１２ａの図柄３つ分の領域のうち、第１リール１２ａの上側の図柄１つ分の上側領域を遮蔽する。
【００４５】
第１裏側可動シャッター板１８６の中央裏面側（中央後面側）には、第１シャッター駆動部２２０の第１伝達ギヤ２３７（図９を参照）と噛合する駆動用ラックギヤ部１８７が形成される。駆動用ラックギヤ部１８７は、第１可動シャッター部１８０の移動方向に沿って直線的に延びるように形成される。第１裏側可動シャッター板１８６の右側部には、第１裏側可動シャッター板１８６と重なる第１可動側透光板１９６の右受光部１９７Ｒを露出させる右露出部１８９Ｒが形成される。第１裏側可動シャッター板１８６の左側部には、第１裏側可動シャッター板１８６と重なる第１可動側透光板１９６の左受光部１９７
Ｌを露出させる左露出部１８９Ｌが形成される。
【００４６】
第１可動側透光板１９６は、透光性の材料（例えば、透明樹脂材料）を用いて板状に形成される。第１可動側透光板１９６の右側部には、第１可動シャッター部１８０が遮蔽位置に移動した状態で右ガイドランプ基板１３１Ｒの第１ガイドランプ１３２Ｒと対向する右受光部１９７Ｒが形成される。第１可動側透光板１９６の左側部には、第１可動シャッター部１８０が遮蔽位置に移動した状態で左ガイドランプ基板の第１ガイドランプ（図示せず）と対向する左受光部１９７Ｌが形成される。
【００４７】
第１可動側透光板１９６の右先端部（右下端部）には、第１表側可動シャッター板１８１の右先端側切欠き部１８３Ｒを介して前方に露出する右先端側発光部１９８Ｒが形成される。右先端側発光部１９８Ｒは、右受光部１９７Ｒで受光した右ガイドランプ基板１３１Ｒの第１ガイドランプ１３２Ｒからの光を透過させて発光可能に構成される。これにより、遮蔽位置に移動した第１可動シャッター部１８０の右先端部（右下端部）を部分的に発光させることができる。第１可動側透光板１９６の左先端部（左下端部）には、第１表側可動シャッター板１８１の左先端側切欠き部１８３Ｌを介して前方に露出する左先端側発光部１９８Ｌが形成される。左先端側発光部１９８Ｌは、左受光部１９７Ｌで受光した左ガイドランプ基板の第１ガイドランプ（図示せず）からの光を透過させて発光可能に構成される。これにより、遮蔽位置に移動した第１可動シャッター部１８０の左先端部（左下端部）を部分的に発光させることができる。
【００４８】
第１可動側透光板１９６の基端側（上端側）には、略Ｖ字形状の基端側発光部１９９が形成される。基端側発光部１９９は、第１表側可動シャッター板１８１の基端側開口部１８４に挿通され、左受光部１９７Ｌまたは右受光部１９７Ｒで受光した光を透過させて発光可能に構成される。これにより、遮蔽位置に移動した第１可動シャッター部１８０の基端側（上端側）を部分的に発光させることができる。なお、右先端側発光部１９８Ｒおよび左先端側発光部１９８Ｌの表面には、光を拡散させることが可能な微細な凹凸（例えば、ローレット加工やシボ加工により形成される凹凸）が形成されている。
【００４９】
第２可動シャッター部２００は、第１可動シャッター部１８０と同様に、第２表側可動シャッター板２０１と、第２裏側可動シャッター板２０６と、第２右ガイド用ピニオンギヤ２１１Ｒと、第２左ガイド用ピニオンギヤ２１１Ｌと、第２可動側透光板２１６とを有し、表面側（前面側）に装飾が施されて第２固定シャッター部１６０と重なることが可能な板状に形成される。第２表側可動シャッター板２０１は、第１表側可動シャッター板１８１と略上下対称（左右に延びる面対称）に形成される。第２表側可動シャッター板２０１には、第１表側可動シャッター板１８１と同様に、左右の先端側切欠き部（図示せず）、基端側開口部（図示せず）等が形成される。
【００５０】
第２表側可動シャッター板２０１の裏面側（後面側）には、第２可動側透光板２１６と、第２裏側可動シャッター板２０６とが、この順に重ねて結合される。第２裏側可動シャッター板２０６は、第１裏側可動シャッター板１８６と略上下対称（左右に延びる面対称）に形成される。第２裏側可動シャッター板２０６は、第１裏側可動シャッター板１８６と同様に、結合ネジ（図示せず）を用いて、第２可動側透光板２１６とともに第２表側可動シャッター板２０１の裏面側（後面側）に結合される。
【００５１】
第２裏側可動シャッター板２０６の右裏面側（右後面側）には、図７に示すように、第２右ガイド用ピニオンギヤ２１１Ｒが第２右軸部材２１２Ｒを用いて回転自在に取り付けられる。第２右ガイド用ピニオンギヤ２１１Ｒは、右ガイド部材１２１Ｒの第２ガイド用ラックギヤ部１２５Ｒと噛合する。第２裏側可動シャッター板２０６の左裏面側（左後面側）には、第２左ガイド用ピニオンギヤ２１１Ｌが第２左軸部材２１２Ｌを用いて回転自
在に取り付けられる。第２左ガイド用ピニオンギヤ２１１Ｌは、左ガイド部材１２１Ｌの第２ガイド用ラックギヤ部（図示せず）と噛合する。
【００５２】
これにより、第２可動シャッター部２００は、左右のガイド部材１２１Ｌ，１２１Ｒの下側に、第２固定シャッター部１６０の裏面側（後面側）に重なる待機位置（図９（ａ）を参照）と、第２固定シャッター部１６０に対し上方へ直線的にスライド移動した遮蔽位置（図６および図９（ｂ）を参照）とに、左右のガイド部材１２１Ｌ，１２１Ｒに沿って往復移動可能に取り付けられる。遮蔽位置に移動した第２可動シャッター部２００は、リールシャッターユニット１００が前面扉２０のエスカッション３６に取り付け固定された状態で、リール表示窓２２で表示可能な第１リール１２ａの図柄３つ分の領域のうち、第１リール１２ａの下側の図柄１つ分の下側領域を遮蔽する。
【００５３】
第２裏側可動シャッター板２０６の中央裏面側（中央後面側）には、第２シャッター駆動部２４０の第２伝達ギヤ２５７（図９を参照）と噛合する駆動用ラックギヤ部２０７が形成される。駆動用ラックギヤ部２０７は、第２可動シャッター部２００の移動方向に沿って直線的に延びるように形成される。第２裏側可動シャッター板２０６の右側部には、第１裏側可動シャッター板１８６と同様に、右露出部（図示せず）が形成される。第２裏側可動シャッター板２０６の左側部には、第１裏側可動シャッター板１８６と同様に、左露出部（図示せず）が形成される。
【００５４】
第２可動側透光板２１６は、第１可動側透光板１９６と略上下対称（左右に延びる面対称）に形成される。第２可動側透光板２１６には、第１可動側透光板１９６と同様に、左右の受光部（図示せず）、右先端側発光部２１８Ｒ、左先端側発光部２１８Ｌ、基端側発光部２１９等が形成される。
【００５５】
第１シャッター駆動部２２０は、第１左側ギヤボックス部２２１と、第１右側ギヤボックス部２２６と、第１駆動モータ２３１と、第１ピニオンギヤ２３３と、第１中間ギヤ２３５と、第１伝達ギヤ２３７とを有して構成される。第１左側ギヤボックス部２２１は、樹脂材料を用いて右方が開口した箱状に形成される。一方、第１右側ギヤボックス部２２６は、樹脂材料を用いて左方が開口した箱状に形成され、結合ネジ２３０を用いて、第１左側ギヤボックス部２２１と第１右側ギヤボックス部２２６とが結合される。第１左側ギヤボックス部２２１と第１右側ギヤボックス部２２６とが結合して形成されるギヤボックス内部に、第１ピニオンギヤ２３３と第１中間ギヤ２３５と第１伝達ギヤ２３７とが互いに噛合して回転自在に収容される。
【００５６】
そして、第１伝達ギヤ２３７が第１可動シャッター部１８０の駆動用ラックギヤ部１８７と噛合するように、第１左側ギヤボックス部２２１が左ガイド部材１２１Ｌの第１駆動側結合部１２４Ｌと結合し、第１右側ギヤボックス部２２６が右ガイド部材１２１Ｒの第１駆動側結合部１２４Ｒと結合する。これにより、図９に示すように、第１ピニオンギヤ２３３が第１中間ギヤ２３５および第１伝達ギヤ２３７を介して第１可動シャッター部１８０の駆動用ラックギヤ部１８７と噛合する。
【００５７】
第１駆動モータ２３１は、図８に示すように、モータ取付ネジ２３１ａを用いて第１左側ギヤボックス部２２１に取り付けられる。第１駆動モータ２３１の第１モータシャフト２３２には、第１ピニオンギヤ２３３が結合される。第１中間ギヤ２３５は、第１中間ギヤシャフト２３４を用いて、第１左側ギヤボックス部２２１と第１右側ギヤボックス部２２６との内側に回転自在に取り付けられる。第１伝達ギヤ２３７は、第１伝達ギヤシャフト２３６を用いて、第１左側ギヤボックス部２２１と第１右側ギヤボックス部２２６との内側に回転自在に取り付けられる。第１ピニオンギヤ２３３は、第１駆動モータ２３１の回転駆動力を、第１中間ギヤ２３５および第１伝達ギヤ２３７を介して第１可動シャッタ
ー部１８０の駆動用ラックギヤ部１８７に伝達する。これにより、第１駆動モータ２３１の回転駆動力が駆動用ラックギヤ部１８７において直線運動の駆動力に変換され、第１シャッター駆動部２２０が第１可動シャッター部１８０を上下方向に駆動する。
【００５８】
なお、第１シャッター駆動部２２０は、演出制御ユニット４０５と電気的に接続され、演出制御ユニット４０５から送信された駆動制御信号に応じて、第１可動シャッター部１８０を駆動する。また、第１左側ギヤボックス部２２１には、第１可動シャッター部１８０の位置検出を行うための左側位置検出センサ２２４がセンサ取付ネジ２２４ａを用いて取り付けられる。第１右側ギヤボックス部２２６には、第１可動シャッター部１８０の位置検出を行うための右側位置検出センサ２２９がセンサ取付ネジ２２９ａを用いて取り付けられる。
【００５９】
また、前述したように、前面扉２０は、鉛直面に対し少しだけ前上方を向くように傾斜して基体部１０の開口部１０ａに取り付けられる。前面扉２０に設けられたリール表示窓２２も、これに合わせて前上方を向くように傾斜しているため、第１シャッター装置１１０ａは、リール表示窓２２の傾斜に合わせて前上方を向くように傾斜してエスカッション３６に取り付け固定される。装飾上、第１左側ギヤボックス部２２１および第１右側ギヤボックス部２２６の下面側が遊技者に視認されるのを防止するため、第１左側ギヤボックス部２２１および第１右側ギヤボックス部２２６の下部には、第１左側ギヤボックス部２２１および第１右側ギヤボックス部２２６の下面側を覆うようにカバー部材２６０が取り付けられる。
【００６０】
第２シャッター駆動部２４０は、第１シャッター駆動部２２０と同様に、第２左側ギヤボックス部（図示せず）と、第２右側ギヤボックス部２４６と、第２駆動モータ２５１と、第２ピニオンギヤ２５３と、第２中間ギヤ２５５と、第２伝達ギヤ２５７とを有して構成される。第２左側ギヤボックス部および第２右側ギヤボックス部２４６は、第１左側ギヤボックス部２２１および第１右側ギヤボックス部２２６と略上下対称（左右に延びる面対称）に形成され、結合ネジ（図示せず）を用いて互いに結合される。第２左側ギヤボックス部と第２右側ギヤボックス部２４６とが結合して形成されるギヤボックス内部に、第２ピニオンギヤ２５３と第２中間ギヤ２５５と第２伝達ギヤ２５７とが互いに噛合して回転自在に収容される。
【００６１】
そして、第２伝達ギヤ２５７が第２可動シャッター部２００の駆動用ラックギヤ部２０７と噛合するように、第２左側ギヤボックス部（図示せず）が左ガイド部材１２１Ｌの第２駆動側結合部（図示せず）と結合し、第２右側ギヤボックス部２４６が右ガイド部材１２１Ｒの第２駆動側結合部１２７Ｒと結合する。これにより、図９に示すように、第２ピニオンギヤ２５３が第２中間ギヤ２５５および第２伝達ギヤ２５７を介して第２可動シャッター部２００の駆動用ラックギヤ部２０７と噛合する。
【００６２】
第２駆動モータ２５１は、モータ取付ネジ（図示せず）を用いて第２右側ギヤボックス部２４６に取り付けられる。第２駆動モータ２５１の第２モータシャフト（図示せず）には、第２ピニオンギヤ２５３が結合される。第２中間ギヤ２５５は、第２中間ギヤシャフト（図示せず）を用いて、第２左側ギヤボックス部と第２右側ギヤボックス部２４６との内側に回転自在に取り付けられる。第２伝達ギヤ２５７は、第２伝達ギヤシャフト（図示せず）を用いて、第２左側ギヤボックス部と第２右側ギヤボックス部２４６との内側に回転自在に取り付けられる。第２ピニオンギヤ２５３は、第２駆動モータ２５１の回転駆動力を、第２中間ギヤ２５５および第２伝達ギヤ２５７を介して第２可動シャッター部２００の駆動用ラックギヤ部２０７に伝達する。これにより、第２駆動モータ２５１の回転駆動力が駆動用ラックギヤ部２０７において直線運動の駆動力に変換され、第２駆動モータ２５１が第２可動シャッター部２００を上下方向に駆動する。
【００６３】
なお、第２シャッター駆動部２４０は、演出制御ユニット４０５と電気的に接続され、演出制御ユニット４０５から送信された駆動制御信号に応じて、第２可動シャッター部２００を駆動する。また、第２左側ギヤボックス部と第２右側ギヤボックス部２４６には、第２可動シャッター部２００の位置検出を行うための左側位置検出センサと右側位置検出センサ（図示せず）が取り付けられる。
【００６４】
以上のように構成される第１シャッター装置１１０ａにおいて、第１可動シャッター部１８０および第２可動シャッター部２００を待機位置に移動させるには、第１シャッター駆動部２２０により第１可動シャッター部１８０を上方に移動させ、第２シャッター駆動部２４０により第２可動シャッター部２００を下方に移動させる。待機位置に移動した第１可動シャッター部１８０は、リール表示窓２２から見て第１固定シャッター部１４０の裏側に重なって隠れた状態となる。待機位置に移動した第２可動シャッター部２００は、リール表示窓２２から見て第２固定シャッター部１６０の裏側に重なって隠れた状態となる。なお、第１可動シャッター部１８０および第２可動シャッター部２００が待機位置に移動した状態では、リール表示窓２２で表示可能な第１リール１２ａの図柄３つ分の領域の全てを前方から視認することができる。
【００６５】
一方、第１可動シャッター部１８０および第２可動シャッター部２００を遮蔽位置に移動させるには、第１シャッター駆動部２２０により第１可動シャッター部１８０を下方に移動させ、第２シャッター駆動部２４０により第２可動シャッター部２００を上方に移動させる。遮蔽位置に移動した第１可動シャッター部１８０は、リール表示窓２２で表示可能な第１リール１２ａの図柄３つ分の領域のうち、第１リール１２ａの上側の図柄１つ分の上側領域を遮蔽する。遮蔽位置に移動した第２可動シャッター部２００は、リール表示窓２２で表示可能な第１リール１２ａの図柄３つ分の領域のうち、第１リール１２ａの下側の図柄１つ分の下側領域を遮蔽する。なお、第１可動シャッター部１８０および第２可動シャッター部２００が遮蔽位置に移動した状態では、リール表示窓２２で表示可能な第１リール１２ａの図柄３つ分の領域のうち、第１リール１２ａの中央の図柄１つ分の領域を前方から視認することができる。
【００６６】
第１可動シャッター部１８０が遮蔽位置に移動した状態で、右ガイドランプ基板１３１Ｒの第１ガイドランプ１３２Ｒを発光させると、第１ガイドランプ１３２Ｒから発光した光が右ガイド部材１２１Ｒの第１ランプ穴部１２３Ｒを通って第１可動側透光板１９６の右受光部１９７Ｒに入射する。また、左ガイドランプ基板の第１ガイドランプ（図示せず）を発光させると、第１ガイドランプから発光した光が左ガイド部材１２１Ｌの第１ランプ穴部１２３Ｌを通って第１可動側透光板１９６の左受光部１９７Ｌに入射する。第１可動側透光板１９６の右受光部１９７Ｒおよび左受光部１９７Ｌに入射した光は、第１可動側透光板１９６の内部を透過して、第１可動側透光板１９６の右先端側発光部１９８Ｒ、左先端側発光部１９８Ｌ、および基端側発光部１９９に導かれる。第１可動側透光板１９６により導かれた光が表面側の微細な凹凸で拡散して、右先端側発光部１９８Ｒおよび左先端側発光部１９８Ｌが発光するとともに、第１可動側透光板１９６により導かれた光が表面側から射出されて、基端側発光部１９９が発光する。これにより、遮蔽位置に移動した第１可動シャッター部１８０の左右の先端部（下端部）および基端側（上端側）を部分的に発光させることができる。
【００６７】
第２可動シャッター部２００が遮蔽位置に移動した状態で、右ガイドランプ基板１３１Ｒの第２ガイドランプ１３３Ｒを発光させると、第２ガイドランプ１３３Ｒから発光した光が右ガイド部材１２１Ｒの第２ランプ穴部１２６Ｒを通って第２可動側透光板２１６の右受光部（図示せず）に入射する。また、左ガイドランプ基板の第２ガイドランプ（図示せず）を発光させると、第２ガイドランプから発光した光が左ガイド部材１２１Ｌの第２
ランプ穴部１２６Ｌを通って第２可動側透光板２１６の左受光部（図示せず）に入射する。第２可動側透光板２１６の右受光部および左受光部に入射した光は、第２可動側透光板２１６の内部を透過して、第２可動側透光板２１６の右先端側発光部２１８Ｒ、左先端側発光部２１８Ｌ、および基端側発光部２１９に導かれる。第２可動側透光板２１６により導かれた光が表面側の微細な凹凸で拡散して、右先端側発光部２１８Ｒおよび左先端側発光部２１８Ｌが発光するとともに、第２可動側透光板２１６により導かれた光が表面側から射出されて、基端側発光部２１９が発光する。これにより、遮蔽位置に移動した第２可動シャッター部２００の左右の先端部（上端部）および基端側（下端側）を部分的に発光させることができる。
【００６８】
このように、第１実施形態によれば、左右のガイド部材１２１Ｌ，１２１Ｒに、遮蔽位置に移動した第１可動シャッター部１８０に向けて光を発光させることが可能な第１ガイドランプ１３２Ｒを有する左右のガイドランプ基板１３１Ｒが取り付けられ、第１可動シャッター部１８０は、遮蔽位置に移動したときに第１ガイドランプ１３２Ｒからの光によって発光することが可能な第１可動側透光板１９６（左右の先端側発光部１９８Ｌ，１９８Ｒおよび基端側発光部１９９）を有して構成されるため、第１可動シャッター部１８０にフレキシブルプリント基板等によるランプ基板を設けることなく、第１可動シャッター部１８０を発光させることが可能になる。また、左右のガイドランプ基板１３１Ｒは、遮蔽位置に移動した第２可動シャッター部２００に向けて光を発光させることが可能な第２ガイドランプ１３３Ｒを有し、第２可動シャッター部２００は、遮蔽位置に移動したときに第２ガイドランプ１３３Ｒからの光によって発光することが可能な第２可動側透光板２１６（左右の先端側発光部２１８Ｌ，２１８Ｒおよび基端側発光部２１９）を有して構成されるため、第２可動シャッター部２００にフレキシブルプリント基板等によるランプ基板を設けることなく、第２可動シャッター部２００を発光させることが可能になる。そのため、簡便な構成で、第１可動シャッター部１８０または第２可動シャッター部２００を発光させる多彩な演出を行うことができる。
【００６９】
なお、第１固定シャッター部１４０において、第１固定側ランプ基板１５１の中央発光ランプ１５２を発光させると、中央発光ランプ１５２から発光した光が第１固定側透光板１５６を透過し、第１固定側透光板１５６の中央発光部１５７が発光する。また、第１固定側ランプ基板１５１の帯状発光ランプ１５３を発光させると、帯状発光ランプ１５３から発光した光が第１固定側透光板１５６を透過し、第１固定側透光板１５６の帯状発光部１５８が拡散シート１５９を介して発光する。これにより、第１固定シャッター部１４０の中央部および先端側（下端側）を部分的に発光させることができる。
【００７０】
また、第２固定シャッター部１６０において、第２固定側ランプ基板の中央発光ランプ（図示せず）を発光させると、中央発光ランプから発光した光が第２固定側透光板１７６を透過し、第２固定側透光板１７６の中央発光部１７７が発光する。また、第２固定側ランプ基板の帯状発光ランプ（図示せず）を発光させると、帯状発光ランプから発光した光が第２固定側透光板１７６を透過し、第２固定側透光板１７６の帯状発光部１７８が拡散シート（図示せず）を介して発光する。これにより、第２固定シャッター部１６０の中央部および先端側（上端側）を部分的に発光させることができる。
【００７１】
［演出表示装置の構成］
次に、第１実施形態に係る演出表示装置３００について図１１〜図１３を参照して説明する。演出表示装置３００は、液晶表示部３１０と、発光演出部３６０とを有して構成される。演出表示装置３００は、前面扉２０の後面側におけるリールシャッターユニット１００の右上方に取り付け固定される。液晶表示部３１０は、装飾枠部材３１１と、保護カバー３１６と、表側枠部材３２１と、液晶パネル３２６と、中間枠部材３３１と、液晶シャッター３３６と、導光板３４１と、バックランプ基板３４６と、裏側枠部材３５１とを
有して構成される。
【００７２】
装飾枠部材３１１は、樹脂材料を用いて、液晶パネル３２６の外周形状に合わせて前面側に装飾が施された枠状に形成される。装飾枠部材３１１の後側には、保護カバー３１６が表側枠部材３２１とともに重ねて取り付けられ、装飾枠部材３１１に囲まれた開口領域が保護カバー３１６によって塞がれるようになっている。保護カバー３１６は、透明樹脂材料を用いて、装飾枠部材３１１および表側枠部材３２１の開口領域に合わせて形成された長方形の板状に形成される。
【００７３】
表側枠部材３２１は、樹脂材料を用いて、液晶パネル３２６の外周形状に合わせた枠状に形成される。表側枠部材３２１の前面側には、保護カバー３１６を受容可能なカバー受容部３２２が凹設される。表側枠部材３２１は、カバー受容部３２２に保護カバー３１６を受容した状態で、装飾枠部材３１１の後側に重ねて結合される。
【００７４】
液晶パネル３２６は、長方形状に形成され、表側枠部材３２１と中間枠部材３３１との間に取り付けられる。液晶パネル３２６は、発光演出部３６０に収容された駆動用回路基板３９１を介して、演出制御ユニット４０５と電気的に接続され、演出制御ユニット４０５から伝送された画像データに基づいて、遊技に関連した演出画像を画面上に表示することができるようになっている。
【００７５】
中間枠部材３３１は、樹脂材料を用いて、液晶パネル３２６の外周形状に合わせた枠状に形成される。中間枠部材３３１の前面側には、液晶パネル３２６を受容可能なパネル受容部３３２が凹設される。中間枠部材３３１の後側に、液晶シャッター３３６、導光板３４１、およびバックランプ基板３４６を挟むようにして裏側枠部材３５１が結合される。中間枠部材３３１は、パネル受容部３３２に液晶パネル３２６を受容した状態で、裏側枠部材３５１とともに表側枠部材３２１の後側に重ねて結合される。
【００７６】
液晶シャッター３３６は、液晶を用いて、液晶パネル３２６の形状に合わせた長方形状に形成される。液晶シャッター３３６は、中間枠部材３３１を介して、液晶パネル３２６の裏面側（後面側）に重なるように配置される。また、液晶シャッター３３６は、導光板３４１の表面側（前面側）に重なるようにして、中間枠部材３３１と裏側枠部材３５１との間に取り付けられる。液晶シャッター３３６は、液晶パネル３２６の裏側を視認可能な透過状態と、液晶パネル３２６の裏側を遮る遮蔽状態とに、電気的に切り替え可能に構成される。液晶シャッター３３６は、駆動用回路基板３９１を介して、演出制御ユニット４０５と電気的に接続され、演出制御ユニット４０５から送信された画像制御信号に基づいて、上述した透過状態と遮蔽状態とに切り替えることができる。これにより、演出表示装置３００は、液晶シャッター３３６が遮蔽状態のときに液晶パネル３２６による画像表示を視認させ、液晶シャッター３３６が透過状態のときに発光演出部３６０による発光演出を視認させることができる。
【００７７】
導光板３４１は、透明樹脂材料を用いて、液晶パネル３２６の形状に合わせた長方形の板状に形成される。導光板３４１は、液晶シャッター３３６の裏面側（後面側）に重なるように配置される。導光板３４１の裏面（後面）全体には、微細な凹凸（ドットパターン）からなる凹凸面３４４が形成されており、導光板３４１の縁部３４２に入射した光を裏側の凹凸面３４４で反射させて、表側の射出面３４３から全面的に光を射出させることができるようになっている。
【００７８】
バックランプ基板３４６は、導光板３４１の左側の縁部３４２と略平行に上下に細長く延びる板状に形成され、実装面に複数並んで配設されたバックランプ３４７を有して構成される。バックランプ基板３４６は、上下に並ぶ複数のバックランプ３４７が導光板３４
１の縁部３４２と対向するように配置される。これにより、バックランプ３４７から発光した光を導光板３４１の縁部３４２に入射させることができる。バックランプ基板３４６は、駆動用回路基板３９１を介して、演出制御ユニット４０５と電気的に接続され、演出制御ユニット４０５から送信された画像制御信号に基づいて、バックランプ３４７の発光制御を行う。
【００７９】
裏側枠部材３５１は、樹脂材料を用いて、液晶パネル３２６の外周形状に合わせた枠状に形成される。裏側枠部材３５１の前面側には、液晶シャッター３３６、導光板３４１、およびバックランプ基板３４６を受容可能なランプ受容部３５２が凹設される。裏側枠部材３５１は、ランプ受容部３５２に液晶シャッター３３６、導光板３４１、およびバックランプ基板３４６を受容した状態で、中間枠部材３３１の後側に重ねて結合される。
【００８０】
発光演出部３６０は、中央発光部材３６１と、周辺発光部材３６６と、内カバー部材３７１と、保持板３７６と、発光演出ランプ基板３８１と、ケース部材３９６とを有して構成される。発光演出部３６０は、液晶表示部３１０の裏側（後側）に結合され、中央発光部材３６１または周辺発光部材３６６から発光した光を導光板３４１の裏側（凹凸面３４４）に入射させて射出面３４３から射出させることにより、発光演出を行うことができるようになっている。
【００８１】
中央発光部材３６１は、透明もしくは半透明の樹脂材料を用いて、装飾が施されたブロック状に形成される。中央発光部材３６１は、発光演出ランプ基板３８１に設けられた中央発光演出ランプ３８２からの光を透過させて発光可能に構成される。周辺発光部材３６６は、透明もしくは半透明の樹脂材料を用いて、装飾が施された板状に形成される。周辺発光部材３６６の中央部には、中央発光部材３６１が挿通される中央発光部材挿通孔３６７が形成される。周辺発光部材３６６は、発光演出ランプ基板３８１に設けられた周辺発光演出ランプ３８３からの光を透過させて中央発光部材３６１の周辺部で発光可能に構成される。
【００８２】
内カバー部材３７１は、樹脂材料を用いて、前方が開口して周辺発光部材３６６を収容可能な箱状に形成される。周辺発光部材３６６は、樹脂ファスナー等の結合部材（図示せず）を用いて、内カバー部材３７１の後壁部の前面側（表側）に結合される。内カバー部材３７１の後壁部中央には、中央発光部材３６１が挿通される発光部材挿通孔３７２が形成される。内カバー部材３７１の後壁部上下には、発光演出ランプ基板３８１の周辺発光演出ランプ３８３を周辺発光部材３６６に向けて露出させるランプ開口部３７３が形成される。
【００８３】
保持板３７６は、樹脂材料を用いて、内カバー部材３７１の後壁部の形状に合わせた板状に形成される。保持板３７６は、樹脂ファスナー等の結合部材（図示せず）を用いて、内カバー部材３７１の後壁部の後面側（裏側）に結合される。保持板３７６の中央部には、内カバー部材３７１の発光部材挿通孔３７２に挿通された中央発光部材３６１が係合する発光部材固定部３７７が形成される。これにより、中央発光部材３６１は、保持板３７６によって内カバー部材３７１の内側に収容保持される。発光部材固定部３７７は、前方に突出する筒状に形成され、発光演出ランプ基板３８１の中央発光演出ランプ３８２を中央発光部材３６１に向けて露出させるようになっている。保持板３７６の上下には、発光演出ランプ基板３８１の周辺発光演出ランプ３８３を周辺発光部材３６６に向けて露出させるランプ開口部３７８が形成される。
【００８４】
発光演出ランプ基板３８１は、内カバー部材３７１の後壁部の形状に合わせた板状に形成され、樹脂ファスナー等の結合部材（図示せず）を用いて、保持板３７６の後面側（裏面側）に結合される。発光演出ランプ基板３８１は、表側の実装面の中央部に複数配設さ
れた中央発光演出ランプ３８２と、実装面の上下に複数配設された周辺発光演出ランプ３８３とを有して構成される。発光演出ランプ基板３８１は、演出制御ユニット４０５と電気的に接続され、演出制御ユニット４０５から送信されたランプ制御信号に応じて、中央発光演出ランプ３８２および周辺発光演出ランプ３８３の発光制御を行う。発光演出ランプ基板３８１の裏側に支持枠３８６が取り付けられており、この支持枠３８６により、液晶表示部３１０を駆動する駆動用回路基板３９１が発光演出ランプ基板３８１に対して略平行に支持される。
【００８５】
ケース部材３９６は、光を反射しやすい白色の樹脂材料を用いて、前方が開口した箱状に形成され、中央発光部材３６１および周辺発光部材３６６が収容された内カバー部材３７１、保持板３７６、および発光演出ランプ基板３８１等を収容するようになっている。ケース部材３９６は、結合ネジ３５９を用いて、液晶表示部３１０の裏側（後側）を覆うように装飾枠部材３１１と結合される。これにより、発光演出部３６０が液晶表示部３１０の裏側（後側）に結合される。
【００８６】
以上のように構成される演出表示装置３００は、液晶シャッター３３６を遮蔽状態にするとともにバックランプ基板３４６のバックランプ３４７を発光させて、液晶パネル３２６に画像を表示させる画像表示状態と、液晶シャッター３３６を透過状態にするとともにバックランプ３４７を消光させて、発光演出部３６０に発光演出を行わせる発光演出状態とに切り替えることができるように構成されている。演出表示装置３００が画像表示状態に切り替わる場合、液晶シャッター３３６が液晶パネル３２６の裏側を遮る遮蔽状態に切り替わるため、液晶パネル３２６の裏側に配置された中央発光部材３６１および周辺発光部材３６６が液晶シャッター３３６によって遮蔽された状態になる。
【００８７】
このとき、液晶シャッター３３６は、遮蔽状態では光を拡散させるため、導光板３４１の射出面３４３から射出されたバックランプ３４７からの光は、液晶シャッター３３６により拡散されて液晶パネル３２６の裏側に達する。これにより、液晶パネル３２６は、バックランプ３４７からの光によって裏側（後側）から均一に照明され、画面上に画像を表示することが可能になる。なお、導光板３４１の射出面３４３から射出されたバックランプ３４７からの光は、遮蔽状態の液晶シャッター３３６を透過する際に拡散されるため、液晶パネル３２６の画素ピッチと導光板３４１の凹凸面３４４における凹凸ピッチとの関係で生じるモアレを防止することができる。
【００８８】
一方、演出表示装置３００が発光演出状態に切り替わる場合、液晶シャッター３３６が液晶パネル３２６の裏側を視認可能な透過状態に切り替わるため、液晶パネル３２６、液晶シャッター３３６、および導光板３４１を通じて、液晶パネル３２６の裏側に配置された中央発光部材３６１および周辺発光部材３６６を視認することが可能になる。このとき、液晶パネル３２６に画像表示を停止させるとともにバックランプ３４７を消光させ、発光演出ランプ基板３８１の中央発光演出ランプ３８２および周辺発光演出ランプ３８３を発光させる。これにより、中央発光演出ランプ３８２からの光が透過して中央発光部材３６１が発光し、周辺発光演出ランプ３８３からの光が透過して周辺発光部材３６６が発光し、中央発光部材３６１および周辺発光部材３６６から発光した光は、導光板３４１の裏側（凹凸面３４４）に入射して射出面３４３から射出される。そのため、液晶パネル３２６、液晶シャッター３３６、および導光板３４１を通じて、中央発光部材３６１および周辺発光部材３６６を明瞭に視認することができる。
【００８９】
このように、第１実施形態によれば、演出表示装置３００が、一般的な液晶表示装置で使用されるバックランプ用の導光板と液晶パネルとのモアレ干渉縞を抑制するため、導光板の前側に配置される拡散シート等の拡散部材を備えることなく、液晶シャッター３３６を遮蔽状態にして液晶パネル３２６に画像を表示させる画像表示状態と、液晶シャッター
３３６を透過状態にして発光演出部３６０に発光演出を行わせる発光演出状態とに切り替えることができるように構成される。そのため、薄型で簡便な構成で、演出表示装置３００が画像表示状態と発光演出状態とに切り替わる多彩な演出を行うことができる。
【００９０】
［上部マスクユニットの構成］
次に、第１実施形態に係る上部マスクユニット４００について図１４〜図１５を参照して説明する。上部マスクユニット４００は、図１４に示すように、上部マスク４１１と、第１上部エスカッション４２０と、第２上部エスカッション４２５と、保護カバー４２８と、画像表示装置４０１（図１４において図示を省略）と、左右の上部スピーカーユニット４０６，４０７とを主体に構成される。画像表示装置４０１は、画面が前方を向くように第１上部エスカッション４２０の後側に取り付けられる。画像表示装置４０１の後面側には、演出制御ユニット４０５が取り付けられる（図３を参照）。画像表示装置４０１は、演出制御ユニット４０５と電気的に接続され、演出制御ユニット４０５から送信された画像制御信号に応じて、画面上に所定の演出画像を表示する。
【００９１】
上部マスク４１１は、樹脂材料を用いて、中央に窓穴部４１２を有したブロック状に形成される。上部マスク４１１の窓穴部４１２の後側に、保護カバー４２８、第２上部エスカッション４２５、第１上部エスカッション４２０、および画像表示装置４０１が、この順に後方へ並んで取り付けられる。上部マスク４１１の前面側における窓穴部４１２の周辺部には、窓穴部４１２の輪郭に沿って線状に延びる発光可能な電飾部４１５が設けられる。
【００９２】
上部マスク４１１の右側には、右上部スピーカーユニット４０７が取り付けられる右スピーカー取付部４１４が形成される。右スピーカー取付部４１４は、前後に貫通した穴状に形成される。右スピーカー取付部４１４の内側には、右上部スピーカーユニット４０７と、右上部スピーカーユニット４０７の後側を覆う右側リヤスピーカーカバー４６１とが後方から挿通されて取り付けられる。右スピーカー取付部４１４の前部には、右上部スピーカーユニット４０７の前側を覆う右側フロントスピーカーカバー４６３と、右側フロントスピーカーカバー４６３の外周部を覆う右スピーカー電飾部材４６５とが取り付けられる。
【００９３】
右側リヤスピーカーカバー４６１は、透明樹脂材料を用いて、右上部スピーカーユニット４０７の側面部および後面部を覆うこと可能な有底円筒状に形成される。右側フロントスピーカーカバー４６３は、樹脂材料を用いて、スピーカーのコーン紙の形状を模した円盤状に形成される。右スピーカー電飾部材４６５は、透明樹脂材料を用いて、右側フロントスピーカーカバー４６３の外周形状に合わせた円環状に形成される。右スピーカー電飾部材４６５は、図１５に示すように、右スピーカー取付部４１４の前部に取り付けられた状態で、右側フロントスピーカーカバー４６３の外周部を覆うとともに、右側リヤスピーカーカバー４６１の前縁部と近接して対向するようになっている。
【００９４】
図１４に示すように、上部マスク４１１の左側には、左上部スピーカーユニット４０６が取り付けられる左スピーカー取付部４１３が形成される。左スピーカー取付部４１３は、前後に貫通した穴状に形成される。左スピーカー取付部４１３の内側には、左上部スピーカーユニット４０６と、左上部スピーカーユニット４０６の後側を覆う左側リヤスピーカーカバー４５１とが後方から挿通されて取り付けられる。左スピーカー取付部４１３の前部には、左上部スピーカーユニット４０６の前側を覆う左側フロントスピーカーカバー４５３と、左側フロントスピーカーカバー４５３の外周部を覆う左スピーカー電飾部材４５５とが取り付けられる。
【００９５】
左側リヤスピーカーカバー４５１は、透明樹脂材料を用いて、左上部スピーカーユニッ
ト４０６の側面部および後面部を覆うこと可能な有底円筒状に形成される。左側フロントスピーカーカバー４５３は、樹脂材料を用いて、スピーカーのコーン紙の形状を模した円盤状に形成される。左スピーカー電飾部材４５５は、透明樹脂材料を用いて、左側フロントスピーカーカバー４５３の外周形状に合わせた円環状に形成される。左スピーカー電飾部材４５５は、左スピーカー取付部４１３の前部に取り付けられた状態で、左側フロントスピーカーカバー４５３の外周部を覆うとともに、左側リヤスピーカーカバー４５１の前縁部と近接して対向するようになっている。
【００９６】
第１上部エスカッション４２０は、樹脂材料を用いて、上部マスク４１１の窓穴部４１２の形状に合わせた枠状に形成される。第１上部エスカッション４２０の左枠部および上枠部左側には、左側基板取付部４２１が形成され、この左側基板取付部４２１の前面側に左側上部ランプ基板４３０が取り付けられる。第１上部エスカッション４２０の右枠部および上枠部右側には、右側基板取付部４２２が形成され、この右側基板取付部４２２の前面側に右側上部ランプ基板４３５が取り付けられる。第１上部エスカッション４２０の下枠部には、下側基板取付部４２３が形成され、この下側基板取付部４２３の下面側に下側上部ランプ基板４４０が取り付けられる。
【００９７】
また、第１上部エスカッション４２０の前面側には、第２上部エスカッション４２５が左側上部ランプ基板４３０および右側上部ランプ基板４３５の一部を覆うように結合される。第２上部エスカッション４２５の後面側には、左側上部ランプ基板４３０および右側上部ランプ基板４３５の一部と対向するように枠状導光部材４４５が取り付けられる。
【００９８】
左側上部ランプ基板４３０は、略Ｌ字形に拡がる板状に形成される。左側上部ランプ基板４３０の右側の実装面には、左側上部液晶ランプ４３１が直線状に並んで複数配設される。左側上部液晶ランプ４３１は、枠状導光部材４４５と近接して対向するように配置され、枠状導光部材４４５に入射する光を発光可能に構成される。左側上部ランプ基板４３０の左側の実装面には、左側上部スピーカーランプ４３２が円弧状に並んで複数配設される。左側上部スピーカーランプ４３２は、左側リヤスピーカーカバー４５１の後部と対向するように配置され、左側リヤスピーカーカバー４５１に入射する光を発光可能に構成される。左側上部ランプ基板４３０は、演出制御ユニット４０５と電気的に接続され、演出制御ユニット４０５から送信されたランプ制御信号に応じて、左側上部液晶ランプ４３１および上部スピーカーランプ４３２の発光制御を行う。
【００９９】
右側上部ランプ基板４３５は、略Ｌ字形に拡がる板状に形成される。右側上部ランプ基板４３５の左側の実装面には、右側上部液晶ランプ４３６が直線状に並んで複数配設される。右側上部液晶ランプ４３６は、枠状導光部材４４５と対向するように配置され、枠状導光部材４４５に入射する光を発光可能に構成される。右側上部ランプ基板４３５の右側の実装面には、右側上部スピーカーランプ４３７が円弧状に並んで複数配設される。右側上部スピーカーランプ４３７は、右側リヤスピーカーカバー４６１の後部と対向するように配置され（図１５を参照）、右側リヤスピーカーカバー４６１に入射する光を発光可能に構成される。右側上部ランプ基板４３５は、演出制御ユニット４０５と電気的に接続され、演出制御ユニット４０５から送信されたランプ制御信号に応じて、右側上部液晶ランプ４３６および右側上部スピーカーランプ４３７の発光制御を行う。
【０１００】
下側上部ランプ基板４４０は、第１上部エスカッション４２０の下枠部に沿って左右に細長く延びる板状に形成される。上方を向く下側上部ランプ基板４４０の実装面には、下側上部液晶ランプ４４１が直線状に並んで複数配設される。下側上部液晶ランプ４４１は、枠状導光部材４４５と対向するように配置され、枠状導光部材４４５に入射する光を発光可能に構成される。下側上部ランプ基板４４０は、演出制御ユニット４０５と電気的に接続され、演出制御ユニット４０５から送信されたランプ制御信号に応じて、下側上部液
晶ランプ４４１の発光制御を行う。
【０１０１】
第２上部エスカッション４２５は、樹脂材料を用いて、上部マスク４１１の窓穴部４１２の形状に合わせた枠状に形成される。第２上部エスカッション４２５は、第２上部エスカッション４２５の後面側に取り付けられた枠状導光部材４４５とともに、第１上部エスカッション４２０の前面側に結合される。第２上部エスカッション４２５の上側外周部には、壁状の仕切り部４２６が形成され、左側上部液晶ランプ４３１、右側上部液晶ランプ４３６、および下側上部液晶ランプ４４１から枠状導光部材４４５に入射した光が外周側に漏れないようになっている。仕切り部４２６の左右には、左側上部スピーカーランプ４３２および右側上部スピーカーランプ４３７の配置に合わせて湾曲した湾曲仕切り部４２７が形成され、左側上部スピーカーランプ４３２および右側上部スピーカーランプ４３７から発光した光が枠状導光部材４４５に入射しないようになっている。
【０１０２】
枠状導光部材４４５は、透明樹脂材料を用いて、第２上部エスカッション４２５の形状に合わせた枠状に形成される。枠状導光部材４４５は、第２上部エスカッション４２５の後面側に取り付けられ、左側上部液晶ランプ４３１、右側上部液晶ランプ４３６、および下側上部液晶ランプ４４１から発光した光を透過させて内周側に向けて発光可能に構成される。これにより、枠状導光部材４４５は、枠状導光部材４４５の内周側に向けて光を発光させて、画像表示装置４０１の画面の前方近傍を照明することができ、より多彩な演出を行うことが可能になる。
【０１０３】
保護カバー４２８は、透明の樹脂材料を用いて、上部マスク４１１の窓穴部４１２の形状に合わせた板状に形成される。保護カバー４２８は、第２上部エスカッション４２５の前面側に重ねられて上部マスク４１１の後側から窓穴部４１２を塞ぐように取り付けられる。これにより、画像表示装置４０１の前方が保護カバー４２８に覆われて、上部マスク４１１の窓穴部４１２を塞ぐ保護カバー４２８を通じて、画像表示装置４０１の画面を視認することができる。
【０１０４】
以上のように構成される上部マスクユニット４００において、左側上部ランプ基板４３０の左側上部スピーカーランプ４３２から発光した光は、左側リヤスピーカーカバー４５１の後部に入射する。左側リヤスピーカーカバー４５１に入射した光は、左側リヤスピーカーカバー４５１を透過して左側リヤスピーカーカバー４５１の前縁部から射出される。左側リヤスピーカーカバー４５１の前縁部から射出された光は、左スピーカー電飾部材４５５を透過し、左側上部スピーカーランプ４３２から発光した光によって左スピーカー電飾部材４５５が発光する。これにより、あたかも左上部スピーカーユニット４０６の外周部が発光しているように視認させることが可能になる。
【０１０５】
一方、右側上部ランプ基板４３５の右側上部スピーカーランプ４３７から発光した光は、右側リヤスピーカーカバー４６１の後部に入射する。右側リヤスピーカーカバー４６１に入射した光は、右側リヤスピーカーカバー４６１を透過して右側リヤスピーカーカバー４６１の前縁部から射出される。右側リヤスピーカーカバー４６１の前縁部から射出された光は、右スピーカー電飾部材４６５を透過し、右側上部スピーカーランプ４３７から発光した光によって右スピーカー電飾部材４６５が発光する。これにより、あたかも右上部スピーカーユニット４０７の外周部が発光しているように視認させることが可能になる。このように、第１実施形態によれば、画像表示装置４０１の照明に用いられるランプ基板（左側上部ランプ基板４３０および右側上部ランプ基板４３５）を利用して、左右の上部スピーカーユニット４０６，４０７の前方を照明することができるので、簡便な構成で、より多彩な演出を行うことが可能になる。
【０１０６】
［第１実施形態における特徴構成］
［リールシャッターユニットの特徴構成］
本実施形態において、第１シャッター装置１１０ａ（第２シャッター装置１１０ｂおよび第３シャッター装置１１０ｃ）は、左右のガイド部材１２１Ｌ，１２１Ｒに取り付けられて、遮蔽位置に移動した第１可動シャッター部１８０に向けて光を発光させることが可能な第１ガイドランプ１３２Ｒを有する左右のガイドランプ基板１３１Ｒを備え、第１可動シャッター部１８０は、遮蔽位置に移動したときに第１ガイドランプ１３２Ｒからの光によって発光することが可能な第１可動側透光板１９６（左右の先端側発光部１９８Ｌ，１９８Ｒおよび基端側発光部１９９）を有して構成される。これにより、第１可動シャッター部１８０にフレキシブルプリント基板等によるランプ基板を設けることなく、第１可動シャッター部１８０を発光させることが可能になる。また、左右のガイドランプ基板１３１Ｒは、遮蔽位置に移動した第２可動シャッター部２００に向けて光を発光させることが可能な第２ガイドランプ１３３Ｒを有し、第２可動シャッター部２００は、遮蔽位置に移動したときに第２ガイドランプ１３３Ｒからの光によって発光することが可能な第２可動側透光板２１６（左右の先端側発光部２１８Ｌ，２１８Ｒおよび基端側発光部２１９）を有して構成される。これにより、第２可動シャッター部２００にフレキシブルプリント基板等によるランプ基板を設けることなく、第２可動シャッター部２００を発光させることが可能になる。そのため、簡便な構成で、第１可動シャッター部１８０または第２可動シャッター部２００を発光させる多彩な演出を行うことができる。また、第１可動シャッター部１８０および第２可動シャッター部２００に配線等が配設されないため、各リール１２ａ，１２ｂ，１２ｃ，１２ｄの回転に伴う配線等の挟み込みが生じることもない。
【０１０７】
また、左右のガイド部材１２１Ｌ，１２１Ｒは、遮蔽位置に移動した第１可動シャッター部１８０と対向するように形成された第１ランプ穴部１２３Ｌ，１２３Ｒを有し、左右のガイドランプ基板１３１Ｒが第１ランプ穴部１２３Ｌ，１２３Ｒを覆うように左右のガイド部材１２１Ｌ，１２１Ｒに取り付けられる。これにより、第１可動シャッター部１８０が遮蔽位置に移動したときに第１ランプ穴部１２３Ｌ，１２３Ｒを塞ぐように構成されることで、第１ガイドランプ１３２Ｒからの光が第１可動側透光板１９６のみを透過することができる。また、左右のガイド部材１２１Ｌ，１２１Ｒは、遮蔽位置に移動した第２可動シャッター部２００と対向するように形成された第２ランプ穴部１２６Ｌ，１２６Ｒを有し、左右のガイドランプ基板１３１Ｒが第２ランプ穴部１２６Ｌ，１２６Ｒを覆うように左右のガイド部材１２１Ｌ，１２１Ｒに取り付けられる。これにより、第２可動シャッター部２００が遮蔽位置に移動したときに第２ランプ穴部１２６Ｌ，１２６Ｒを塞ぐように構成されることで、第２ガイドランプ１３３Ｒからの光が第２可動側透光板２１６のみを透過することができる。そのため、第１ガイドランプ１３２Ｒまたは第２ガイドランプ１３３Ｒからの不要な光が、第１シャッター装置１１０ａ（第２シャッター装置１１０ｂおよび第３シャッター装置１１０ｃ）の外部側（例えば、各リール１２ａ，１２ｂ，１２ｃ，１２ｄの前面側）に漏れるのを防止することができる。また、第１ガイドランプ１３２Ｒおよび第２ガイドランプ１３３Ｒが第１可動側透光板１９６および第２可動側透光板２１６の近傍に配置されるため、フレキシブルプリント基板等によるランプ基板が設けられていなくても、第１可動シャッター部１８０および第２可動シャッター部２００を明るく発光させることができる。
【０１０８】
また、第１シャッター装置１１０ａ（第２シャッター装置１１０ｂおよび第３シャッター装置１１０ｃ）は、左右のガイド部材１２１Ｌ，１２１Ｒに固定された第１固定シャッター部１４０を備え、第１可動シャッター部１８０は、第１固定シャッター部１４０と重なる待機位置と、第１固定シャッター部１４０に対し直線的にスライド移動した遮蔽位置とに、左右のガイド部材１２１Ｌ，１２１Ｒに沿って往復移動可能に構成される。また、第１シャッター装置１１０ａは、左右のガイド部材１２１Ｌ，１２１Ｒに固定された第２固定シャッター部１６０を備え、第２可動シャッター部２００は、第２固定シャッター部１６０と重なる待機位置と、第２固定シャッター部１６０に対し直線的にスライド移動し
た遮蔽位置とに、左右のガイド部材１２１Ｌ，１２１Ｒに沿って往復移動可能に構成される。このように、第１固定シャッター部１４０および第２固定シャッター部１６０と、第１可動シャッター部１８０および第２可動シャッター部２００とを備える複雑な構成であっても、簡便な構成で、第１可動シャッター部１８０または第２可動シャッター部２００を発光させる多彩な演出を行うことができる。
【０１０９】
［演出表示装置の特徴構成］
また、本実施形態において、演出表示装置３００が、一般的な液晶表示装置で使用されるバックランプ用の導光板と液晶パネルとのモアレ干渉縞を抑制するため、導光板の前側に配置される拡散シート等の拡散部材を備えることなく、液晶シャッター３３６を遮蔽状態にして液晶パネル３２６に画像を表示させる画像表示状態と、液晶シャッター３３６を透過状態にして発光演出部３６０に発光演出を行わせる発光演出状態とに切り替えることができるように構成される。そのため、薄型で簡便な構成で、演出表示装置３００が画像表示状態と発光演出状態とに切り替わる多彩な演出を行うことができる。
【０１１０】
また、演出表示装置３００は、液晶シャッター３３６を遮蔽状態にするとともにバックランプ基板３４６のバックランプ３４７を発光させて、液晶パネル３２６に画像を表示させる画像表示状態と、液晶シャッター３３６を透過状態にするとともにバックランプ３４７を消光させて、発光演出部３６０に発光演出を行わせる発光演出状態とに切り替えることができるように構成される。これにより、発光演出状態に切り替えたときにバックランプ３４７を消光させるため、バックランプ３４７からの光によって、発光演出部３６０による発光演出の視認性が低下するのを防止することができる。そのため、発光演出状態に切り替えたときに、発光演出部３６０による発光演出を明瞭に視認させることができる。
【０１１１】
上述の第１実施形態において、第１シャッター装置１１０ａは、第１可動シャッター部１８０（および第１固定シャッター部１４０）と第２可動シャッター部２００（および第２固定シャッター部１６０）を備えて構成されているが、これに限られるものではなく、第１可動シャッター部１８０（および第１固定シャッター部１４０）と第２可動シャッター部２００（および第２固定シャッター部１６０）のうち一方を備える構成であってもよい。
【０１１２】
上述の第１実施形態において、第１シャッター装置１１０ａは、第１固定シャッター部１４０および第２固定シャッター部１６０と、第１可動シャッター部１８０および第２可動シャッター部２００とを備えているが、これに限られるものではなく、第１可動シャッター部１８０および第２可動シャッター部２００のみを備える構成であってもよい。
【０１１３】
上述の第１実施形態において、第１シャッター装置１１０ａ（第２シャッター装置１１０ｂおよび第３シャッター装置１１０ｃ）は、リール表示窓２２の後面側に設けられているが、これに限られるものではなく、上部マスク４１１における画像表示装置４０１の前方に設けられるようにしてもよい。
【０１１４】
上述の第１実施形態において、第１可動シャッター部１８０および第２可動シャッター部２００は、左右のガイド部材１２１Ｌ，１２１Ｒに沿って直線的に往復移動可能に構成されているが、これに限られるものではない。例えば、第１可動シャッター部および第２可動シャッター部は、扇形の板状に形成され、円弧状に略平行に延びて形成された一対のガイド部材に沿って、曲線的（円弧状）に往復移動可能に構成されてもよい。このようにしても、一対のガイド部材の少なくともいずれかにガイドランプを設けることにより、上述の第１実施形態と同様に、フレキシブルプリント基板等によるランプ基板を設けることなく、第１可動シャッター部および第２可動シャッター部を発光させることが可能である。
【０１１５】
上述の第１実施形態において、第１シャッター装置１１０ａの第１固定シャッター部１４０は、拡散シート１５９を有して構成されているが、これに限られるものではなく、拡散シート１５９を有していなくてもよい。なおこの場合、光を拡散させることが可能な微細な凹凸が第１固定側透光板１５６の帯状発光部１５８等に形成されるようにしてもよい。また同様に、第１シャッター装置１１０ａの第２固定シャッター部１６０は、拡散シート（図示せず）を有して構成されているが、これに限られるものではなく、拡散シートを有していなくてもよい。なおこの場合、光を拡散させることが可能な微細な凹凸が第２固定側透光板１７６の帯状発光部１７８等に形成されるようにしてもよい。
【０１１６】
上述の第１実施形態において、第１シャッター装置１１０ａの第１可動側透光板１９６は、光を拡散させることが可能な微細な凹凸が右先端側発光部１９８Ｒおよび左先端側発光部１９８Ｌの表面に形成されるように構成されているが、これに限られるものではない。例えば、右先端側発光部１９８Ｒ、左先端側発光部１９８Ｌ、および基端側発光部１９９を拡散発光させるための拡散シートが第１可動側透光板１９６の裏面側（後面側）に重ねて設けられるようにしてもよい。また同様に、第１シャッター装置１１０ａの第２可動側透光板２１６は、光を拡散させることが可能な微細な凹凸が右先端側発光部２１８Ｒおよび左先端側発光部２１８Ｌの表面に形成されるように構成されているが、これに限られるものではない。例えば、右先端側発光部２１８Ｒ、左先端側発光部２１８Ｌ、および基端側発光部２１９を拡散発光させるための拡散シートが第２可動側透光板２１６の裏面側（後面側）に重ねて設けられるようにしてもよい。
【０１１７】
上述の第１実施形態において、第１および第２ガイドランプ１３２Ｒ，１３３Ｒを有する左右のガイドランプ基板１３１Ｒが左右のガイド部材１２１Ｌ，１２１Ｒに取り付けられているが、これに限られるものではない。例えば、第１固定シャッター部１４０の第１固定側ランプ基板１５１の裏面側（後面側）に、遮蔽位置に移動した第１可動シャッター部１８０に向けて（下方に）光を発光させることが可能なサイドビュータイプのＬＥＤランプが設けられ、第２固定シャッター部１６０の第２固定側ランプ基板（図示せず）の裏面側（後面側）に、遮蔽位置に移動した第２可動シャッター部２００に向けて（上方に）光を発光させることが可能なサイドビュータイプのＬＥＤランプが設けられるようにしてもよい。また例えば、第１シャッター装置１１０ａ（第２シャッター装置１１０ｂおよび第３シャッター装置１１０ｃ）の上方に位置するエスカッション３６の上枠部に、遮蔽位置に移動した第１可動シャッター部１８０に向けて（下方に）光を発光させることが可能な（サイドビュータイプもしくはトップビュータイプの）ＬＥＤランプを有するランプ基板が設けられ、第１シャッター装置１１０ａの下方に位置するエスカッション３６の下枠部に、遮蔽位置に移動した第２可動シャッター部２００に向けて（上方に）光を発光させることが可能な（サイドビュータイプもしくはトップビュータイプの）ＬＥＤランプを有するランプ基板が設けられるようにしてもよい。
【０１１８】
［第２実施形態］
次に、遊技機の第２実施形態について説明する。まず、図１６〜図１９を参照しながら、遊技機の第２実施形態としてスロットマシンＳＭ２の概要について説明する。なお、第２実施形態において、図１９の各矢印で示す方向をそれぞれ、上下方向、前後方向、左右方向として説明する。第２実施形態のスロットマシンＳＭ２は、箱状の基体部５１０と、前面扉５２０とを主体に構成される。基体部５１０は前方に開口部５１０ａを有する箱状に形成され、基体部５１０の前部に前面扉５２０が取り付けられる。前面扉５２０は、ヒンジ機構５０５ａ，５０５ｂを用いて基体部５１０の左前部に枢支され、基体部５１０の開口部５１０ａを揺動開閉可能に構成される。
【０１１９】
基体部５１０の内部中央には、３つのリール５１２ａ，５１２ｂ，５１２ｃを備えるリ
ールユニット５１１が設けられ、前面扉５２０に設けられたリール表示窓５２２を通して３つのリール５１２ａ，５１２ｂ，５１２ｃに描かれている図柄を視認することができるようになっている。基体部５１０の内部下側には、スロットマシンＳＭ２に搭載された種々の装置に電源を供給する電源ユニット５１３、およびメダルを貯留しておくホッパー５１４ａを備えるメダル払出装置５１４が設けられる。基体部５１０の背板部の上側内面には、スロットマシンＳＭ２で行われる遊技を全体的に制御する主制御装置５１５が設けられる。ヒンジ機構５０５ａ，５０５ｂが設けられる基体部５１０の左側板部の上側内面には、スロットマシンＳＭ２の演出制御として演出決定処理を行う副制御装置５１６が設けられる。基体部５１０の左側板部の中間部内面には、スロットマシンＳＭ２の演出制御として各種演出装置の演出制御処理を行う演出制御ユニット５１７が取り付けられる。
【０１２０】
前面扉５２０には前面枠５２１が形成されており、前面枠５２１の略中央部に、リール表示窓５２２および、リール表示窓５２２の周辺部で所定の演出画像を表示する画像表示装置５３０が設けられる。前面扉５２０の前面側中央には、リール表示窓５２２の下方に位置して操作パネル５２３が設けられる。操作パネル５２３の前面側には、スタートスイッチ５２４、および３つのストップスイッチ５２５ａ，５２５ｂ，５２５ｃが設けられる。操作パネル５２３の上面側には、各種ベットスイッチ５２６、各種演出操作スイッチ５２７、およびメダル投入口５２８が設けられる。
【０１２１】
前面扉５２０の前面側上部には、所定の発光演出を行う上部発光演出装置６６０を備えた上部マスクユニット６００が取り付けられる。前面扉５２０の前面側左端部には、上下方向に延びて形成されて所定の発光演出を行う左サイド発光演出装置７００が設けられる。前面扉５２０の前面側右端部には、左サイド発光演出装置７００と異なる装飾が施されて上下方向に延びる右サイド発光演出装置８００が設けられる。前面扉５２０の前面側下部には、下部発光演出装置５５０、装飾パネル５３４、およびメダル払出装置５１４から払い出されたメダルが貯留される受け皿５３５が設けられる。
【０１２２】
前面扉５２０が基体部５１０の開口部５１０ａを閉じた状態では、前面扉５２０の後面側が基体部５１０の内部側に位置する。前面扉５２０の後面側には、リール表示窓５２２に配置された枠状のエスカッション５３６、メダル投入口５２８に投入されたメダルの選別を行うメダルセレクタ５３７、および左右の下部スピーカーユニット５３８，５３９が設けられる。また、前面扉２０における上部マスクユニット６００の後面側には、左右の上部スピーカーユニット６０６，６０７が取り付けられる。
【０１２３】
［下部発光演出装置の構成］
次に、第２実施形態に係る下部発光演出装置５５０について図１９〜図２５を参照して説明する。下部発光演出装置５５０は、図１９に示すように、前面扉５２０の左下部に形成された演出装置取付部５４１に取り付けられる。なお、前面扉５２０の下部中央には、演出装置取付部５４１の右方に隣接して装飾パネル取付部５４３が形成される。装飾パネル取付部５４３には、装飾パネル５３４を構成する第１装飾パネル部材５３４ａと第２装飾パネル部材５３４ｂとが装飾パネル取付部５４３を覆うように重ねて取り付けられる。また、装飾パネル取付部５４３には、上下２列のパネル用ランプ基板５４５，５４５が基板固定部材５４６を用いて取り付け固定される。パネル用ランプ基板５４５は、装飾パネル５３４の裏面側に配置されて装飾パネル５３４を後側（裏側）から照明するようになっている。
【０１２４】
演出装置取付部５４１と装飾パネル取付部５４３との間の仕切り壁部には、図２０に示すように、切り欠き状の導光部５４２が形成される。導光部５４２は、下部発光演出装置５５０の右側方に射出される光を装飾パネル５３４の後側（裏側）に導くようになっている。これにより、下部発光演出装置５５０から発光する光が装飾パネル５３４の方に漏れ
るような演出を行うことが可能になる。
【０１２５】
下部発光演出装置５５０は、図２１〜図２３に示すように、下部ランプ基板５５１と、下部ランプハウス５５６と、多孔プレート５６１と、第１下部ランプカバー５７１と、第２下部ランプカバー５７６と、装飾カバー５８１とを有して構成される。下部ランプ基板５５１は、第１下部ランプカバー５７１の外周形状に合わせた板状に形成される。下部ランプ基板５５１の実装面５５１ａには、複数の下部演出ランプ５５２，５５２，…が配設される。下部演出ランプ５５２は、下部ランプ基板５５１の実装面５５１ａの全体に亘り散らばるように配置される。また、下部ランプ基板５５１の各部には、下部ランプハウス５５６の基板固定部５５７が挿通される基板固定孔５５３が形成される。下部ランプ基板５５１は、演出制御ユニット５１７と電気的に接続され、演出制御ユニット５１７から送信されたランプ制御信号に応じて、下部演出ランプ５５２の発光制御を行う。
【０１２６】
下部ランプハウス５５６は、樹脂材料を用いて、下部ランプ基板５５１を受容可能な板状に形成される。下部ランプハウス５５６の底部には、樹脂ファスナー等からなる基板固定部５５７が複数設けられ、この基板固定部５５７を下部ランプ基板５５１の基板固定孔５５３に挿通させることにより、下部ランプ基板５５１が下部ランプハウス５５６に前方を向く状態で取り付け固定される。下部ランプハウス５５６の外周端部近傍には、下部ランプハウス５５６を第２下部ランプカバー５７６等に結合させるための結合ネジ（図示せず）が挿通されるネジ挿通孔部５５８が複数形成される。
【０１２７】
多孔プレート５６１は、樹脂材料を用いて、下部ランプ基板５５１と重なる板状に形成される。多孔プレート５６１には、下部ランプ基板５５１の複数の下部演出ランプ５５２，５５２，…に対応する複数の通過孔５６２，５６２，…が形成される。通過孔５６２は、下部演出ランプ５５２と対向するように形成され、対向する下部演出ランプ５５２から発光した光を通過させることができるようになっている。多孔プレート５６１の外周端部近傍には、多孔プレート５６１を第２下部ランプカバー５７６等に結合させるための結合ネジ（図示せず）が挿通されるネジ挿通孔５６３が形成される。
【０１２８】
多孔プレート５６１は、結合される第２下部ランプカバー５７６と下部ランプハウス５５６とを介して、図２４（ｂ）および図２５に示すように、下部ランプ基板５５１に対して所定の照明間隔だけ離間するように配置される。多孔プレート５６１が下部ランプ基板５５１に対して所定の照明間隔だけ離間して配置されることで、下部演出ランプ５５２から発光した光のうち中心側の一部が、当該下部演出ランプ５５２の真正面に対向する通過孔５６２を通過するとともに、下部演出ランプ５５２から発光した光のうち周辺側の一部が、当該下部演出ランプ５５２の真正面に対向する通過孔５６２に隣接したいずれかの通過孔５６２を通過するようになっている。なお、多孔プレート５６１と下部ランプ基板５５１との照明間隔は、下部演出ランプ５５２の発光範囲（例えば、光軸を挟んで１２０度の範囲）、通過孔５６２の大きさ、通過孔５６２の配置間隔等に応じて設定される。
【０１２９】
第１下部ランプカバー５７１は、透光性を有する乳白色の樹脂材料を用いて、図２２〜図２３に示すように、第２下部ランプカバー５７６に形成される装飾の外周形状（例えば、花形の装飾の外周形状）に合わせた蓋状に形成される。第１下部ランプカバー５７１は、第２下部ランプカバー５７６のカバー受容部５７７の後側（裏側）に重ねて配置され、多孔プレート５６１の前面側を覆うようになっている。第１下部ランプカバー５７１の前面部５７２は、多孔プレート５６１と略平行に所定間隔（通過孔５６２の形状に応じた複数の光の形状を映し出すことが可能な間隔）だけ離間して配置され、多孔プレート５６１の通過孔５６２を通過した光が透過するようになっている。これにより、第１下部ランプカバー５７１の前面部５７２においては、通過孔５６２の形状に応じた断面形状（例えば、図２４（ａ）の二点鎖線で示すように円形状）を有する複数の光が互いに交わるように
透過して映し出される。なお、乳白色の樹脂材料を用いて形成された第１下部ランプカバー５７１は、通過孔５６２を通過した光の第１の投映面として機能し、通過孔５６２を通過した光によって形成される絵柄が比較的明瞭に映し出される。
【０１３０】
なお、第１下部ランプカバー５７１の右側の側面部５７３にも、多孔プレート５６１の通過孔５６２を通過した光が透過するようになっている。第１下部ランプカバー５７１の右側の側面部５７３を透過した光は、図２４（ｂ）に示すように、第１および第２下部ランプカバー５７１，５７６と装飾カバー５８１との間に形成された間隙部を通って、下部発光演出装置５５０の右側方（裏側）に射出されるようになっている。下部発光演出装置５５０の右側方に射出された光は、前述のように、演出装置取付部５４１に形成された導光部５４２を通って、装飾パネル５３４の後側（裏側）に導かれる。
【０１３１】
第２下部ランプカバー５７６は、スモーク状の（シボ加工が施された）半透明の樹脂材料を用いて、所定の装飾形状（例えば、花形の装飾の形状）に形成される。第２下部ランプカバー５７６の中央部には、第１下部ランプカバー５７１を受容して重なるカバー受容部５７７が形成される。第２下部ランプカバー５７６の後側（裏側）には、下部ランプハウス５５６のネジ挿通孔部５５８に挿通された結合ネジ（図示せず）がネジ固定される第１ネジ穴部５７８が形成される。第２下部ランプカバー５７６には、多孔プレート５６１のネジ挿通孔５６３に挿通された結合ネジ（図示せず）がネジ固定される第２ネジ穴部５７９が形成される。これにより、多孔プレート５６１が第２下部ランプカバー５７６の後側（裏側）に結合されるとともに、多孔プレート５６１の後方に重なるように、下部ランプハウス５５６が第２下部ランプカバー５７６の後側（裏側）に結合される。なお、第１下部ランプカバー５７１に重ねて設けられた第２下部ランプカバー５７６は、通過孔５６２を通過した光の第２の投映面として機能するが、第１下部ランプカバー５７１と異なるスモーク状の樹脂材料を用いて形成されるため、第１下部ランプカバー５７１のみを光が透過する場合よりも若干薄くて大きい絵柄が映し出される。
【０１３２】
装飾カバー５８１は、樹脂材料を用いて、第２下部ランプカバー５７６に合わせた所定の装飾形状（例えば、花形の装飾の形状）に形成される。装飾カバー５８１は、結合ネジ（図示せず）を用いて、第２下部ランプカバー５７６の前面側（表面側）に重ねて結合される。装飾カバー５８１には、第２下部ランプカバー５７６を前面側に露出させる抜き穴部５８２が形成される。なお、装飾カバー５８１の左側部は、前面扉５２０の左側部を構成するように壁状に形成される。
【０１３３】
以上のように構成される下部発光演出装置５５０において、下部ランプ基板５５１の複数の下部演出ランプ５５２，５５２，…から発光した光は、多孔プレート５６１の複数の通過孔５６２，５６２，…を通過して、第１下部ランプカバー５７１および第２下部ランプカバー５７６を透過する。このとき、下部演出ランプ５５２から発光した光のうち中心側の一部が、当該下部演出ランプ５５２の真正面に対向する通過孔５６２を通過するとともに、下部演出ランプ５５２から発光した光のうち周辺側の一部が、当該下部演出ランプ５５２の真正面に対向する通過孔５６２に隣接したいずれかの通過孔５６２を通過するようになっている。これにより、一つの下部演出ランプ５５２から発光した光は、二つ以上の通過孔５６２を通過して第１下部ランプカバー５７１に達する。
【０１３４】
そのため、第１下部ランプカバー５７１の前面部５７２において、通過孔５６２の形状に応じた断面形状（円形状）を有する複数の光が互いに交わるように透過し、第１下部ランプカバー５７１および第２下部ランプカバー５７６には、図２４（ａ）の二点鎖線で示すように、通過孔５６２の形状に応じた複数の円形状の光が互いに交わって構成される模様が映し出される。このように、第２実施形態によれば、多孔プレート５６１を利用して、第１下部ランプカバー５７１および第２下部ランプカバー５７６に模様を映し出すこと
ができるので、簡便な構成で、より多彩な演出を行うことが可能になる。
【０１３５】
［上部マスクユニットの構成］
次に、第２実施形態に係る上部マスクユニット６００について図２６を参照して説明する。第２実施形態に係る上部マスクユニット６００は、図２６に示すように、上部マスク６１０と、左右の上部スピーカーユニット６０６，６０７と、第１〜第３電飾装置６２０〜６４０と、上部エスカッション６５０と、保護カバー６５３と、上部発光演出装置６６０とを主体に構成される。上部マスク６１０は、透明樹脂材料を用いて、中央に窓部６１１を有したブロック状に形成される。上部マスク６１０の窓部６１１の後側に、上部エスカッション６５０、保護カバー６５３、および上部発光演出装置６６０が、この順に後方へ並んで取り付けられる。
【０１３６】
上部マスク６１０の左側には、左上部スピーカーユニット６０６が取り付けられる左スピーカー取付部６１２が形成される。左スピーカー取付部６１２は、前後に貫通した角穴状に形成される。左上部スピーカーユニット６０６は、左スピーカー取付部６１２の開口部を塞ぐように左スピーカー取付部６１２の後側に取り付けられる。左スピーカー取付部６１２の前面側には、左スピーカー取付部６１２の開口部を覆う左側フロントスピーカーカバー６１５とともに、装飾が施された左スピーカー装飾部材６１６が取り付けられる。
【０１３７】
上部マスク６１０の右側には、右上部スピーカーユニット６０７が取り付けられる右スピーカー取付部６１３が形成される。右スピーカー取付部６１３は、前後に貫通した円穴状に形成される。右上部スピーカーユニット６０７は、右スピーカー取付部６１３の開口部を塞ぐように右スピーカー取付部６１３の後側に取り付けられる。右スピーカー取付部６１３の前面側には、右スピーカー取付部６１３の開口部を覆う右側フロントスピーカーカバー６１７とともに、装飾が施された右スピーカー装飾部材６１８およびスピーカーリング６１９が取り付けられる。
【０１３８】
なお、左スピーカー取付部６１２の開口部（左側フロントスピーカーカバー６１５）の断面積と、右スピーカー取付部６１３の開口部（右側フロントスピーカーカバー６１７）の断面積とは、同じ断面積になるように設定される。これにより、左側フロントスピーカーカバー６１５の形状と右側フロントスピーカーカバー６１７の形状が、装飾上異なる場合であっても、左右の上部スピーカーユニット６０６，６０７から発せられる音声が通る左右のスピーカー取付部６１２，６１３の開口部の大きさが同じになるように設定することで、左右の上部スピーカーユニット６０６，６０７から発せられる音声の音質が変わるのを防止することができる。
【０１３９】
上部マスク６１０の中央上部には、裏側（後側）から第１電飾装置６２０が取り付けられる第１電飾部６１４ａが形成される。上部マスク６１０の左側部には、裏側（後側）から第２電飾装置６３０が取り付けられる第２電飾部６１４ｂが形成される。上部マスク６１０の上部左側には、裏側（後側）から第３電飾装置６４０が取り付けられる第３電飾部６１４ｃが形成される。また、上部マスク６１０の裏側（後側）上部には、上部マスク６１０を前面扉５２０の前面枠５２１に仮固定するための仮固定部材６５４が取り付けられる。
【０１４０】
第１電飾装置６２０は、第１電飾基板６２１と、第１補助電飾基板６２３と、第１ランプハウス６２５と、仕切り部材６２６と、第１電飾部材６２７とを有して構成される。第１電飾基板６２１は、左右に細長く延びる板状に形成される。第１電飾基板６２１の実装面には、第１電飾部材６２７を発光させるための複数の第１電飾ランプ（図示せず）が配設される。第１電飾基板６２１は、演出制御ユニット５１７と電気的に接続され、演出制御ユニット５１７から送信されたランプ制御信号に応じて、第１電飾ランプの発光制御を
行う。第１補助電飾基板６２３は、左右に延びる板状に形成され、第１電飾基板６２１の右上方に配置される。第１補助電飾基板６２３の実装面には、上部マスク６１０における第１電飾部６１４ａの右上方部分を発光させるための複数の第１補助電飾ランプ（図示せず）が配設される。第１補助電飾基板６２３は、演出制御ユニット５１７と電気的に接続され、演出制御ユニット５１７から送信されたランプ制御信号に応じて、第１補助電飾ランプの発光制御を行う。
【０１４１】
第１ランプハウス６２５は、樹脂材料を用いて左右に延びる板状に形成され、第１電飾基板６２１および第１補助電飾基板６２３を前方へ向くように支持する。第１ランプハウス６２５には、第１電飾基板６２１の前方を覆うように、仕切り部材６２６および第１電飾部材６２７が結合される。仕切り部材６２６は、樹脂材料を用いて、内側が小窓状に仕切られた筒状（ハニカム形状）に形成される。仕切り部材６２６は、第１電飾基板６２１の前方に配設され、第１電飾基板６２１の第１電飾ランプから発光した光を別個に仕切って第１電飾部材６２７に導くようになっている。第１電飾部材６２７は、透光性の樹脂材料を用いて、左右に細長く延びる板状に形成される。第１電飾部材６２７は、仕切り部材６２６の前方に配設され、第１電飾基板６２１の第１電飾ランプから発光した光を透過させて発光可能に構成される。
【０１４２】
第２電飾装置６３０は、第２電飾基板６３１と、第２ランプハウス６３５と、第２電飾部材６３７とを有して構成される。第２電飾基板６３１は、略五角形状に拡がる板状に形成される。第２電飾基板６３１の実装面には、第２電飾部材６３７を発光させるための複数の第２電飾ランプ（図示せず）が配設される。第２電飾基板６３１は、演出制御ユニット５１７と電気的に接続され、演出制御ユニット５１７から送信されたランプ制御信号に応じて、第２電飾ランプの発光制御を行う。
【０１４３】
第２ランプハウス６３５は、樹脂材料を用いて略五角形状に拡がる板状に形成され、第２電飾基板６３１を左方へ向くように支持する。第２ランプハウス６３５には、第２電飾基板６３１の左方を覆うように、第２電飾部材６３７が結合される。第２電飾部材６３７は、透光性の樹脂材料を用いて、略五角形状に拡がる板状に形成される。第２電飾部材６３７は、第２電飾基板６３１の左方に配設され、第２電飾基板６３１の第２電飾ランプから発光した光を透過させて発光可能に構成される。
【０１４４】
第３電飾装置６４０は、第３電飾基板６４１と、第３ランプハウス６４５と、第３電飾部材６４７とを有して構成される。第３電飾基板６４１は、略三角形状に拡がる板状に形成される。第３電飾基板６４１の実装面には、第３電飾部材６４７を発光させるための複数の第３電飾ランプ（図示せず）が配設される。第３電飾基板６４１は、演出制御ユニット５１７と電気的に接続され、演出制御ユニット５１７から送信されたランプ制御信号に応じて、第３電飾ランプの発光制御を行う。
【０１４５】
第３ランプハウス６４５は、樹脂材料を用いて略三角形状に拡がる板状に形成され、第３電飾基板６４１を上方へ向くように支持する。第３ランプハウス６４５には、第３電飾基板６４１の上方を覆うように、第３電飾部材６４７が結合される。第３電飾部材６４７は、透光性の樹脂材料を用いて、略三角形状に拡がる板状に形成される。第３電飾部材６４７は、第３電飾基板６４１の上方に配設され、第３電飾基板６４１の第３電飾ランプから発光した光を透過させて発光可能に構成される。
【０１４６】
上部エスカッション６５０は、樹脂材料を用いて、上部マスク６１０の窓部６１１の形状に合わせた枠状に形成される。上部エスカッション６５０は、上部マスク６１０の窓部６１１に取り付けられる。上部エスカッション６５０の中央部には、窓穴部６５１が形成される。上部エスカッション６５０の右下部には基板取付部６５２が形成され、この基板
取付部６５２に、上部マスク６１０における右スピーカー取付部６１３の下方部分を照明するための装飾ランプ基板６５５が取り付けられる。また、上部エスカッション６５０の左下部には、上部マスク６１０における左スピーカー取付部６１２の下方部分を照明するためのランプユニット６５７が設けられる。
【０１４７】
保護カバー６５３は、透明の樹脂材料を用いて、上部エスカッション６５０の窓穴部６５１の形状に合わせた板状に形成される。保護カバー６５３は、上部発光演出装置６６０とともに上部エスカッション６５０の後側から窓穴部６５１を塞ぐように取り付けられる。これにより、上部発光演出装置６６０は、表示部が保護カバー６５３に覆われて前方を向くように、上部エスカッション６５０の後側に取り付けられる。
【０１４８】
［上部発光演出装置の構成］
次に、第２実施形態に係る上部発光演出装置６６０について図２７〜図３０を参照して説明する。上部発光演出装置６６０は、図２７〜２８に示すように、第１上部ランプ基板６６１と、第１上部基板カバー６６６と、第２上部ランプ基板６７１と、第２上部基板カバー６７６と、上部ランプハウス６８１と、裏側上部装飾部材６９１と、上部導光板６９２と、表側上部装飾部材６９３と、固定フレーム６９６とを有して構成される。なお、第１上部ランプ基板６６１および第２上部ランプ基板６７１は、演出制御ユニット５１７と電気的に接続され、演出制御ユニット５１７から送信されたランプ制御信号に応じて、各ランプの発光制御を行う。
【０１４９】
第１上部ランプ基板６６１は、左右に細長く延びる板状に形成される。第１上部ランプ基板６６１の実装面には、第１上部演出ランプ６６２（図２９を参照）が左右方向に１列に並んで複数配設される。第１上部ランプ基板６６１は、第１上部演出ランプ６６２が上部導光板６９２の上側の縁部６９２ａと対向するように、実装面を下方に向けて上部ランプハウス６８１の第１ランプ取付部６８２に取り付けられる。第１上部演出ランプ６６２は、上部導光板６９２の縁部６９２ａに入射する光を発光可能に構成される。第１上部ランプ基板６６１には、上部ランプハウス６８１の第１ランプ取付部６８２に形成された位置決めピン６８３と係合可能な位置決め孔６６３が複数形成される。また、第１上部ランプ基板６６１には、上部基板取付ネジ６６９が挿通されるネジ挿通孔６６４が複数形成される。
【０１５０】
第１上部基板カバー６６６は、樹脂材料を用いて、第１上部ランプ基板６６１の形状に合わせて左右に細長く延びる板状に形成される。第１上部基板カバー６６６は、第１上部ランプ基板６６１の上側に重ねられて上部ランプハウス６８１の第１ランプ取付部６８２に取り付けられ、第１上部ランプ基板６６１における実装面と反対側の面を覆うようになっている。第１上部基板カバー６６６には、第１上部ランプ基板６６１のネジ挿通孔６６４と位置整合して上部基板取付ネジ６６９が挿通されるネジ挿通孔６６７が複数形成される。また、第１上部基板カバー６６６の後縁部には、第１上部ランプ基板６６１における実装面と反対側の面に配設されたコネクタ６６１ａを露出させるコネクタ露出部６６８が形成される。
【０１５１】
第２上部ランプ基板６７１は、左右に延びる板状に形成される。第２上部ランプ基板６７１の実装面には、第２上部演出ランプ６７２が左右方向に２列に並んで複数配設される。第２上部ランプ基板６７１は、第２上部基板カバー６７６とともに実装面を前方に向けて上部ランプハウス６８１の第２ランプ取付部６８５に取り付けられる。第２上部演出ランプ６７２は、裏側上部装飾部材６９１に向けて光を発光可能に構成される。
【０１５２】
第２上部基板カバー６７６は、樹脂材料を用いて、第２上部ランプ基板６７１を後方から支持可能な板状に形成される。第２上部基板カバー６７６は、第２上部ランプ基板６７
１を後方から支持した状態で上部ランプハウス６８１の第２ランプ取付部６８５に取り付けられ、第２上部ランプ基板６７１における実装面と反対側の面を覆うようになっている。第２上部基板カバー６７６の上端部および下端部には、上部ランプハウス６８１の第２ランプ取付部６８５（内周側）に形成された係合溝部（図示せず）と係合可能な係合爪部６７７が形成される。第２上部基板カバー６７６の係合爪部６７７が第２ランプ取付部６８５の係合溝部と係合した状態で、第２上部基板カバー６７６および第２上部ランプ基板６７１が第２ランプ取付部６８５に対して取り付け保持される。第２上部基板カバー６７６の後壁部には、第２上部ランプ基板６７１における実装面と反対側の面に配設されたコネクタ６７１ａ（図２９を参照）を露出させるコネクタ露出部６７８が形成される。
【０１５３】
上部ランプハウス６８１は、樹脂材料を用いて、前方が開口した箱状に形成される。上部ランプハウス６８１の上端部には、左右に細長く延びる平面状の第１ランプ取付部６８２が形成される。第１ランプ取付部６８２には、第１上部ランプ基板６６１の位置決め孔６６３と係合可能な位置決めピン６８３が複数形成される。また、第１ランプ取付部６８２には、第１上部ランプ基板６６１のネジ挿通孔６６４と位置整合して上部基板取付ネジ６６９がネジ固定される第１ネジ穴部６８４が形成される。第１ランプ取付部６８２の上に第１上部ランプ基板６６１と第１上部基板カバー６６６とを順に重ねて配置し、上部基板取付ネジ６６９を第１上部ランプ基板６６１と第１上部基板カバー６６６のネジ挿通孔６６４，６６７にそれぞれ挿通させて、第１ネジ穴部６８４にネジ固定することにより、第１上部ランプ基板６６１が第１上部基板カバー６６６に覆われた状態で第１ランプ取付部６８２に取り付けられる。
【０１５４】
上部ランプハウス６８１の後部には、左右に延びる凹んだ壁状の第２ランプ取付部６８５が形成される。第２上部ランプ基板６７１は、図２９に示すように、第２ランプ取付部６８５の裏面側（後面側）に重なるように取り付けられる。第２ランプ取付部６８５には、第２上部ランプ基板６７１の第２上部演出ランプ６７２を上部ランプハウス６８１の内部空間側に露出させるランプ露出穴６８６が複数形成される。
【０１５５】
図２８および図２９に示すように、上部ランプハウス６８１の前部には、枠状の装飾部材取付部６８７が形成される。装飾部材取付部６８７には、裏側上部装飾部材６９１と、上部導光板６９２と、表側上部装飾部材６９３とが、この順に前方に重ねて取り付けられる。装飾部材取付部６８７には、フレーム取付ネジ６９８がネジ固定される第２ネジ穴部６８９が形成される。
【０１５６】
表側上部装飾部材６９３は、透光性の樹脂材料を用いてシート状に形成され、上部導光板６９２の表側（前側）に重ねて配置される。表側上部装飾部材６９３の表面または裏面（前面または後面）には、インクジェット印刷により、所定の図柄（例えば、物語風の絵柄や文字）が描かれた第１上部演出図柄６９３ａが形成される。裏側上部装飾部材６９１は、透光性の樹脂材料を用いてシート状に形成され、上部導光板６９２の裏側（後側）に重ねて配置される。裏側上部装飾部材６９１の表面または裏面（前面または後面）には、シルク印刷により、第１上部演出図柄６９３ａと趣の異なる図柄（例えば、物語風の絵柄や文字）が描かれた第２上部演出図柄６９１ａが形成される。なお、本実施形態において、第１上部演出図柄６９３ａおよび第２上部演出図柄６９１ａは、装飾的な図柄であるため、図２８および図３０の二点鎖線で示すように、簡略化して示している。
【０１５７】
上部導光板６９２は、透明樹脂材料を用いて、表側上部装飾部材６９３および裏側上部装飾部材６９１の形状に合わせた長方形の板状に形成される。上部導光板６９２は、表側上部装飾部材６９３と裏側上部装飾部材６９１との間に重なるように配置される。上部導光板６９２の裏面（後面）全体には、微細な凹凸からなる凹凸面６９２ｃが形成されており、上部導光板６９２の縁部６９２ａに入射した光を裏側の凹凸面６９２ｃで反射させて
、表側の射出面６９２ｄから全面的に光を射出させることができるようになっている。
【０１５８】
固定フレーム６９６は、樹脂材料を用いて、上部ランプハウス６８１の装飾部材取付部６８７の形状に合わせた枠状に形成される。固定フレーム６９６の左右端部には、装飾部材取付部６８７の第２ネジ穴部６８９と位置整合してフレーム取付ネジ６９８が挿通されるネジ挿通孔６９７が形成される。フレーム取付ネジ６９８を固定フレーム６９６のネジ挿通孔６９７に挿通させて、装飾部材取付部６８７の第２ネジ穴部６８９にネジ固定することにより、裏側上部装飾部材６９１と、上部導光板６９２と、表側上部装飾部材６９３とが、固定フレーム６９６によって上部ランプハウス６８１の装飾部材取付部６８７に取り付け固定される。なお、固定フレーム６９６には、第１上部ランプ基板６６１または第２上部ランプ基板６７１等から延びる電気ケーブルを固定可能な束線部材６９９が取り付けられるようになっている。
【０１５９】
以上のように構成される上部発光演出装置６６０において、第１上部ランプ基板６６１の第１上部演出ランプ６６２が発光すると、第１上部演出ランプ６６２から発光した光は、上部導光板６９２の縁部６９２ａに入射し、上部導光板６９２の裏側の凹凸面６９２ｃで反射して表側の射出面６９２ｄから射出される。第１上部演出ランプ６６２から発光して上部導光板６９２の射出面６９２ｄから射出される光によって、上部導光板６９２の表側（前側）に配置された表側上部装飾部材６９３の第１上部演出図柄６９３ａが照明される。そのため、第１上部演出ランプ６６２を発光させることにより、上部発光演出装置６６０は、表側上部装飾部材６９３の第１上部演出図柄６９３ａのみを発光表示することができる（図３０（ａ）を参照）。
【０１６０】
一方、第２上部ランプ基板６７１の第２上部演出ランプ６７２が発光すると、第２上部演出ランプ６７２から発光した光は、第２上部演出ランプ６７２と対向する裏側上部装飾部材６９１の裏側（後側）に入射し、裏側上部装飾部材６９１、上部導光板６９２、および表側上部装飾部材６９３を順に透過する。第２上部演出ランプ６７２から発光して裏側上部装飾部材６９１の裏側に入射する光によって、裏側上部装飾部材６９１の第２上部演出図柄６９１ａが照明される。そのため、第２上部演出ランプ６７２を発光させることにより、上部発光演出装置６６０は、裏側上部装飾部材６９１の第２上部演出図柄６９１ａを、上部導光板６９２および表側上部装飾部材６９３を通して発光表示することができる（図３０（ｂ）を参照）。
【０１６１】
なお、前述したように、裏側上部装飾部材６９１の第２上部演出図柄６９１ａはシルク印刷によって形成され、表側上部装飾部材６９３の第１上部演出図柄６９３ａはインクジェット印刷により形成される。第２上部演出ランプ６７２から発光して裏側上部装飾部材６９１を透過した光は、シルク印刷よりもインクの粒子間の隙間が大きいインクジェット印刷によって第１上部演出図柄６９３ａが形成された表側上部装飾部材６９３を透過する。そのため、第２上部演出ランプ６７２を発光させることにより、上部発光演出装置６６０は、第２上部演出図柄６９１ａを第１上部演出図柄６９３ａよりも強調して発光表示することができる。また、裏側上部装飾部材６９１に、第２上部演出図柄６９１ａとして第１上部演出図柄６９３ａよりも濃い色（黒色等）の背景を印刷形成することで、第２上部演出ランプ６７２を発光させることにより、第２上部演出図柄６９１ａのみが視認されて第１上部演出図柄６９３ａがほぼ認識されないようにすることも可能である。
【０１６２】
このように、第２実施形態によれば、第１上部ランプ基板６６１の第１上部演出ランプ６６２を発光させて、第１上部演出ランプ６６２から上部導光板６９２の縁部６９２ａに入射して射出面６９２ｄから射出される光により、表側上部装飾部材６９３の第１上部演出図柄６９３ａを照明して発光表示させるように構成される。一方、第２上部ランプ基板６７１の第２上部演出ランプ６７２を発光させて、第２上部演出ランプ６７２からの光に
より、裏側上部装飾部材６９１の第２上部演出図柄６９１ａを照明して上部導光板６９２および表側上部装飾部材６９３を通して発光表示させるように構成される。そのため、上部発光演出装置６６０は、第１上部演出図柄６９３ａと第２上部演出図柄６９１ａとを切り替えて発光表示することが可能になり、液晶表示装置等を用いることなく簡便な構成で、多彩な演出を行うことができる。
【０１６３】
［左サイド発光演出装置の構成］
次に、第２実施形態に係る左サイド発光演出装置７００について図３１〜図３４を参照して説明する。左サイド発光演出装置７００は、図３１〜図３２に示すように、ランプユニット部７１０と、カバーユニット部７６０とを主体に構成される。ランプユニット部７１０は、図３３に示すように、第１左サイドランプ基板７１１と、第１左基板カバー７１６と、第１補助照明基板７２１と、第１補助基板カバー７２６と、第２左サイドランプ基板７３１と、第２左基板カバー７３６と、第２補助照明基板７４６と、第２補助基板カバー７４８と、左サイドランプハウス７５１とを有して構成される。なお、第１左サイドランプ基板７１１、第１補助照明基板７２１、第２左サイドランプ基板７３１、および第２補助照明基板７４６は、演出制御ユニット５１７と電気的に接続され、演出制御ユニット５１７から送信されたランプ制御信号に応じて、各ランプの発光制御を行う。
【０１６４】
第１左サイドランプ基板７１１は、上下に細長く延びる板状に形成される。第１左サイドランプ基板７１１の実装面には、第１左サイド演出ランプ７１２が上下方向に１列に並んで複数配設される。第１左サイドランプ基板７１１は、第１左サイド演出ランプ７１２がカバーユニット部７６０の左導光板７７２の長手方向縁部７７２ａと対向するように、第１左基板カバー７１６を介して左サイドランプハウス７５１の長手方向縁部７５４ａに取り付けられる。第１左サイド演出ランプ７１２は、左導光板７７２の長手方向縁部７７２ａに入射する光を発光可能に構成される。
【０１６５】
第１左基板カバー７１６は、樹脂材料を用いて、左サイドランプハウス７５１の長手方向縁部７５４ａに沿って上下に細長く延びる板状に形成される。第１左基板カバー７１６の裏側（後側）に重ねて第１左サイドランプ基板７１１が前方を向くように取り付けられ、第２左基板カバー７３６の第１ランプ取付部７４３と第１左基板カバー７１６との間に第１左サイドランプ基板７１１が挟持されるようになっている。そのため、第１左基板カバー７１６には、第１左サイドランプ基板７１１の第１左サイド演出ランプ７１２を前方に露出させるランプ露出穴７１６ａが複数形成される。第１左基板カバー７１６の後部には、第２左基板カバー７３６の係止溝部７４４に係止可能な係止爪部７１７が形成される。
【０１６６】
第１左基板カバー７１６の上部には、左サイドランプハウス７５１の傾斜縁部７５５ａに沿って傾斜して延びる傾斜部７１８が形成される。第１左基板カバー７１６の傾斜部７１８の裏側（後側）に重ねて第１補助照明基板７２１が前方を向くように取り付けられ、第１補助基板カバー７２６と第１左基板カバー７１６の傾斜部７１８との間に第１補助照明基板７２１が挟持されるようになっている。そのため、第１左基板カバー７１６の傾斜部７１８には、第１補助照明基板７２１の第１補助照明ランプ７２２を前方に露出させるランプ露出穴（図示せず）が複数形成される。
【０１６７】
また、第１左基板カバー７１６の後部には、第１左基板カバー７１６を左サイドランプハウス７５１の長手方向縁部７５４ａに結合させるための結合ネジ７５０がネジ固定される第１ボス部７１９ａが形成される。第１左基板カバー７１６の傾斜部７１８には、第１補助基板カバー７２６の傾斜ボス部７２７と結合ネジ（図示せず）等を用いて結合される第２ボス部７１９ｂが形成される。第１左基板カバー７１６の上端部には、カバーユニット部７６０の上端部が結合される上側カバー結合部７２０が形成される。
【０１６８】
第１補助照明基板７２１は、傾斜して上下に細長く延びる板状に形成される。第１補助照明基板７２１の実装面には、第１補助照明ランプ７２２が上下方向に１列に並んで複数配設される。第１補助照明基板７２１は、第１補助照明ランプ７２２がカバーユニット部７６０に構成される左導光板７７２の傾斜縁部７７２ｂと対向するように、第１左基板カバー７１６（傾斜部７１８）を介して左サイドランプハウス７５１の傾斜縁部７５５ａに取り付けられる。第１補助照明ランプ７２２は、左導光板７７２の傾斜縁部７７２ｂに入射する光を発光可能に構成される。
【０１６９】
第１補助基板カバー７２６は、傾斜して上下に細長く延びる板状に形成される。第１補助基板カバー７２６には、第１左基板カバー７１６の第２ボス部７１９ｂと結合される傾斜ボス部７２７が形成される。これにより、第１補助基板カバー７２６は、第１左基板カバー７１６の傾斜部７１８に結合されて当該傾斜部７１８との間で第１補助照明基板７２１を挟持するようになっている。なお、第１補助基板カバー７２６は、第１補助照明基板７２１における実装面と反対側の面に配設されたコネクタ７２３を裏側（後側）露出させるように、一部が切り欠かれて形成される。
【０１７０】
第２左サイドランプ基板７３１は、上下に延びる板状に形成される。第２左サイドランプ基板７３１の実装面には、第２左サイド演出ランプ７３２が左右２列で上下方向に並んで複数配設される。第２左サイドランプ基板７３１は、第２左基板カバー７３６とともに実装面を前方に向けて左サイドランプハウス７５１の第２ランプ取付部７５４の裏側（後側）に取り付けられる。第２左サイド演出ランプ７３２は、カバーユニット部７６０の裏側左装飾部材７７１に向けて光を発光可能に構成される。
【０１７１】
第２左サイドランプ基板７３１の上下には、第２左基板カバー７３６のネジ穴部７３７にネジ固定される結合ネジ（図示せず）が挿通される第１ネジ挿通孔７３３が形成される。結合ネジを第１ネジ挿通孔７３３に挿通させて第２左基板カバー７３６のネジ穴部７３７にネジ固定することにより、第２左サイドランプ基板７３１の裏側（後側）に第２左基板カバー７３６が重なるように結合される。また、第２左サイドランプ基板７３１の上下には、左サイドランプハウス７５１のネジ穴部７５７にネジ固定される固定ネジ（図示せず）が挿通される第２ネジ挿通孔７３４が形成される。固定ネジを第２ネジ挿通孔７３４に挿通させて左サイドランプハウス７５１のネジ穴部７５７にネジ固定することにより、左サイドランプハウス７５１の第２ランプ取付部７５４の裏側（後側）に第２左サイドランプ基板７３１および第２左基板カバー７３６が重なるように取り付け固定される。第２左サイドランプ基板７３１の側縁部には、左サイドランプハウス７５１の取付ボス部７５８が挿通されるボス挿通部７３５が形成される。
【０１７２】
第２左基板カバー７３６は、樹脂材料を用いて、第２左サイドランプ基板７３１の裏側（後側）を覆うように上下に延びる板状に形成される。第２左基板カバー７３６の上下には、第２左サイドランプ基板７３１の裏側（後側）に第２左基板カバー７３６を結合させるための結合ネジ（図示せず）がネジ固定されるネジ穴部７３７が形成される。第２左基板カバー７３６には、左サイドランプハウス７５１の第２ランプ取付部７５４の裏側（後側）に第２左サイドランプ基板７３１および第２左基板カバー７３６を取り付け固定するための固定ネジ（図示せず）が挿通されるネジ挿通孔７３８が形成される。
【０１７３】
第２左基板カバー７３６の上部および中央部には、第１左サイドランプ基板７１１および第２左サイドランプ基板７３１における実装面と反対側の面に配設されたコネクタ７１３を裏側（後側）に露出させるコネクタ露出部７３９が形成される。第２左基板カバー７３６の側縁部近傍には、第１左基板カバー７１６の第１ボス部７１９ａが挿通される第１ボス挿通部７４１が形成される。第２左基板カバー７３６の中間部には、左サイドランプ
ハウス７５１の取付ボス部７５８が挿通される第２ボス挿通部７４２が形成される。第２左基板カバー７３６の側縁部には、第１左サイドランプ基板７１１とともに第１左基板カバー７１６が結合される第１ランプ取付部７４３が形成される。第１ランプ取付部７４３には、第１左基板カバー７１６の係止爪部７１７が係止可能な係止溝部７４４が形成される。
【０１７４】
第２補助照明基板７４６は、上下に短く延びる板状に形成される。第２補助照明基板７４６の実装面には、第２補助照明ランプ７４７が上下方向に並んで複数配設される。第２補助照明基板７４６は、第２補助基板カバー７４８とともに実装面を前方に向けて左サイドランプハウス７５１の補助ランプ取付部７５５の裏側（後側）に取り付けられる。第２補助照明ランプ７４７は、カバーユニット部７６０の裏側左装飾部材７７１に向けて光を発光可能に構成される。
【０１７５】
第２補助基板カバー７４８は、樹脂材料を用いて、第２補助照明基板７４６の裏側を覆うように上下に短く延びる板状に形成される。第２補助基板カバー７４８には、左サイドランプハウス７５１の（最も上側の）ネジ穴部７５７にネジ固定される固定ネジ（図示せず）が挿通されるネジ挿通孔７４９が形成される。固定ネジをネジ挿通孔７４９に挿通させて左サイドランプハウス７５１のネジ穴部７５７にネジ固定することにより、左サイドランプハウス７５１の補助ランプ取付部７５５の裏側（後側）に第２補助照明基板７４６および第２補助基板カバー７４８が重なるように取り付け固定される。
【０１７６】
左サイドランプハウス７５１は、樹脂材料を用いて、上下に延びる板状に形成される。左サイドランプハウス７５１の下端部に略三角形状の底部７５２が形成され、この底部７５２の下側に、カバーユニット部７６０の下端部が結合される下側カバー結合部７５３が形成される。左サイドランプハウス７５１の後部には、上下に延びる壁状の第２ランプ取付部７５４が形成される。第２左サイドランプ基板７３１は、図３４に示すように、第２ランプ取付部７５４の裏面側（後面側）に重なるように取り付けられる。図３３に示すように、第２ランプ取付部７５４には、第２左サイドランプ基板７３１の第２左サイド演出ランプ７３２を左サイドランプハウス７５１の内部空間側に露出させるランプ露出穴７５６が複数形成される。第２ランプ取付部７５４の上下には、第２ランプ取付部７５４の裏面側（後面側）に第２左サイドランプ基板７３１を固定するための固定ネジ（図示せず）がネジ固定されるネジ穴部７５７が形成される。第２ランプ取付部７５４の裏側（後側）には、左サイド発光演出装置７００を前面扉５２０に取り付け固定するための取付ボス部７５８が形成される。
【０１７７】
第２ランプ取付部７５４の側縁部には、左サイドランプハウス７５１（第２ランプ取付部７５４）の長手方向に沿って延びる長手方向縁部７５４ａが形成される。第２ランプ取付部７５４の長手方向縁部７５４ａには、結合ネジ７５０が挿通されるネジ挿通孔７５９が形成される。結合ネジ７５０をネジ挿通孔７５９に挿通させて第１左基板カバー７１６の第１ボス部７１９ａにネジ固定することにより、第１左サイドランプ基板７１１が取り付けられた第１左基板カバー７１６が左サイドランプハウス７５１の長手方向縁部７５４ａに結合される。
【０１７８】
左サイドランプハウス７５１における第２ランプ取付部７５４の上側には、補助ランプ取付部７５５が形成される。第２補助照明基板７４６は、補助ランプ取付部７５５の裏面側（後面側）に重なるように取り付けられる。補助ランプ取付部７５５には、第２補助照明基板７４６の第２補助照明ランプ７４７を左サイドランプハウス７５１の内部空間側に露出させるランプ露出穴７５６が複数形成される。また、補助ランプ取付部７５５には、補助ランプ取付部７５５の裏面側（後面側）に第２補助照明基板７４６を固定するための固定ネジ（図示せず）がネジ固定されるネジ穴部７５７が形成される。
【０１７９】
補助ランプ取付部７５５の側縁部には、長手方向縁部７５４ａの上端部から傾斜して延びる傾斜縁部７５５ａが形成される。第１左基板カバー７１６が左サイドランプハウス７５１の長手方向縁部７５４ａに結合された状態で、左サイドランプハウス７５１の傾斜縁部７５５ａには、第１補助照明基板７２１が取り付けられた第１左基板カバー７１６の傾斜部７１８が接合するようになっている。
【０１８０】
カバーユニット部７６０は、図３２に示すように、カバーフレーム７６１と、裏側左装飾部材７７１と、左導光板７７２と、表側左装飾部材７７３と、内向側カバー部材７７６と、外向側カバー部材７８１とを有して構成される。カバーユニット部７６０は、ランプユニット部７１０の前側に結合され、ランプユニット部７１０との間に断面視略三角形状の内部空間が形成されるように構成される（図３４を参照）。
【０１８１】
カバーフレーム７６１は、樹脂材料を用いて上下に延びる枠状に形成され、ランプユニット部７１０の前側に結合される。カバーフレーム７６１の上端部には、ボス状の上側ランプハウス結合部７６２が形成される。上側ランプハウス結合部７６２は、結合ネジ（図示せず）を用いて、ランプユニット部７１０の上側カバー結合部７２０と結合される。カバーフレーム７６１の下端部にも、ボス状の下側ランプハウス結合部７６３が形成される。下側ランプハウス結合部７６３は、結合ネジ（図示せず）を用いて、ランプユニット部７１０の下側カバー結合部７５３と結合される。
【０１８２】
スロットマシンＳＭ２の中心側を向くカバーフレーム７６１の右側には、内向側カバー取付部７６４が枠状に形成される。内向側カバー取付部７６４の裏側（左側）には、内向側カバー部材７７６と、表側左装飾部材７７３と、左導光板７７２と、裏側左装飾部材７７１とが、この順に裏方（左方）に重ねて取り付けられる。スロットマシンＳＭ２の外側を向くカバーフレーム７６１の左側には、外向側カバー取付部７６５が枠状に形成される。外向側カバー取付部７６５の裏側（右側）には、外向側カバー部材７８１が重ねて取り付けられる。
【０１８３】
表側左装飾部材７７３は、透光性の樹脂材料を用いてシート状に形成され、左導光板７７２の表側（右側）に重ねて配置される。表側左装飾部材７７３の表面または裏面（右面または左面）には、インクジェット印刷により、所定の図柄（例えば、物語風の絵柄や文字）が描かれた第１左演出図柄７７３ａが形成される。裏側左装飾部材７７１は、透光性の樹脂材料を用いてシート状に形成され、左導光板７７２の裏側（左側）に重ねて配置される。裏側左装飾部材７７１の表面または裏面（右面または左面）には、シルク印刷により、第１左演出図柄７７３ａと趣の異なる図柄（例えば、物語風の絵柄や文字）が描かれた第２左演出図柄７７１ａが形成される。なお、本実施形態において、第１左演出図柄７７３ａおよび第２左演出図柄７７１ａは、装飾的な図柄であるため、図３１および図３２の二点鎖線で示すように、簡略化して示している。
【０１８４】
左導光板７７２は、透明樹脂材料を用いて、表側左装飾部材７７３および裏側左装飾部材７７１の形状に合わせて上方が尖った長方形の板状に形成される。左導光板７７２は、表側左装飾部材７７３と裏側左装飾部材７７１との間に重なるように配置される。左導光板７７２の側縁部には、左導光板７７２の長手方向に沿って延びる長手方向縁部７７２ａと、長手方向縁部７７２ａの上端部から中心側に傾斜して延びる傾斜縁部７７２ｂとが形成される。左導光板７７２の裏面（左面）全体には、微細な凹凸からなる凹凸面７７２ｃが形成されており、左導光板７７２の長手方向縁部７７２ａもしくは傾斜縁部７７２ｂに入射した光を裏側の凹凸面７７２ｃで反射させて、射出面７７２ｄから全面的に光を射出させることができるようになっている。
【０１８５】
内向側カバー部材７７６は、透光性の樹脂材料を用いて、表側左装飾部材７７３および裏側左装飾部材７７１の形状に合わせて上方が尖った長方形の板状に形成される。内向側カバー部材７７６の裏側（左側）に、結合ネジ（図示せず）を用いて、表側左装飾部材７７３と、左導光板７７２と、裏側左装飾部材７７１とが、この順に裏方（左方）に重ねて結合される。内向側カバー部材７７６には、所定の装飾（例えば、窓枠状の装飾）が施されるとともに、裏側から（表側左装飾部材７７３が配置される左側）から入射する光を透過させることが可能な透光部７７７が形成される。内向側カバー部材７７６の上端部には、ボス状の（第２の）上側ランプハウス結合部７７８が形成される。（第２の）上側ランプハウス結合部７７８は、結合ネジ（図示せず）を用いて、ランプユニット部７１０の上側カバー結合部７２０と結合される。
【０１８６】
外向側カバー部材７８１は、透光性の樹脂材料を用いて、上下に延びる長方形の板状に形成される。外向側カバー部材７８１には、所定の装飾（例えば、ステンドグラス調の装飾）が施された装飾部７８２が形成される。装飾部７８２は、カバーフレーム７６１における外向側カバー取付部７６５の開口部の形状に合わせて菱形に形成され、ランプユニット部７１０の第２左サイド演出ランプ７３２または第２補助照明ランプ７４７から発光した光の一部を透過させることができるようになっている。なお、外向側カバー部材７８１は、ランプユニット部７１０に形成された複数のリブ（図示せず）によって、外向側カバー取付部７６５の裏側（右側）に固定されるようになっている。
【０１８７】
以上のように構成される左サイド発光演出装置７００において、第１左サイドランプ基板７１１の第１左サイド演出ランプ７１２が発光すると、第１左サイド演出ランプ７１２から発光した光は、左導光板７７２の長手方向縁部７７２ａに入射し、左導光板７７２の裏側の凹凸面７７２ｃで反射して表側の射出面７７２ｄから射出される。また、第１補助照明基板７２１の第１補助照明ランプ７２２が発光すると、第１補助照明ランプ７２２から発光した光は、左導光板７７２の傾斜縁部７７２ｂに入射し、左導光板７７２の裏側の凹凸面７７２ｃで反射して表側の射出面７７２ｄから射出される。第１左サイド演出ランプ７１２および第１補助照明ランプ７２２から発光して左導光板７７２の射出面７７２ｄから射出される光によって、左導光板７７２の表側（右側）に配置された表側左装飾部材７７３の第１左演出図柄７７３ａが照明される。そのため、第１左サイド演出ランプ７１２および第１補助照明ランプ７２２を発光させることにより、左サイド発光演出装置７００は、表側左装飾部材７７３の第１左演出図柄７７３ａのみを（内向側カバー部材７７６を通して）発光表示することができる。
【０１８８】
一方、第２左サイドランプ基板７３１の第２左サイド演出ランプ７３２が発光すると、第２左サイド演出ランプ７３２から発光した光は、第２左サイド演出ランプ７３２と対向する裏側左装飾部材７７１の裏側（左側）に入射し、裏側左装飾部材７７１、左導光板７７２、表側左装飾部材７７３、および内向側カバー部材７７６を順に透過する。また、第２補助照明基板７４６の第２補助照明ランプ７４７が発光すると、第２補助照明ランプ７４７から発光した光は、第２補助照明ランプ７４７と対向する裏側左装飾部材７７１の裏側（左側）に入射し、裏側左装飾部材７７１、左導光板７７２、表側左装飾部材７７３、および内向側カバー部材７７６を順に透過する。第２左サイド演出ランプ７３２および第２補助照明ランプ７４７から発光して裏側左装飾部材７７１の裏側に入射する光によって、裏側左装飾部材７７１の第２左演出図柄７７１ａが照明される。そのため、第２左サイド演出ランプ７３２および第２補助照明ランプ７４７を発光させることにより、左サイド発光演出装置７００は、裏側左装飾部材７７１の第２左演出図柄７７１ａを、左導光板７７２、表側左装飾部材７７３、および内向側カバー部材７７６を通して発光表示することができる。
【０１８９】
また、第２左サイド演出ランプ７３２および第２補助照明ランプ７４７から発光した光
の一部は、外向側カバー部材７８１を透過する。そのため、第２左サイド演出ランプ７３２および第２補助照明ランプ７４７を発光させることにより、裏側左装飾部材７７１の第２左演出図柄７７１ａに加えて、外向側カバー部材７８１の装飾部７８２を発光させることができる。
【０１９０】
なお、前述したように、裏側左装飾部材７７１の第２左演出図柄７７１ａはシルク印刷によって形成され、表側左装飾部材７７３の第１左演出図柄７７３ａはインクジェット印刷により形成される。第２左サイド演出ランプ７３２および第２補助照明ランプ７４７から発光して裏側左装飾部材７７１を透過した光は、シルク印刷よりもインクの粒子間の隙間が大きいインクジェット印刷によって第１左演出図柄７７３ａが形成された表側左装飾部材７７３を透過する。そのため、第２左サイド演出ランプ７３２および第２補助照明ランプ７４７を発光させることにより、左サイド発光演出装置７００は、第２左演出図柄７７１ａを第１左演出図柄７７３ａよりも強調して発光表示することができる。また、裏側左装飾部材７７１に、第２左演出図柄７７１ａとして第１左演出図柄７７３ａよりも濃い色（黒色等）の背景を印刷形成することで、第２左サイド演出ランプ７３２および第２補助照明ランプ７４７を発光させることにより、第２左演出図柄７７１ａのみが視認されて第１左演出図柄７７３ａがほぼ認識されないようにすることも可能である。
【０１９１】
このように、第２実施形態によれば、第１左サイドランプ基板７１１の第１左サイド演出ランプ７１２（および第１補助照明基板７２１の第１補助照明ランプ７２２）を発光させて、第１左サイド演出ランプ７１２（および第１補助照明ランプ７２２）から左導光板７７２の長手方向縁部７７２ａ（および傾斜縁部７７２ｂ）に入射して射出面７７２ｄから射出される光により、表側左装飾部材７７３の第１左演出図柄７７３ａを照明して発光表示させるように構成される。一方、第２左サイドランプ基板７３１の第２左サイド演出ランプ７３２（および第２補助照明基板７４６の第２補助照明ランプ７４７）を発光させて、第２左サイド演出ランプ７３２（および第２補助照明ランプ７４７）からの光により、裏側左装飾部材７７１の第２左演出図柄７７１ａを照明して左導光板７７２および表側左装飾部材７７３（並びに、内向側カバー部材７７６）を通して発光表示させるように構成される。そのため、左サイド発光演出装置７００は、第１左演出図柄７７３ａと第２左演出図柄７７１ａとを切り替えて発光表示することが可能になり、液晶表示装置等を用いることなく簡便な構成で、多彩な演出を行うことができる。
【０１９２】
［右サイド発光演出装置の構成］
次に、第２実施形態に係る右サイド発光演出装置８００について図３５〜図３６を参照して説明する。右サイド発光演出装置８００は、図３５に示すように、右サイドランプ基板８１１と、右基板カバー８２１と、第１ランプハウス部材８３１と、第２ランプハウス部材８４１と、第１右導光板８６１と、第２右導光板８６６と、内カバー部材８７１と、外カバー部材８８１とを有して構成される。なお、右サイドランプ基板８１１は、演出制御ユニット５１７と電気的に接続され、演出制御ユニット５１７から送信されたランプ制御信号に応じて、第１〜第３右サイド演出ランプ８１２〜８１４の発光制御を行う。
【０１９３】
右サイドランプ基板８１１は、図３５に示すように、上下に延びる板状に形成される。右サイドランプ基板８１１は、右基板カバー８２１とともに実装面を前方に向けて第１ランプハウス部材８３１の裏側（後側）に取り付けられる。右サイドランプ基板８１１には、第１ランプハウス部材８３１のネジ穴部８３５にネジ固定される固定ネジ（図示せず）が挿通されるネジ挿通孔８１５が複数形成される。
【０１９４】
右サイドランプ基板８１１の実装面の左側には、第１右サイド演出ランプ８１２が上下方向に１列に並んで複数配設される。第１右サイド演出ランプ８１２は、第１右導光板８６１の後縁部８６２に入射する光を発光可能に構成される。右サイドランプ基板８１１の
実装面の右側には、第２右サイド演出ランプ８１３が第１右サイド演出ランプ８１２と左右対称に並んで複数配設される。第２右サイド演出ランプ８１３は、第２右導光板８６６の後縁部８６７に入射する光を発光可能に構成される。右サイドランプ基板８１１の実装面の中央部には、第３右サイド演出ランプ８１４が上下方向に１列に並んで複数配設される。第３右サイド演出ランプ８１４は、第１右導光板８６１と第２右導光板８６６との間に向けて光を発光可能に構成される。
【０１９５】
右基板カバー８２１は、図３５に示すように、右サイドランプ基板８１１の裏側（後側）を覆う板状に形成される。右基板カバー８２１には、第１ランプハウス部材８３１のネジ穴部８３５にネジ固定される固定ネジ（図示せず）が挿通されるネジ挿通孔８２２が複数形成される。固定ネジを右サイドランプ基板８１１および右基板カバー８２１のネジ挿通孔８１５，８２２に挿通させて第１ランプハウス部材８３１のネジ穴部８３５７にネジ固定することにより、第１ランプハウス部材８３１の裏側（後側）に右サイドランプ基板８１１および右基板カバー８２１が重なるように取り付け固定される。右基板カバー８２１の上部には、右サイドランプ基板８１１における実装面と反対側の面に配設されたコネクタ（図示せず）を裏側（後側）に露出させるコネクタ露出部８２３が形成される。
【０１９６】
右基板カバー８２１の裏側（後側）には、右サイド発光演出装置８００を前面扉５２０に取り付け固定するための取付ボス部８２４が形成される。なお、図１６に示すように、右サイド発光演出装置８００の近傍に位置する操作パネル５２３の右端部には、操作パネル５２３の上面部に対して前方側に下傾した傾斜部５４９が形成される。この傾斜部５４９は、遊技者が操作パネル５２３の傾斜部５４９に右手を置いてメダル投入口５２８にメダルを投入しやすいように構成されている。これにより、右サイド発光演出装置８００が前面扉５２０の前方に大きく突出する場合でも、メダル投入口５２８にメダルを容易に投入することができる。
【０１９７】
第１ランプハウス部材８３１は、図３５に示すように、樹脂材料を用いて上下に延びる板状に形成される。右サイドランプ基板８１１は、第１ランプハウス部材８３１の裏面側（後面側）に重なるように取り付けられる。第１ランプハウス部材８３１には、第１ランプハウス部材８３１の裏面側（後面側）に右サイドランプ基板８１１および右基板カバー８２１を固定するための固定ネジ（図示せず）がネジ固定されるネジ穴部８３５が複数形成される。第１ランプハウス部材８３１の上下端部には、結合ネジ（図示せず）を用いて第２ランプハウス部材８４１と結合される結合ボス部８３６が形成される。
【０１９８】
第１ランプハウス部材８３１の左側には、右サイドランプ基板８１１の第１右サイド演出ランプ８１２を前方に露出させる第１ランプ露出穴８３２が複数形成される。第１ランプ露出穴８３２は、前後に貫通して形成され、図３６に示すように、第１右導光板８６１の後縁部８６２が挿入されて第１右サイド演出ランプ８１２と近接して対向するようになっている。第１ランプハウス部材８３１の右側には、右サイドランプ基板８１１の第２右サイド演出ランプ８１３を前方に露出させる第２ランプ露出穴８３３が複数形成される。第２ランプ露出穴８３３は、前後に貫通して形成され、第２右導光板８６６の後縁部８６７が挿入されて第２右サイド演出ランプ８１３と近接して対向するようになっている。第１ランプハウス部材８３１の中央部には、第１ランプハウス部材８３１と第２ランプハウス部材８４１との間に形成される内部空間に右サイドランプ基板８１１の第３右サイド演出ランプ８１４を露出させる第３ランプ露出穴８３４が形成される。
【０１９９】
第２ランプハウス部材８４１は、図３５に示すように、透光性の樹脂材料を用いて上下に延びる板状に形成され、第１ランプハウス部材８３１の前方を覆うように第１ランプハウス部材８３１の表側（前側）に重ねて結合される。第２ランプハウス部材８４１の左側には、第１右導光板８６１の後側が挿通される第１導光板挿通孔８４２が形成される。第
２ランプハウス部材８４１の右側には、第２右導光板８６６の後側が挿通される第２導光板挿通孔８４３が形成される。また、第２ランプハウス部材８４１の裏面側（後面側）には、微細な凹凸が形成されており。右サイドランプ基板８１１の第３右サイド演出ランプ８１４から発光した光が拡散して第２ランプハウス部材８４１の中央部を透過するようになっている。
【０２００】
第２ランプハウス部材８４１の外側部には、内カバー部材８７１の第１係止片部８７４が係止可能な第１係止爪部８４４が形成される。また、第２ランプハウス部材８４１の外側部には、外カバー部材８８１の第２係止片部８８２が係止可能な第２係止爪部８４５が形成される。
【０２０１】
第１右導光板８６１は、図３５に示すように、透光性の樹脂材料を用いて、第１ランプハウス部材８３１および第２ランプハウス部材８４１の側方（左右方向）を向いて上下に延びる板状に形成される。第１右導光板８６１は、図３６に示すように、後側が第１導光板挿通孔８４２に挿通された状態で、第２ランプハウス部材８４１の前側に取り付けられる。第１右導光板８６１の後縁部８６２は、第１ランプハウス部材８３１の第１ランプ露出穴８３２に挿入されて右サイドランプ基板８１１の第１右サイド演出ランプ８１２と対向するように配置される。第１右導光板８６１の前縁部８６３は、内カバー部材８７１の前方トラス形状部８７２の裏側（後側）に形成された溝部に当接するように配置される。これにより、第１右導光板８６１は、第１右サイド演出ランプ８１２から発光した光を内カバー部材８７１の前方トラス形状部８７２に導くことができる。なお、第１右導光板８６１の側面に、第１右導光板８６１の後縁部８６２に入射する光の一部を側方に向けて反射させて所定の模様（例えば、内カバー部材８７１と同様のトラス形状の模様）を発光表示させることが可能な微細な凹凸部（図示せず）が形成されている。
【０２０２】
第２右導光板８６６は、図３５に示すように、透光性の樹脂材料を用いて、第１ランプハウス部材８３１および第２ランプハウス部材８４１の側方（左右方向）を向いて上下に延びる板状に形成される。第２右導光板８６６は、図３６に示すように、後側が第２導光板挿通孔８４３に挿通された状態で、第２ランプハウス部材８４１の前側に取り付けられる。第２右導光板８６６の後縁部８６７は、第１ランプハウス部材８３１の第２ランプ露出穴８３３に挿入されて右サイドランプ基板８１１の第２右サイド演出ランプ８１３と対向するように配置される。第２右導光板８６６の前縁部８６８は、内カバー部材８７１の前方トラス形状部８７２の裏側（後側）に形成された溝部に当接するように配置される。これにより、第２右導光板８６６は、第２右サイド演出ランプ８１３から発光した光を内カバー部材８７１の前方トラス形状部８７２に導くことができる。なお、第２右導光板８６６の側面には、第２右導光板８６６の後縁部８６７に入射する光の一部を側方に向けて反射させて所定の模様（例えば、内カバー部材８７１と同様のトラス形状の模様）を発光表示させることが可能な微細な凹凸部（図示せず）が形成されている。
【０２０３】
内カバー部材８７１は、透光性の樹脂材料を用いて、第１右導光板８６１および第２右導光板８６６の前側を覆うカバー状に形成される。内カバー部材８７１の前部には、トラス状に切り抜かれて第１右導光板８６１および第２右導光板８６６の前縁部８６３，８６８を覆う前方トラス形状部８７２が形成される。なお、前方トラス形状部８７２の裏側（後側）には、ハーフ蒸着加工が施されるとともに、第１右導光板８６１および第２右導光板８６６の前縁部８６３，８６８が当接可能な溝部が形成される。内カバー部材８７１の左右側部には、トラス状に切り抜かれて第１右導光板８６１および第２右導光板８６６の側方を覆う側方トラス形状部８７３が形成される。内カバー部材８７１の後縁部には、第２ランプハウス部材８４１の第１係止爪部８４４に係止可能な第１係止片部８７４が形成され、第１係止片部８７４が第１係止爪部８４４に係止した状態で、内カバー部材８７１が第２ランプハウス部材８４１の前側に取り付けられる。
【０２０４】
外カバー部材８８１は、透明樹脂材料を用いて、内カバー部材８７１の表面側（前面側）に重なるカバー状に形成される。外カバー部材８８１の後縁部には、第２ランプハウス部材８４１の第２係止爪部８４５に係止可能な第２係止片部８８２が形成され、第２係止片部８８２が第２係止爪部８４５に係止した状態で、外カバー部材８８１が第２ランプハウス部材８４１の前側に取り付けられる。
【０２０５】
以上のように構成される右サイド発光演出装置８００において、右サイドランプ基板８１１の第３右サイド演出ランプ８１４から発光した光は、第１ランプハウス部材８３１と第２ランプハウス部材８４１との間に形成される内部空間を通って第２ランプハウス部材８４１の中央部に達する。第２ランプハウス部材８４１の中央部に達した光は、拡散して第２ランプハウス部材８４１を透過し、第１右導光板８６１、第２右導光板８６６、または内カバー部材８７１を通って、外カバー部材８８１を透過する。これにより、第３右サイド演出ランプ８１４を発光させることによって、右サイド発光演出装置８００を全体的に発光させることができる。
【０２０６】
右サイドランプ基板８１１の第１右サイド演出ランプ８１２から発光した光は、第１右導光板８６１の後縁部８６２に入射する。第１右導光板８６１の後縁部８６２に入射した光は、第１右導光板８６１の前方に導かれて第１右導光板８６１の前縁部８６３から射出される。第１右導光板８６１の前縁部８６３から射出された光は、内カバー部材８７１の前方トラス形状部８７２に入射し、内カバー部材８７１に入射した一部の光が前方トラス形状部８７２を透過し、他の光がハーフ蒸着加工の前方トラス形状部８７２で反射して側方トラス形状部８７３の左側を透過する。なお、第１右導光板８６１の後縁部８６２に入射した光の一部は、第１右導光板８６１の側面の凹凸部（図示せず）で反射して側方に射出され、所定の模様（例えば、内カバー部材８７１と同様のトラス形状の模様）が発光表示される。
【０２０７】
右サイドランプ基板８１１の第２右サイド演出ランプ８１３から発光した光は、第２右導光板８６６の後縁部８６７に入射する。第２右導光板８６６の後縁部８６７に入射した光は、第２右導光板８６６の前方に導かれて第２右導光板８６６の前縁部８６８から射出される。第２右導光板８６６の前縁部８６８から射出された光は、内カバー部材８７１の前方トラス形状部８７２に入射し、内カバー部材８７１に入射した一部の光が前方トラス形状部８７２を透過し、他の光がハーフ蒸着加工の前方トラス形状部８７２で反射して側方トラス形状部８７３の右側を透過する。なお、第２右導光板８６６の後縁部８６７に入射した光の一部は、第２右導光板８６６の側面の凹凸部（図示せず）で反射して側方に射出され、所定の模様（例えば、内カバー部材８７１と同様のトラス形状の模様）が発光表示される。
【０２０８】
これにより、第１右サイド演出ランプ８１２および第２右サイド演出ランプ８１３を発光させることによって、内カバー部材８７１の前方トラス形状部８７２もしくは側方トラス形状部８７３を強調して発光させることができる。例えば、第１右サイド演出ランプ８１２および第２右サイド演出ランプ８１３の発光色と、第３右サイド演出ランプ８１４の発光色とが異なるように設定されることで、外カバー部材８８１に、内カバー部材８７１のトラス形状を映し出すことが可能である。
【０２０９】
［第２実施形態における特徴構成］
［下部発光演出装置の特徴構成］
本実施形態において、下部発光演出装置５５０は、下部ランプ基板５５１の複数の下部演出ランプ５５２，５５２，…から発光した光を通過させることが可能な複数の通過孔５６２，５６２，…を有する多孔プレート５６１と、多孔プレート５６１の前方に所定間隔
だけ離間して設けられ、通過孔５６２を通過した光が透過して通過孔５６２の形状に応じた複数の図形が互いに交わるように映し出される第１下部ランプカバー５７１および第２下部ランプカバー５７６とを備えて構成される。これにより、多孔プレート５６１を利用して、第１下部ランプカバー５７１および第２下部ランプカバー５７６に、通過孔５６２の形状に応じた複数の円形状の光が互いに交わって構成される模様を映し出すことが可能になり、簡便な構成で、より多彩な演出を行うことができる。
【０２１０】
また、下部演出ランプ５５２から発光した光のうち一部が、複数の通過孔５６２，５６２，…のうち一つを通過するとともに、下部演出ランプ５５２から発光した光のうち他の一部が、複数の通過孔５６２，５６２，…のうち他の一つを通過するように、多孔プレート５６１が下部ランプ基板５５１から離間して配置される。これにより、一つの下部演出ランプ５５２から発光した光は、二つ以上の通過孔５６２を通過して第１下部ランプカバー５７１に達するため、第１下部ランプカバー５７１および第２下部ランプカバー５７６に、通過孔５６２の形状に応じた複数の円形状の光が互いに交わって構成される模様を映し出すことができる。
【０２１１】
また、第１下部ランプカバー５７１が透光性を有する乳白色の材料を用いて形成され、第２下部ランプカバー５７６が半透明の材料を用いて形成される。このように、第１下部ランプカバー５７１と第２下部ランプカバー５７６とが、互いに透光性の異なる材料を用いて形成されることで、屈折率等の違いにより、第１下部ランプカバー５７１と第２下部ランプカバー５７６とに映し出される図形にわずかに違いが生じるため、第１下部ランプカバー５７１および第２下部ランプカバー５７６に、通過孔５６２の形状に応じた複数の円形状の光が、自然にぼやけた感じで映し出されるようにすることができる。
【０２１２】
また、演出装置取付部５４１は、第１下部ランプカバー５７１を透過する光の一部を装飾パネル５３４の裏側に導く導光部５４２を有している。これにより、下部発光演出装置５５０から発光する光が装飾パネル５３４の方に漏れるような演出を行うことが可能になる。
【０２１３】
［上部発光演出装置の特徴構成］
また、本実施形態において、上部発光演出装置６６０は、第１上部ランプ基板６６１の第１上部演出ランプ６６２を発光させて、第１上部演出ランプ６６２から上部導光板６９２の縁部６９２ａに入射して射出面６９２ｄから射出される光により第１上部演出図柄６９３ａを照明して発光表示させ、第２上部ランプ基板６７１の第２上部演出ランプ６７２を発光させて、第２上部演出ランプ６７２からの光により第２上部演出図柄６９１ａを照明して上部導光板６９２および表側上部装飾部材６９３を通して発光表示させるように構成される。そのため、上部発光演出装置６６０は、第１上部演出図柄６９３ａと第２上部演出図柄６９１ａとを切り替えて発光表示することが可能になり、液晶表示装置等を用いることなく簡便な構成で、多彩な演出を行うことができる。
【０２１４】
また、第１上部演出図柄６９３ａは、インクジェット印刷により表側上部装飾部材６９３に形成され、第２上部演出図柄６９１ａは、シルク印刷により裏側上部装飾部材６９１に形成される。これにより、裏側上部装飾部材６９１の表側に表側上部装飾部材６９３が配置されていても、第２上部演出ランプ６７２を発光させることにより、第２上部演出図柄６９１ａを第１上部演出図柄６９３ａよりも強調して発光表示することができる。
【０２１５】
また、上部発光演出装置６６０は、前面扉５２０の上辺部と略平行に延びて設けられ、第１上部ランプ基板６６１の第１上部演出ランプ６６２は、上部導光板６９２の長手方向に沿って延びる縁部６９２ａに対向して複数設けられる。これにより、上部導光板６９２が細長く延びて形成される場合であっても、上部導光板６９２の縁部６９２ａに入射して
射出面６９２ｄから射出される光の光量を確保することができる。
【０２１６】
［左サイド発光演出装置の特徴構成］
また、本実施形態において、左サイド発光演出装置７００は、第１左サイドランプ基板７１１の第１左サイド演出ランプ７１２を発光させて、第１左サイド演出ランプ７１２から左導光板７７２の長手方向縁部７７２ａに入射して射出面７７２ｄから射出される光により第１左演出図柄７７３ａを照明して発光表示させ、第２左サイドランプ基板７３１の第２左サイド演出ランプ７３２を発光させて、第２左サイド演出ランプ７３２からの光により第２左演出図柄７７１ａを照明して左導光板７７２および表側左装飾部材７７３を通して発光表示させるように構成される。そのため、左サイド発光演出装置７００は、第１左演出図柄７７３ａと第２左演出図柄７７１ａとを切り替えて発光表示することが可能になり、液晶表示装置等を用いることなく簡便な構成で、多彩な演出を行うことができる。
【０２１７】
また、第１左演出図柄７７３ａは、インクジェット印刷により表側左装飾部材７７３に形成され、第２左演出図柄７７１ａは、シルク印刷により裏側左装飾部材７７１に形成される。これにより、裏側左装飾部材７７１の表側に表側左装飾部材７７３が配置されていても、第２左サイド演出ランプ７３２を発光させることにより、第２左演出図柄７７１ａを第１左演出図柄７７３ａよりも強調して発光表示することができる。
【０２１８】
また、左サイド発光演出装置７００は、前面扉５２０の左辺部と略平行に延びて設けられ、左導光板７７２は、左導光板７７２の長手方向に沿って延びる長手方向縁部７７２ａと、左導光板７７２の長手方向の端部（上端部）に形成されて長手方向縁部７７２ａから傾斜して延びる傾斜縁部７７２ｂとを有し、第１左サイド演出ランプ７１２が長手方向縁部７７２ａに対向して複数設けられ、第１補助照明ランプ７２２が傾斜縁部７７２ｂに対向して複数設けられる。これにより、左導光板７７２が細長く延びて形成される場合であっても、左導光板７７２の長手方向縁部７７２ａおよび傾斜縁部７７２ｂに入射して射出面７７２ｄから射出される光の光量を確保することができる。
【０２１９】
上述の第２実施形態において、上部発光演出装置６６０は、第１上部演出図柄６９３ａが形成された表側上部装飾部材６９３を備えて構成されているが、これに限られるものではなく、表側上部装飾部材６９３を備えていなくてもよい。例えば、上部発光演出装置において、上部導光板６９２の裏面に、上部導光板６９２の縁部６９２ａに入射する光を射出面６９２ｄに向けて反射させて第１上部演出図柄を発光表示させることが可能な複数の凹凸部（図示せず）が形成され、第１上部ランプ基板６６１の第１上部演出ランプ６６２を発光させて、第１上部演出ランプ６６２から上部導光板６９２の縁部６９２ａに入射して当該凹凸部で反射する光を射出面６９２ｄから射出させることにより、第１上部演出図柄を発光表示させるように構成されてもよい。このようにしても、第１上部演出図柄と第２上部演出図柄とを切り替えて発光表示することが可能になり、液晶表示装置等を用いることなく簡便な構成で、多彩な演出を行うことができる。なお、左サイド発光演出装置７００においても、同様に構成することが可能である。
【０２２０】
上述の第２実施形態において、下部ランプ基板５５１の下部演出ランプ５５２は、多孔プレート５６１の通過孔５６２の中央位置と対向して配置されているが、これに限られるものではなく、多孔プレート５６１における通過孔５６２と対向しない位置、例えば、多孔プレート５６１における複数の通過孔５６２，５６２，…の間の中間位置と対向して配置されるようにしてもよい。これにより、第１下部ランプカバー５７１および第２下部ランプカバー５７６に、下部演出ランプ５５２が点光源として映し出されるのを防止することが可能である。
【０２２１】
上述の第２実施形態において、左サイド発光演出装置７００のカバーフレーム７６１に
おける内向側カバー取付部７６４の前端部の裏側に、第２左サイドランプ基板７３１の第２左サイド演出ランプ７３２から発光した光を裏側左装飾部材７７１に向けて反射させるリフレクタが設けられるようにしてもよい。このようにすれば、裏側左装飾部材７７１（および、左導光板７７２、表側左装飾部材７７３）に対し傾斜して配置された第２左サイドランプ基板７３１から遠い部分（裏側左装飾部材７７１の前側部分）に向けて、第２左サイドランプ基板７３１からの光を反射させることができるため、裏側左装飾部材７７１の第２左演出図柄７７１ａを均一に照明することが可能になる。
【０２２２】
上述の第２実施形態において、前面扉５２０の上部に、上部発光演出装置６６０が設けられているが、これに限られるものではなく、上部発光演出装置６６０に代えて、第１実施形態に係る演出表示装置３００と同様の演出表示装置が設けられるようにしてもよい。
【０２２３】
上述の第２実施形態において、リール表示窓５２２の後面側に、第１実施形態に係るリールシャッターユニット１００と同様のリールシャッターユニットが設けられるようにしてもよい。
【０２２４】
［第３実施形態］
次に、遊技機の第３実施形態について説明する。まず、図３７〜図４０を参照しながら、遊技機の第３実施形態としてスロットマシンＳＭ３の概要について説明する。なお、第３実施形態において、図４０の各矢印で示す方向をそれぞれ、上下方向、前後方向、左右方向として説明する。また、第３実施形態のスロットマシンＳＭ３は、第２実施形態のスロットマシンＳＭ２と比較して、基体部５２０が同様の構成であるため、同一部材に同一の符号を付して、簡潔に説明を行う。第３実施形態のスロットマシンＳＭ３は、箱状の基体部５１０と、前面扉１０２０とを主体に構成される。基体部５１０は前方に開口部５１０ａを有する箱状に形成され、基体部５１０の前部に前面扉１０２０が取り付けられる。前面扉１０２０は、ヒンジ機構５０５ａ，５０５ｂを用いて基体部５１０の左前部に枢支され、基体部５１０の開口部５１０ａを揺動開閉可能に構成される。
【０２２５】
基体部５１０の内部中央には、３つのリール５１２ａ，５１２ｂ，５１２ｃを備えるリールユニット５１１が設けられ、前面扉１０２０に設けられたリール表示窓１０２２を通して３つのリール５１２ａ，５１２ｂ，５１２ｃに描かれている図柄を視認することができるようになっている。第２実施形態と同様に、基体部５１０の内部下側には、電源ユニット５１３、およびホッパー５１４ａを備えるメダル払出装置５１４が設けられる。基体部５１０の背板部の上側内面には、主制御装置５１５が設けられる。基体部５１０の左側板部の上側内面には、副制御装置５１６が設けられる。基体部５１０の左側板部の中間部内面には、基板ケースについての詳細を後述する演出制御ユニット１３００が取り付けられる。
【０２２６】
前面扉１０２０には前面枠１０２１が形成されており、前面枠１０２１の略中央部に、リール表示窓１０２２および、リール表示窓１０２２の周辺部で所定の演出画像を表示する画像表示装置１０３０が設けられる。前面扉１０２０の前面側中央には、リール表示窓１０２２の下方に位置して操作パネル１２００が設けられる。操作パネル１２００の前面側には、スタートスイッチ１０２４、および３つのストップスイッチ１０２５ａ，１０２５ｂ，１０２５ｃが設けられる。操作パネル１２００の上面側には、各種ベットスイッチを有するベットスイッチユニット１０２６、各種演出操作スイッチを有する演出操作スイッチユニット１０２７、メダル投入口を有するメダル投入ユニット１０２８、および状態表示ランプ１０２９（図４０を参照）が設けられる。
【０２２７】
前面扉１０２０の前面側上部には、上部発光演出装置１０３１、および左右の電飾装置１０３２，１０３３が設けられる。前面扉１０２０の前面側中央には、リール表示窓１０
２２の側方に位置して左右のサイドランプ１０３４，１０３５が取り付けられる。前面扉１０２０の前面側下部には、装飾パネルユニット１１００、およびメダル払出装置５１４から払い出されたメダルが貯留される受け皿１０３６が設けられる。
【０２２８】
前面扉１０２０が基体部５１０の開口部５１０ａを閉じた状態では、前面扉１０２０の後面側が基体部５１０の内部側に位置する。前面扉１０２０の後面側には、リール表示窓１０２２に配置された枠状のエスカッション１０３７、メダル投入ユニット１０２８のメダル投入口に投入されたメダルの選別を行うメダルセレクタ１０３８、左右の上部スピーカーユニット１０３９，１０４０、および左右の下部スピーカーユニット１０４１，１０４２が設けられる。
【０２２９】
［操作パネルの構成］
次に、第３実施形態に係る操作パネル１２００および、操作パネル１２００の下方に設けられる装飾パネルユニット１１００について、図４０〜図４４を参照して説明する。操作パネル１２００は、図４０に示すように、前面枠１０２１の略中央部に形成された操作ユニット取付部１０５０に取り付けられる。操作ユニット取付部１０５０は、リール表示窓１０２２の下方において、リール表示窓１０２２および画像表示装置１０３０（前面扉１０２０）の前面側から前方に突出するとともに左右方向に延びるステージ状に形成される。
【０２３０】
操作ユニット取付部１０５０の上面部左側には、穴状のベットスイッチ取付部１０５１が形成され、このベットスイッチ取付部１０５１にベットスイッチユニット１０２６および状態表示ランプ１０２９が上方を向いて取り付けられる。操作ユニット取付部１０５０の上面部中央には、演出操作スイッチユニット１０２７の外周形状に合わせた穴状の演出スイッチ取付部１０５２が形成され、この演出スイッチ取付部１０５２に演出操作スイッチユニット１０２７が上方を向いて取り付けられる。操作ユニット取付部１０５０の上面部右側には、メダル投入ユニット１０２８の外周形状に合わせた穴状のメダルユニット取付部１０５３が形成され、このメダルユニット取付部１０５３にメダル投入ユニット１０２８が取り付けられる。
【０２３１】
操作ユニット取付部１０５０の前面部中央には、３つのストップスイッチ１０２５ａ，１０２５ｂ，１０２５ｃが取り付けられる。操作ユニット取付部１０５０の前面部左側には、スタートスイッチ１０２４が取り付けられる。また、操作ユニット取付部１０５０の前面部左側には、操作ユニット取付部１０５０の前面部中央よりも後方に凹んだ左上側パネル取付部１０５４が形成される。左上側パネル取付部１０５４には、装飾パネルユニット１１００の左上部が取り付けられる。操作ユニット取付部１０５０の前面部右側には、操作ユニット取付部１０５０の前面部中央よりも後方に凹んだ右上側パネル取付部１０５５が形成される。右上側パネル取付部１０５５には、装飾パネルユニット１１００の右上部が取り付けられる。
【０２３２】
前面枠１０２１の前面側における操作ユニット取付部１０５０の下方には、左上側パネル取付部１０５４および右上側パネル取付部１０５５の下側に繋がって左右に延びる装飾パネル取付部１０６０が形成される。この装飾パネル取付部１０６０に、装飾パネルユニット１１００の下側部分が取り付けられる。装飾パネルユニット１１００は、図４０および図４２に示すように、第１装飾ランプ基板１１１０と、第２装飾ランプ基板１１２０と、第３装飾ランプ基板１１３０と、第１多孔プレート１１４０と、第２多孔プレート１１５０と、第３多孔プレート１１６０と、パネル導光部材１１７０と、装飾パネル部材１１８０とを有して構成される。なお、第１装飾ランプ基板１１１０、第２装飾ランプ基板１１２０、および第３装飾ランプ基板１１３０は、演出制御ユニット１３００と電気的に接続され、演出制御ユニット１３００から送信されたランプ制御信号に応じて、各ランプの
発光制御を行う。
【０２３３】
第１装飾ランプ基板１１１０は、左右にＶ字状に拡がる板状に形成され、実装面が前方を向くように装飾パネル取付部１０６０に取り付けられる。第１装飾ランプ基板１１１０の実装面には、第１装飾ランプ１１１１がＶ字状に並んで複数配設される。第１装飾ランプ１１１１は、トップビュータイプのＬＥＤランプを用いて構成され、前方のパネル導光部材１１７０に向けて光を発光可能に構成される。
【０２３４】
第２装飾ランプ基板１１２０は、上下に延びる板状に形成され、実装面が前方を向くように左上側パネル取付部１０５４に取り付けられる。第２装飾ランプ基板１１２０の実装面には、第２装飾ランプ１１２１が複数散らばって配設される。第２装飾ランプ１１２１は、トップビュータイプのＬＥＤランプを用いて構成され、前方のパネル導光部材１１７０に向けて光を発光可能に構成される。また、第２装飾ランプ基板１１２０の実装面の上端には、左上パネルランプ１１２２が左右方向に複数並んで配設される。左上パネルランプ１１２２は、第２装飾ランプ基板１１２０の延在方向に沿って光を発光可能なサイドビュータイプのＬＥＤランプを用いて構成され、第２装飾ランプ基板１１２０の上方に位置する操作パネル１２００の左側透光部材１２２０に向けて光を発光可能に構成される。
【０２３５】
第３装飾ランプ基板１１３０は、上下に延びる板状に形成され、実装面が前方を向くように右上側パネル取付部１０５５に取り付けられる。第３装飾ランプ基板１１３０の実装面には、第３装飾ランプ１１３１が複数散らばって配設される。第３装飾ランプ１１３１は、トップビュータイプのＬＥＤランプを用いて構成され、前方のパネル導光部材１１７０に向けて光を発光可能に構成される。また、第３装飾ランプ基板１１３０の実装面の上端には、右上パネルランプ１１３２が左右方向に複数並んで配設される。右上パネルランプ１１３２は、第３装飾ランプ基板１１３０の延在方向に沿って光を発光可能なサイドビュータイプのＬＥＤランプを用いて構成され、第３装飾ランプ基板１１３０の上方に位置する操作パネル１２００の右側透光部材１２３０に向けて光を発光可能に構成される。
【０２３６】
第１多孔プレート１１４０は、樹脂材料を用いて、左右にＶ字状に拡がる板状に形成される。第１多孔プレート１１４０は、第１装飾ランプ基板１１１０の前方を覆うように装飾パネル取付部１０６０に取り付けられる。第１多孔プレート１１４０には、前後に貫通した第１通過孔１１４１が第１装飾ランプ基板１１１０の第１装飾ランプ１１１１と対向して複数形成される。また、第１多孔プレート１１４０の側部には、パネル導光部材１１７０の第１係止片部１１７１が係止可能な第１係止爪部１１４２が形成される。
【０２３７】
第２多孔プレート１１５０は、樹脂材料を用いて、上下に延びる板状に形成される。第２多孔プレート１１５０は、第２装飾ランプ基板１１２０の前方を覆うように左上側パネル取付部１０５４に取り付けられる。第２多孔プレート１１５０には、前後に貫通した第２通過孔１１５１が第２装飾ランプ基板１１２０の第２装飾ランプ１１２１と対向して複数形成される。第２多孔プレート１１５０の上端部には、上方に開口した切欠き部１１５２が第２装飾ランプ基板１１２０の左上パネルランプ１１２２と対向して形成される。また、第２多孔プレート１１５０の側部には、パネル導光部材１１７０の第２係止片部１１７２が係止可能な第２係止爪部１１５３が形成される。
【０２３８】
第３多孔プレート１１６０は、樹脂材料を用いて、上下に延びる板状に形成される。第３多孔プレート１１６０は、第３装飾ランプ基板１１３０の前方を覆うように右上側パネル取付部１０５５に取り付けられる。第３多孔プレート１１６０には、前後に貫通した第３通過孔１１６１が第３装飾ランプ基板１１３０の第３装飾ランプ１１３１と対向して複数形成される。第３多孔プレート１１６０の上端部には、上方に開口した切欠き部１１６２が第３装飾ランプ基板１１３０の右上パネルランプ１１３２と対向して形成される。ま
た、第３多孔プレート１１６０の側部には、パネル導光部材１１７０の第３係止片部１１７３が係止可能な第３係止爪部１１６３が形成される。第３多孔プレート１１６０の上端部には、切欠き部１１６２に隣接して、メダル詰まり解消のためのボタンを挿通可能に前後に貫通した逃げ穴部１１６４が形成される。
【０２３９】
パネル導光部材１１７０は、透光性の樹脂材料を用いて、所定の装飾（例えば、微細な凹凸状の装飾）が施されたカバー状に形成される。パネル導光部材１１７０は、第１多孔プレート１１４０、第２多孔プレート１１５０、および第３多孔プレート１１６０の前方を覆うように、装飾パネル取付部１０６０と、左上側パネル取付部１０５４と、右上側パネル取付部１０５５とに跨って取り付けられる。パネル導光部材１１７０の左右側部には、第１多孔プレート１１４０の第１係止爪部１１４２に係止可能な第１係止片部１１７１が形成される。また、パネル導光部材１１７０の左方側部には、第２多孔プレート１１５０の第２係止爪部１１５３に係止可能な第２係止片部１１７２が形成される。パネル導光部材１１７０の右方側部には、第３多孔プレート１１６０の第３係止爪部１１６３に係止可能な第３係止片部１１７３が形成される。また、パネル導光部材１１７０の左右側部には、装飾パネル部材１１８０の第４係止片部１１８５が係止可能な第４係止爪部１１７４が形成される。
【０２４０】
装飾パネル部材１１８０は、透光性の樹脂材料を用いて、パネル導光部材１１７０の形状に合わせたカバー状に形成される。装飾パネル部材１１８０は、パネル導光部材１１７０の前方を覆うように、装飾パネル取付部１０６０と、左上側パネル取付部１０５４と、右上側パネル取付部１０５５とに跨って取り付けられる。装飾パネル部材１１８０の左上端部には、第２多孔プレート１１５０の切欠き部１１５２と対向する壁状の左上導光部１１８１が形成される。左上導光部１１８１は、図４４に示すように、操作パネル１２００の左側透光部材１２２０の下面側に重なるように左上側パネル取付部１０５４に取り付けられ、第２装飾ランプ基板１１２０の左上パネルランプ１１２２から発光した光を左側透光部材１２２０の前部に向けて透過させるようになっている。また、装飾パネル部材１１８０の左上部には、スタートスイッチ１０２４が挿通される左側逃げ部１１８２が形成される。
【０２４１】
装飾パネル部材１１８０の右上端部には、第３多孔プレート１１６０の切欠き部１１６２と対向する壁状の右上導光部１１８３が形成される。右上導光部１１８３は、操作パネル１２００の右側透光部材１２３０の下面側に重なるように右上側パネル取付部１０５５に取り付けられ、第３装飾ランプ基板１１３０の右上パネルランプ１１３２から発光した光を右側透光部材１２３０の前部に向けて透過させるようになっている。また、装飾パネル部材１１８０の右上部には、第３多孔プレート１１６０の逃げ穴部１１６４と位置整合して前後に貫通した右側逃げ穴部１１８４が形成される。装飾パネル部材１１８０の側部には、パネル導光部材１１７０の第４係止爪部１１７４に係止可能な第４係止片部１１８５が形成される。
【０２４２】
操作パネル１２００は、図４０および図４３に示すように、上パネル部材１２１０と、左側透光部材１２２０と、右側透光部材１２３０と、第１左上ランプ基板１２４０と、第２左上ランプ基板１２５０と、第１右上ランプ基板１２６０と、第２右上ランプ基板１２７０とを有して構成される。なお、第１左上ランプ基板１２４０、第２左上ランプ基板１２５０、第１右上ランプ基板１２６０、および第２右上ランプ基板１２７０は、演出制御ユニット１３００と電気的に接続され、演出制御ユニット１３００から送信されたランプ制御信号に応じて、各ランプの発光制御を行う。
【０２４３】
上パネル部材１２１０は、樹脂材料を用いて左右に延びる薄板状に形成され、ベットスイッチユニット１０２６、演出操作スイッチユニット１０２７、メダル投入ユニット１０
２８、および状態表示ランプ１０２９とともに、操作ユニット取付部１０５０の上面部に取り付けられる。上パネル部材１２１０は、操作ユニット取付部１０５０の上面部に、当該上面部におけるベットスイッチ取付部１０５１、演出スイッチ取付部１０５２、およびメダルユニット取付部１０５３を除いた部分を覆うように取り付けられる。
【０２４４】
上パネル部材１２１０の左側には、ベットスイッチユニット１０２６が挿通されるベットスイッチ挿通孔１２１１が形成される。上パネル部材１２１０の中央には、演出操作スイッチユニット１０２７が挿通される演出スイッチ挿通孔１２１２が形成される。なお、演出スイッチ挿通孔１２１２には、演出操作スイッチユニット１０２７の上部を覆うパネルカバー部材１２１５が取り付けられるようになっている。上パネル部材１２１０の右側には、メダル投入ユニット１０２８が挿通されるメダル投入ユニット挿通部１２１３が形成される。
【０２４５】
左側透光部材１２２０は、透明樹脂材料を用いて左右に延びる薄板状に形成され、ベットスイッチ取付部１０５１に取り付けられて上パネル部材１２１０の左側と操作ユニット取付部１０５０の上面部との間に重なるように配置される。左側透光部材１２２０の右側には、ベットスイッチユニット１０２６が挿通されるベットスイッチ挿通孔１２２１が形成される。左側透光部材１２２０の左側には、状態表示ランプ１０２９の表示部が挿通される表示ランプ挿通孔１２２２が形成され、ベットスイッチ取付部１０５１に取り付けられた状態表示ランプ１０２９が上パネル部材１２１０の左方の下面側に重なるようになっている。左側透光部材１２２０の右端部には、下方に突出してベットスイッチ取付部１０５１に固定される固定アーム部１２２３が形成される。
【０２４６】
右側透光部材１２３０は、透明樹脂材料を用いて左右に延びる薄板状に形成され、メダルユニット取付部１０５３に取り付けられて上パネル部材１２１０の右側と操作ユニット取付部１０５０の上面部との間に重なるように配置される。右側透光部材１２３０の中央側には、メダル投入ユニット１０２８が挿通されるメダル投入ユニット挿通部１２３１が形成される。右側透光部材１２３０の左端部には、下方に突出してメダルユニット取付部１０５３に固定される固定アーム部１２３２が形成される。
【０２４７】
第１左上ランプ基板１２４０は、図４３および図４４に示すように、ブラケット状に形成された第１左上ランプ保持部１２４５に保持されて操作ユニット取付部１０５０における左上側パネル取付部１０５４の裏側（後側）に固定される。第１左上ランプ保持部１２４５は、第１左上ランプ基板１２４０をベットスイッチユニット１０２６の後下方の位置で保持する。第１左上ランプ基板１２４０の実装面には、第１後側左上パネルランプ１２４１が配設される。第１後側左上パネルランプ１２４１は、左側透光部材１２２０の左後部に向けて光を発光可能に構成される。
【０２４８】
第２左上ランプ基板１２５０は、図４１および図４３に示すように、操作ユニット取付部１０５０における左上側パネル取付部１０５４の裏側（後側）に設けられた第２左上ランプ保持部１２５５に取り付け保持される。第２左上ランプ保持部１２５５は、第２左上ランプ基板１２５０をベットスイッチユニット１０２６の右下方で保持する。第２左上ランプ基板１２５０の実装面には、第２後側左上パネルランプ１２５１が配設される。第２後側左上パネルランプ１２５１は、左側透光部材１２２０の右後部に向けて光を発光可能に構成される。
【０２４９】
第１右上ランプ基板１２６０は、図４１および図４３に示すように、操作ユニット取付部１０５０における右上側パネル取付部１０５５の裏側（後側）に設けられた第１右上ランプ保持部１２６５に取り付け保持される。第１右上ランプ保持部１２６５は、第１右上ランプ基板１２６０をメダル投入ユニット１０２８の後下方で保持する。第１右上ランプ
基板１２６０の実装面には、第１後側右上パネルランプ１２６１が配設される。第１後側右上パネルランプ１２６１は、右側透光部材１２３０の右後部に向けて光を発光可能に構成される。
【０２５０】
第２右上ランプ基板１２７０は、図４１および図４３に示すように、操作ユニット取付部１０５０における右上側パネル取付部１０５５の裏側（後側）に設けられた第２右上ランプ保持部１２７５に取り付け保持される。第２右上ランプ保持部１２７５は、第２右上ランプ基板１２７０をメダル投入ユニット１０２８の左下方で保持する。第２右上ランプ基板１２７０の実装面には、第２後側右上パネルランプ１２７１が配設される。第２後側右上パネルランプ１２７１は、右側透光部材１２３０の左後部に向けて光を発光可能に構成される。
【０２５１】
以上のように構成される装飾パネルユニット１１００および操作パネル１２００において、第１装飾ランプ基板１１１０の第１装飾ランプ１１１１から発光した光は、第１多孔プレート１１４０の第１通過孔１１４１を通過してパネル導光部材１１７０および装飾パネル部材１１８０を透過する。第２装飾ランプ基板１１２０の第２装飾ランプ１１２１から発光した光は、第２多孔プレート１１５０の第２通過孔１１５１を通過してパネル導光部材１１７０および装飾パネル部材１１８０を透過する。第３装飾ランプ基板１１３０の第３装飾ランプ１１３１から発光した光は、第３多孔プレート１１６０の第３通過孔１１６１を通過してパネル導光部材１１７０および装飾パネル部材１１８０を透過する。これにより、第１装飾ランプ１１１１、第２装飾ランプ１１２１、および第３装飾ランプ１１３１を発光させることによって、装飾パネル部材１１８０を全体的に発光させることができる。
【０２５２】
このとき、第２装飾ランプ基板１１２０の左上パネルランプ１１２２が発光すると、左上パネルランプ１１２２から発光した光は、第２多孔プレート１１５０の切欠き部１１５２（およびパネル導光部材１１７０の間隙部）を通過して装飾パネル部材１１８０の左上導光部１１８１を透過する。これにより、装飾パネル部材１１８０の左上導光部１１８１から射出された光が、操作パネル１２００の左側透光部材１２２０の前部に入射して左側透光部材１２２０および上パネル部材１２１０を透過し、上パネル部材１２１０におけるベットスイッチユニット１０２６の前側近傍が発光する。
【０２５３】
また、第１左上ランプ基板１２４０の第１後側左上パネルランプ１２４１が発光すると、第１後側左上パネルランプ１２４１から発光した光が、左側透光部材１２２０の左後部に入射して左側透光部材１２２０および上パネル部材１２１０を透過し、上パネル部材１２１０におけるベットスイッチユニット１０２６の後側近傍が発光する。また、第２左上ランプ基板１２５０の第２後側左上パネルランプ１２５１が発光すると、第２後側左上パネルランプ１２５１から発光した光が、左側透光部材１２２０の右後部に入射して左側透光部材１２２０および上パネル部材１２１０を透過し、上パネル部材１２１０におけるベットスイッチユニット１０２６の後側近傍が発光する。このように、左上パネルランプ１１２２、第１後側左上パネルランプ１２４１、および第２後側左上パネルランプ１２５１を発光させることによって、上パネル部材１２１０におけるベットスイッチユニット１０２６の近傍を発光させることができる。
【０２５４】
またこのとき、第３装飾ランプ基板１１３０の右上パネルランプ１１３２が発光すると、右上パネルランプ１１３２から発光した光は、第３多孔プレート１１６０の切欠き部１１６２（およびパネル導光部材１１７０の間隙部）を通過して装飾パネル部材１１８０の右上導光部１１８３を透過する。これにより、装飾パネル部材１１８０の右上導光部１１８３から射出された光が、操作パネル１２００の右側透光部材１２３０の前部に入射して右側透光部材１２３０および上パネル部材１２１０を透過し、上パネル部材１２１０にお
けるメダル投入ユニット１０２８の前側近傍が発光する。
【０２５５】
また、第１右上ランプ基板１２６０の第１後側右上パネルランプ１２６１が発光すると、第１後側右上パネルランプ１２６１から発光した光が、右側透光部材１２３０の右後部に入射して右側透光部材１２３０および上パネル部材１２１０を透過し、上パネル部材１２１０におけるメダル投入ユニット１０２８の後側近傍が発光する。また、第２右上ランプ基板１２７０の第２後側右上パネルランプ１２７１が発光すると、第２後側右上パネルランプ１２７１から発光した光が、右側透光部材１２３０の左後部に入射して右側透光部材１２３０および上パネル部材１２１０を透過し、上パネル部材１２１０におけるメダル投入ユニット１０２８の後側近傍が発光する。このように、右上パネルランプ１１３２、第１後側右上パネルランプ１２６１、および第２後側右上パネルランプ１２７１を発光させることによって、上パネル部材１２１０におけるメダル投入ユニット１０２８の近傍を発光させることができる。
【０２５６】
このようにして、図３７の二点鎖線で示すように、装飾パネル部材１１８０に加えて、上パネル部材１２１０における装飾パネル部材１１８０の上部に繋がる部分（すなわち、ベットスイッチユニット１０２６およびメダル投入ユニット１０２８の近傍の部分）を発光させることが可能になり、装飾パネルユニット１１００と操作パネル１２００とに跨って一体的な発光演出を行うことができる。またこのとき、画像表示装置１０３０が、上パネル部材１２１０の発光部分と左右の電飾装置１０３２，１０３３とに繋がる画像（例えば、図３７の二点鎖線を参照）を表示するとともに、左右の電飾装置１０３２，１０３３が発光することにより、装飾パネル部材１１８０、上パネル部材１２１０、画像表示装置１０３０、および左右の電飾装置１０３２，１０３３まで繋がる一体的な発光演出を行うことが可能である。このように、第３実施形態によれば、前面扉１０２０の前面側において連続的に繋がる発光演出を行うことができるため、より多彩な演出を行うことが可能である。
【０２５７】
［演出制御ユニットの構成］
次に、第３実施形態に係る演出制御ユニット１３００について図４５〜図４７を参照して説明する。演出制御ユニット１３００は、図４５〜図４６に示すように、サブサブ基板１３０１と、画像制御基板１３３１と、サブサブ基板１３０１および画像制御基板１３３１を収容する演出基板ケース１３２０とを主体に構成された基板ケースユニットである。サブサブ基板１３０１は、副制御装置５１６（サブメイン基板）と電気的に接続され、副制御装置５１６からの出力コマンドに基づいて、画像表示装置１０３０等を作動させる演出制御処理を行う。画像制御基板１３３１は、サブサブ基板１３０１から送信される画像制御信号に応じて、画像表示装置１０３０で表示される画像データの出力処理を行う。
【０２５８】
サブサブ基板１３０１は、図４６に示すように、サブサブＣＰＵ１３０３、ＶＲＡＭ、プログラムＲＯＭ等の電子部品（電子素子）と、接続コネクタ１３０４等の電気部品と、これらが実装されるプリント基板１３０２とから構成される。サブサブ基板１３０１の一端には、画像制御基板１３３１の接続コネクタ１３１４と電気的に接続される接続コネクタ１３０４が配設される。また、サブサブ基板１３０１の各部には、複数の電気コネクタ１３０５，１３０５，…が配設される。
【０２５９】
画像制御基板１３１１は、画像処理ＣＰＵ１３１３等の電子部品（電子素子）と、接続コネクタ１３１４等の電気部品と、これらが実装されるプリント基板１３１２とから構成される。画像制御基板１３１１の一端には、サブサブ基板１３０１の接続コネクタ１３０４と電気的に接続される接続コネクタ１３１４が配設される。サブサブ基板１３０１の接続コネクタ１３０４と画像制御基板１３１１の接続コネクタ１３１４とを接続することにより、サブサブ基板１３０１と画像制御基板１３１１とが電気的に接続される。
【０２６０】
なお、画像処理ＣＰＵ１３１３は画像処理基板１３１３ａに配設されており、この画像処理基板１３１３ａが、画像処理基板支持部材１３１７を用いて画像制御基板１３１１と略平行に取り付けられて電気的に接続されている。また、画像ＲＯＭ基板１３１５が、画像ＲＯＭ基板支持部材１３１８を用いて画像制御基板１３１１と略平行に取り付けられて電気的に接続されている。また、音声基板１３１６が、音声基板支持部材１３１９を用いて画像制御基板１３１１と略平行に取り付けられて電気的に接続されている。
【０２６１】
演出基板ケース１３２０は、演出基板ケース本体１３２１と、演出基板ケース蓋１３３１とを有し、演出基板ケース本体１３２１と演出基板ケース蓋１３３１とが結合されて形成されるケース内部に、サブサブ基板１３０１および画像制御基板１３３１を収容可能に構成される。演出基板ケース本体１３２１は、透明の樹脂材料を用いて一方が開口した矩形箱状に形成される。また、演出基板ケース本体１３２１には、サブサブ基板１３０１および画像制御基板１３３１との間に金属製のシールドプレート１３４１が収容されるようになっている。
【０２６２】
演出基板ケース本体１３２１の隅部には、結合ネジ１３２９が螺合されるネジ結合ボス１３２２が形成される。演出基板ケース本体１３２１の底部には、ケース内部に収容されたサブサブ基板１３０１および画像制御基板１３３１を支持する基板支持ボス１３２３が複数形成される。また、演出基板ケース本体１３２１の底部には、画像処理基板１３１３ａおよび画像処理基板支持部材１３１７が取り付け固定される画像処理基板固定ボス１３２４が形成される。また、演出基板ケース本体１３２１の底部には、画像ＲＯＭ基板１３１５および画像ＲＯＭ基板支持部材１３１８が取り付け固定される画像ＲＯＭ基板固定ボス１３２５が形成される。また、演出基板ケース本体１３２１の底部には、音声基板１３１６および音声基板支持部材１３１９が取り付け固定される画像ＲＯＭ基板固定ボス１３２５が形成される。
【０２６３】
演出基板ケース蓋１３３１は、図４５および図４６に示すように、透明の樹脂材料を用いて一方が開口した矩形蓋状に形成される。演出基板ケース蓋１３３１の隅部には、結合ネジ１３２９が挿通されるネジ挿通穴部１３３２が形成される。演出基板ケース蓋１３３１は、結合ネジ１３２９を用いて、サブサブ基板１３０１および画像制御基板１３３１を覆うように演出基板ケース本体１３２１に結合される。なお、ネジ挿通穴部１３３２は、不図示のキャップ部材により塞がれるようになっている。また、演出基板ケース蓋１３３１には、サブサブ基板１３０１の各部に設けられた電気コネクタ１３０５等を露出させるコネクタ露出部１３３３が複数形成されている。
【０２６４】
演出基板ケース蓋１３３１における画像制御基板１３３１側の隅部近傍には、画像制御基板１３３１（およびサブサブ基板１３０１）の冷却を行うための外気を導入可能な第１吸気口部１３３４が形成される。図４７（ｂ）に示すように、第１吸気口部１３３４の内部側に内側柵状部１３３５ａが形成されるともに、第１吸気口部１３３４の外部側に外側柵状部１３３５ｂが形成される。内側柵状部１３３５ａと外側柵状部１３３５ｂとは、所定間隔（成形型が抜けるように形成されたクリアランス分の間隔）だけ離れて互いに半ピッチ分だけずれるように形成されており、一体的に成形可能に構成される。これにより、外部からの異物が第１吸気口部１３３４を通過しようとしても、外側柵状部１３３５ｂと内側柵状部１３３５ａによって通過が妨げられるため、簡便な構成で、第１吸気口部１３３４からケース内部に異物が侵入するのを防止することができる。
【０２６５】
図４５および図４６に示すように、演出基板ケース蓋１３３１における接続コネクタ１３０４，１３１４と対向する部分の近傍には、画像制御基板１３３１（およびサブサブ基板１３０１）の冷却を行うための外気を導入可能な第２吸気口部１３３６が形成される。
第２吸気口部１３３６は、第１吸気口部１３３４と同様の構成であり、第２吸気口部１３３６の内部側に内側柵状部（図示せず）が形成されるともに、第２吸気口部１３３６の外部側に外側柵状部（図示せず）が形成される。これにより、外部からの異物が第２吸気口部１３３６を通過しようとしても、外側柵状部と内側柵状部によって通過が妨げられるため、簡便な構成で、第２吸気口部１３３６からケース内部に異物が侵入するのを防止することができる。
【０２６６】
図４５および図４６に示すように、演出基板ケース蓋１３３１における画像制御基板１３３１と対向する部分には、画像制御基板１３３１（およびサブサブ基板１３０１）の冷却を行うための冷却ファン（図示せず）が取り付けられる冷却ファン取付部１３４０が形成される。冷却ファン取付部１３４０の天井部には、冷却ファンにより排気が行われる排気口部１３３８が形成される。図４７（ａ）に示すように、排気口部１３３８の内部側に内側柵状部１３３９ａが形成されるともに、排気口部１３３８の外部側に外側柵状部１３３９ｂが形成される。内側柵状部１３３９ａと外側柵状部１３３９ｂとは、所定間隔（成形型が抜けるように形成されたクリアランス分の間隔）だけ離れて互いに半ピッチ分だけずれるように形成されており、一体的に成形可能に構成される。これにより、外部からの異物が排気口部１３３８を通過しようとしても、外側柵状部１３３９ｂと内側柵状部１３３９ａによって通過が妨げられるため、簡便な構成で、排気口部１３３８からケース内部に異物が侵入するのを防止することができる。また、外部からの異物が冷却ファンに挟まって、冷却ファンが破損するのを防止することができる。
【０２６７】
［第３実施形態における特徴構成］
［操作パネルの特徴構成］
本実施形態において、前面扉１０２０における装飾パネル部材１１８０の後方側に、上パネル部材１２１０に向けて光を発光可能な左上パネルランプ１１２２および右上パネルランプ１１３２等が設けられ、操作ユニット取付部１０５０の上面部と上パネル部材１２１０とに挟まれて、左上パネルランプ１１２２および右上パネルランプ１１３２等からの光を透過させて上パネル部材１２１０の少なくとも一部を発光させることが可能な左側透光部材１２２０および右側透光部材１２３０が取り付けられている。これにより、装飾パネル部材１１８０に加えて、上パネル部材１２１０における装飾パネル部材１１８０の上部に繋がる部分（すなわち、ベットスイッチユニット１０２６およびメダル投入ユニット１０２８の近傍の部分）を発光させることが可能になる。このように、前面扉１０２０の前面側において連続的に繋がる発光演出を行うことができるため、より多彩な演出を行うことが可能である。
【０２６８】
また、左側透光部材１２２０および右側透光部材１２３０は、操作ユニット取付部１０５０の上面部における左上側パネル取付部１０５４および右上側パネル取付部１０５５の上方に配置されて、上パネル部材１２１０における左上側パネル取付部１０５４および右上側パネル取付部１０５５の上方に位置する部分を発光させることが可能に構成される。これにより、装飾パネル部材１１８０に加えて、上パネル部材１２１０における装飾パネル部材１１８０の上部に繋がる部分（すなわち、ベットスイッチユニット１０２６およびメダル投入ユニット１０２８の近傍の部分）をより確実に発光させることが可能になる。
【０２６９】
また、左上側パネル取付部１０５４および右上側パネル取付部１０５５に、左側透光部材１２２０および右側透光部材１２３０の前部に向けて光を発光可能な左上パネルランプ１１２２および右上パネルランプ１１３２が設けられ、左上側パネル取付部１０５４および右上側パネル取付部１０５５の後側に、左側透光部材１２２０および右側透光部材１２３０における前部と異なる部分に向けて光を発光可能な第１後側左上パネルランプ１２４１、第２後側左上パネルランプ１２５１、第１後側右上パネルランプ１２６１、および第２後側右上パネルランプ１２７１が設けられる。これにより、左側透光部材１２２０およ
び右側透光部材１２３０を均一に発光させることが可能になる。
【０２７０】
また、左上パネルランプ１１２２が第２装飾ランプ基板１１２０の上端部近傍に配設され、右上パネルランプ１１３２が第３装飾ランプ基板１１３０の上端部近傍に配設される。これにより、ランプ基板を共用化することで、部品点数が大幅に増加することなく、スロットマシンＳＭ３の製造コストを抑えることができる。
【０２７１】
上述の第３実施形態において、前面扉１０２０の上部に、上部発光演出装置１０３１が設けられているが、第２実施形態に係る上部発光演出装置６６０と同様に構成されるようにしてもよい。
【０２７２】
上述の第３実施形態において、前面扉１０２０の上部に、上部発光演出装置１０３１が設けられているが、これに限られるものではなく、上部発光演出装置１０３１に代えて、第１実施形態に係る演出表示装置３００と同様の演出表示装置が設けられるようにしてもよい。
【０２７３】
上述の第３実施形態において、リール表示窓１０２２の後面側に、第１実施形態に係るリールシャッターユニット１００と同様のリールシャッターユニットが設けられるようにしてもよい。
【０２７４】
上述の第３実施形態において、前面扉１０２０の前面側に、左右のサイドランプ１０３４，１０３５が設けられているが、これに限られるものではなく、左右のサイドランプ１０３４，１０３５に代えて、第２実施形態に係る左サイド発光演出装置７００および右サイド発光演出装置８００と同様の発光演出装置が設けられるようにしてもよい。なお、第１形態に係る左右のサイドランプ３２，３３についても、第２実施形態と同様の構成にすることができる。
【０２７５】
上述の第３実施形態において、演出制御ユニット１３００が設けられているが、第１実施形態および第２実施形態に係る演出制御ユニット４０５，５１７についても、第３実施形態に係る演出制御ユニット１３００と同様の構成にすることができる。
【０２７６】
上述の各実施形態において、本発明が適用される遊技機の一例として、遊技メダルを使用するスロットマシン（回胴式遊技機）ＳＭ１〜ＳＭ３を例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【０２７７】
ＳＭ１  スロットマシン（遊技機の第１実施形態）
１０  基体部（本体部材）
２０  前面扉（開閉部材）
１００  リールシャッターユニット
１１０ａ  第１シャッター装置（可動演出装置）
１１０ｂ  第２シャッター装置（可動演出装置）
１１０ｃ  第３シャッター装置（可動演出装置）
１２０Ｒ  右ガイド部
１２１Ｒ  右ガイド部材
１２３Ｒ  第１ランプ穴部
１２６Ｒ  第２ランプ穴部
１３１Ｒ  右ガイドランプ基板
１３２Ｒ  第１ガイドランプ
１３３Ｒ  第２ガイドランプ
１２０Ｌ  左ガイド部
１２１Ｌ  左ガイド部材
１２３Ｌ  第１ランプ穴部
１２６Ｌ  第２ランプ穴部
１４０  第１固定シャッター部
１６０  第２固定シャッター部
１８０  第１可動シャッター部
１９６  第１可動側透光板
２００  第２可動シャッター部
２１６  第２可動側透光板
２２０  第１シャッター駆動部
２４０  第２シャッター駆動部
３００  演出表示装置
３１０  液晶表示部
３２６  液晶パネル
３３６  液晶シャッター
３４１  導光板
３４２  縁部
３４３  射出面
３４４  凹凸面
３４６  バックランプ基板
３４７  バックランプ
３６０  発光演出部
３６１  中央発光部材
３６６  周辺発光部材
３８１  発光演出ランプ基板
３８２  中央発光演出ランプ
３８３  周辺発光演出ランプ
ＳＭ２  スロットマシン（遊技機の第２実施形態）
５１０  基体部（本体部材）
５２０  前面扉（開閉部材）
５４１  演出装置取付部
５４２  導光部
５４３  装飾パネル取付部
５５０  下部発光演出装置
５５１  下部ランプ基板
５５２  下部演出ランプ
５６１  多孔プレート
５６２  通過孔
５７１  第１下部ランプカバー
５７６  第２下部ランプカバー
６００  上部マスクユニット
６６０  上部発光演出装置
６６１  第１上部ランプ基板
６６２  第１上部演出ランプ
６７１  第２上部ランプ基板
６７２  第２上部演出ランプ
６９１  裏側上部装飾部材（６９１ａ  第２上部演出図柄）
６９２  上部導光板（６９２ａ  縁部、６９２ｃ  凹凸面、６９２ｄ  射出面）
６９３  表側上部装飾部材（６９３ａ  第１上部演出図柄）
７００  左サイド発光演出装置
７１０  ランプユニット部
７１１  第１左サイドランプ基板
７１２  第１左サイド演出ランプ
７２１  第１補助照明基板
７２２  第１補助照明ランプ
７３１  第２左サイドランプ基板
７３２  第２左サイド演出ランプ
７４６  第２補助照明基板
７４７  第２補助照明ランプ
７６０  カバーユニット部
７７１  裏側左装飾部材（７７１ａ  第２左演出図柄）
７７２  左導光板（７７２ａ  長手方向縁部、７７２ｂ  傾斜縁部、７７２ｃ  凹凸面、７７２ｄ  射出面）
７７３  表側左装飾部材（７７３ａ  第１左演出図柄）
ＳＭ３  スロットマシン（遊技機の第３実施形態）
１０２０  前面扉（開閉部材）
１０５０  操作ユニット取付部
１０５４  左上側パネル取付部
１０５５  右上側パネル取付部
１０６０  装飾パネル取付部
１１００  装飾パネルユニット
１１１０  第１装飾ランプ基板
１１１１  第１装飾ランプ
１１２０  第２装飾ランプ基板
１１２１  第２装飾ランプ
１１２２  左上パネルランプ
１１３０  第３装飾ランプ基板
１１３１  第３装飾ランプ
１１３２  右上パネルランプ
１１８０  装飾パネル部材
１２００  操作パネル
１２１０  上パネル部材
１２２０  左側透光部材
１２３０  右側透光部材
１２４０  第１左上ランプ基板
１２４１  第１後側左上パネルランプ
１２５０  第２左上ランプ基板
１２５１  第２後側左上パネルランプ
１２６０  第１右上ランプ基板
１２６１  第１後側右上パネルランプ
１２７０  第２右上ランプ基板
１２７１  第２後側右上パネルランプ
【図１】
2016185292.tif 000003
【図２】
2016185292.tif 000004
【図３】
2016185292.tif 000005
【図４】
2016185292.tif 000006
【図５】
2016185292.tif 000007
【図６】
2016185292.tif 000008
【図７】
2016185292.tif 000009
【図８】
2016185292.tif 000010
【図９】
2016185292.tif 000011
【図１０】
2016185292.tif 000012
【図１１】
2016185292.tif 000013
【図１２】
2016185292.tif 000014
【図１３】
2016185292.tif 000015
【図１４】
2016185292.tif 000016
【図１５】
2016185292.tif 000017
【図１６】
2016185292.tif 000018
【図１７】
2016185292.tif 000019
【図１８】
2016185292.tif 000020
【図１９】
2016185292.tif 000021
【図２０】
2016185292.tif 000022
【図２１】
2016185292.tif 000023
【図２２】
2016185292.tif 000024
【図２３】
2016185292.tif 000025
【図２４】
2016185292.tif 000026
【図２５】
2016185292.tif 000027
【図２６】
2016185292.tif 000028
【図２７】
2016185292.tif 000029
【図２８】
2016185292.tif 000030
【図２９】
2016185292.tif 000031
【図３０】
2016185292.tif 000032
【図３１】
2016185292.tif 000033
【図３２】
2016185292.tif 000034
【図３３】
2016185292.tif 000035
【図３４】
2016185292.tif 000036
【図３５】
2016185292.tif 000037
【図３６】
2016185292.tif 000038
【図３７】
2016185292.tif 000039
【図３８】
2016185292.tif 000040
【図３９】
2016185292.tif 000041
【図４０】
2016185292.tif 000042
【図４１】
2016185292.tif 000043
【図４２】
2016185292.tif 000044
【図４３】
2016185292.tif 000045
【図４４】
2016185292.tif 000046
【図４５】
2016185292.tif 000047
【図４６】
2016185292.tif 000048
【図４７】
2016185292.tif 000049